(57)【要約】  本発明の実施形態は、半二重周波数分割複信通信方法、基地局、および端末を実現し、これは端末がダウンリンクサブフレームから隣接するアップリンクサブフレームに切り替わるときに、第1のガード期間を生成するステップであって、端末が第1のガード期間内では信号を処理しないことが定義される、すなわち、端末は、第1のガード期間において、ダウンリンクデータを受信することも、アップリンク信号を送信することもせず、したがって、端末のダウンリンクからアップリンクへの切り替えプロセスにおける端末の挙動の不確実性が回避され、アップリンクサブフレームの送信の成功が保証され得る、ステップと、端末がアップリンクサブフレームからダウンリンクサブフレームに切り替わるときに、第2のガード期間を生成するステップであって、第2のガード期間はアップリンクサブフレームもしくはダウンリンクサブフレームと重なり合い、端末が第2のガード期間内では信号を処理しないことが定義され、したがって、端末のアップリンクからダウンリンクへの切り替えプロセスにおける端末の挙動の不確実性が回避される、ステップとを含む。新しい端末の挙動を定義することによって、本発明の実施形態は、ネットワークおよび端末が通常どおりにデータの送受信を行うことができることを保証することができる。
2017502601.tif 000002
【特許請求の範囲】
【請求項１】
端末であって、
生成モジュールであって、前記端末のデータ処理がダウンリンクサブフレームから隣接するアップリンクサブフレームに切り替わるときに、第1のガード期間を生成し、前記第1のガード期間は1ミリ秒以上である、ように構成された生成モジュールと、
前記第1のガード期間内では信号の処理をスキップするように構成された処理モジュールとを備える端末。
【請求項２】
前記第1のガード期間が1ミリ秒を超えるときに、前記第1のガード期間は、前記ダウンリンクサブフレームおよび前記ダウンリンクサブフレームの直前の第1のダウンリンクサブフレームの最後の部分と重なり合い、
前記処理モジュールは、前記ダウンリンクサブフレームおよび前記第1のダウンリンクサブフレームの前記最後の部分におけるダウンリンク信号の受信をスキップするように特に構成される請求項1に記載の端末。
【請求項３】
前記第1のガード期間が1ミリ秒を超えるときに、前記第1のガード期間は、前記ダウンリンクサブフレームおよび前記ダウンリンクサブフレームの直前のアップリンクサブフレームの最後の部分と重なり合い、
前記処理モジュールは、前記ダウンリンクサブフレームにおけるダウンリンク信号の受信をスキップし、前記ダウンリンクサブフレームの直前の前記アップリンクサブフレームの前記最後の部分におけるアップリンク信号の送信をスキップするように特に構成される請求項1に記載の端末。
【請求項４】
前記第1のガード期間が1ミリ秒に等しいときに、前記第1のガード期間は、前記ダウンリンクサブフレームと重なり合い、前記処理モジュールは、
前記ダウンリンクサブフレームにおけるダウンリンク信号の受信をスキップするように特に構成される請求項1に記載の端末。
【請求項５】
前記生成モジュールは、
ラウンドトリップタイムおよび第1の切り替え時間に従って前記第1のガード期間を生成するように特に構成され、前記第1の切り替え時間は、周波数調整時間および電力調整時間を含み、前記周波数調整時間は、前記端末の発振器によるダウンリンク周波数からアップリンク周波数への切り替えのための調整時間であり、前記電力調整時間は、前記端末により電力を0からアップリンク送信電力まで調整するための調整時間である請求項1から4のいずれか一項に記載の端末。
【請求項６】
前記第1のガード期間は、前記ラウンドトリップタイムと前記第1の切り替え時間との総和以下である請求項5に記載の端末。
【請求項７】
前記生成モジュールは、前記ラウンドトリップタイムおよび前記第1の切り替え時間を追加し、前記第1のガード期間を取得する、ように特に構成される請求項5に記載の端末。
【請求項８】
前記端末は、前記ダウンリンクサブフレームにおいて前記基地局によってスケジュールされない請求項1から7のいずれか一項に記載の端末。
【請求項９】
基地局であって、
決定モジュールであって、端末のデータ処理がダウンリンクサブフレームから隣接するアップリンクサブフレームに切り替わるときに、前記端末によって生成された第1のガード期間が前記ダウンリンクサブフレームと重なり合うと決定し、前記第1のガード期間は1ミリ秒以上である、ように構成された決定モジュールと、
スケジューリング構成モジュールであって、前記ダウンリンクサブフレームにおける前記端末のスケジューリングをスキップするように前記基地局を構成する、または前記ダウンリンクサブフレームにおける前記端末のスケジューリング優先度を最低レベルに設定する、ように構成されたスケジューリング構成モジュールとを備える基地局。
【請求項１０】
前記決定モジュールは、
前記端末によって生成された前記第1のガード期間が1ミリ秒以上であるかどうかを決定し、
もしそうであれば、前記第1のガード期間は前記ダウンリンクサブフレームと重なり合うと決定する、ように特に構成される請求項9に記載の基地局。
【請求項１１】
前記第1のガード期間が1ミリ秒を超えるときに、前記第1のガード期間は、前記ダウンリンクサブフレームおよび前記ダウンリンクサブフレームの直前の第1のダウンリンクサブフレームの最後の部分と重なり合う請求項10に記載の基地局。
【請求項１２】
前記第1のガード期間が1ミリ秒を超えるときに、前記第1のガード期間は、前記ダウンリンクサブフレームおよび前記ダウンリンクサブフレームの直前のアップリンクサブフレームの最後の部分と重なり合う請求項10に記載の基地局。
【請求項１３】
前記第1のガード期間が1ミリ秒に等しいときに、前記第1のガード期間は、前記ダウンリンクサブフレームと重なり合う請求項10に記載の基地局。
【請求項１４】
端末であって、
生成モジュールであって、前記端末のデータ処理がダウンリンクサブフレームから隣接するアップリンクサブフレームに切り替わるときに、第1のガード期間を生成し、前記第1のガード期間は1ミリ秒未満であり、前記第1のガード期間は前記ダウンリンクサブフレームの最後の部分と重なり合い、前記端末は前記ダウンリンクサブフレームの最後のタイムスロットにおいて基地局によってスケジュールされない、ように構成された生成モジュールと、
前記第1のガード期間内ではダウンリンク信号の受信をスキップするように構成された処理モジュールとを備える端末。
【請求項１５】
前記生成モジュールは、
ラウンドトリップタイムおよび第1の切り替え時間に従って前記第1のガード期間を生成するように特に構成され、前記第1の切り替え時間は、周波数調整時間および電力調整時間を含み、前記周波数調整時間は、前記端末の発振器によるダウンリンク周波数からアップリンク周波数への切り替えのための調整時間であり、前記電力調整時間は、前記端末により電力を0からアップリンク送信電力まで調整するための調整時間である請求項14に記載の端末。
【請求項１６】
前記生成モジュールは、
前記第1の切り替え時間が前記ラウンドトリップタイムに含まれる場合に、前記ラウンドトリップタイムまたは前記第1の切り替え時間を前記第1のガード期間として使用する、または
前記第1の切り替え時間が前記ラウンドトリップタイムと重なり合わない場合に、前記ラウンドトリップタイムと前記第1の切り替え時間とを加えて、前記第1のガード期間を取得するように特に構成される請求項15に記載の端末。
【請求項１７】
基地局であって、
決定モジュールであって、端末のデータ処理がダウンリンクサブフレームから隣接するアップリンクサブフレームに切り替わるときに、前記端末によって生成された第1のガード期間が前記ダウンリンクサブフレームの最後のタイムスロットと重なり合うと決定し、前記第1のガード期間は1ミリ秒未満である、ように構成された決定モジュールと、
スケジューリング構成モジュールであって、前記ダウンリンクサブフレームの前記最後のタイムスロットにおける前記端末のスケジューリングをスキップするように前記基地局を構成する、または前記ダウンリンクサブフレームの前記最後のタイムスロットにおける前記端末のスケジューリング優先度を最低レベルに設定する、ように構成されたスケジューリング構成モジュールとを備える基地局。
【請求項１８】
前記決定モジュールは、
前記端末によって生成された前記第1のガード期間が0.5ミリ秒以上、1ミリ秒未満であるかどうかを決定し、
もしそうであれば、前記第1のガード期間は前記ダウンリンクサブフレームの前記最後のタイムスロットと重なり合うと決定する、ように特に構成される請求項17に記載の基地局。
【請求項１９】
端末であって、
生成モジュールであって、前記端末のデータ処理がアップリンクサブフレームから隣接するダウンリンクサブフレームに切り替わるときに、第2のガード期間を生成するように構成された生成モジュールと、
処理モジュールであって、前記第2のガード期間における任意の信号の処理をスキップするように構成された、または前記第2のガード期間が配置されるサブフレームにおける任意の信号の処理をスキップするように構成された処理モジュールとを備える端末。
【請求項２０】
前記生成モジュールは、
前記端末のデータ処理がアップリンクサブフレームから隣接するダウンリンクサブフレームに切り替わるときに、前記ダウンリンクサブフレームが、前記端末に送信される物理ハイブリッド自動再送要求インジケータチャネルPHICH情報を含むかどうかを決定し、
前記ダウンリンクサブフレームが、前記端末に送信される前記PHICH情報を含む場合に、前記第2のガード期間を生成し、前記第2のガード期間は前記アップリンクサブフレームと重なり合う、または
前記ダウンリンクサブフレームが、前記端末に送信される前記PHICH情報を含まない場合に、前記第2のガード期間を生成し、前記第2のガード期間は前記ダウンリンクサブフレームと重なり合う、ように特に構成される請求項19に記載の端末。
【請求項２１】
前記生成モジュールは、
前記端末のデータ処理がアップリンクサブフレームから隣接するダウンリンクサブフレームに切り替わるときに、前記アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定し、
前記アップリンクサブフレームが前記アップリンク信号のうちのどれか1つを含む場合に、前記第2のガード期間を生成し、前記第2のガード期間は前記ダウンリンクサブフレームと重なり合う、または
前記アップリンクサブフレームが前記アップリンク信号のうちのどの1つも含まない場合に、前記第2のガード期間を生成し、前記第2のガード期間は前記アップリンクサブフレームと重なり合う、ように特に構成される請求項19に記載の端末。
【請求項２２】
前記第2のガード期間は1ミリ秒未満であり、前記第2のガード期間は前記ダウンリンクサブフレームの最初の部分と重なり合い、前記ダウンリンクサブフレームの前記最初の部分は、前記第2のガード期間と前記ダウンリンクサブフレームとの間の重なり合う部分であり、前記処理モジュールは、
前記ダウンリンクサブフレームの前記最初の部分におけるダウンリンク信号の受信をスキップする、または前記ダウンリンクサブフレームにおけるダウンリンク信号の受信をスキップする、ように特に構成される請求項19から21のいずれか一項に記載の端末。
【請求項２３】
前記第2のガード期間は1ミリ秒未満であり、前記第2のガード期間は前記アップリンクサブフレームの最後の部分と重なり合い、前記アップリンクサブフレームの前記最後の部分は、前記第2のガード期間と前記アップリンクサブフレームとの間の重なり合う部分であり、前記処理モジュールは、
前記アップリンクサブフレームの前記最後の部分におけるアップリンク信号の送信をスキップする、または前記アップリンクサブフレームにおけるアップリンク信号の送信をスキップする、ように特に構成される請求項19から21のいずれか一項に記載の端末。
【請求項２４】
前記第2のガード期間は1ミリ秒に等しく、前記第2のガード期間は前記ダウンリンクサブフレームと重なり合い、前記処理モジュールは、
前記ダウンリンクサブフレームにおけるダウンリンク信号の受信をスキップするように特に構成される請求項19から21のいずれか一項に記載の端末。
【請求項２５】
前記第2のガード期間は1ミリ秒に等しく、前記第2のガード期間は前記アップリンクサブフレームと重なり合い、前記処理モジュールは、
前記アップリンクサブフレームにおけるアップリンク信号の送信をスキップする、ように特に構成される請求項19から21のいずれか一項に記載の端末。
【請求項２６】
前記端末は、前記第2のガード期間において基地局によってスケジュールされない、または前記端末は、前記第2のガード期間が配置されているサブフレームにおいて基地局によってスケジュールされない請求項19から25のいずれか一項に記載の端末。
【請求項２７】
前記ダウンリンク信号は、物理ダウンリンク制御チャネルPDCCH信号、拡張物理ダウンリンク制御チャネルEPDCCH信号、セル特有の基準信号、マルチメディアブロードキャストマルチキャストサービス単一周波数ネットワークMBSFN信号、サービスデータ信号、物理ハイブリッド自動再送要求インジケータチャネルPHICH信号、および物理制御フォーマットインジケータチャネルPCFICH信号のうちの1つまたは複数を含む請求項22または24に記載の端末。
【請求項２８】
前記第2のガード期間が前記ダウンリンクサブフレームの前記最初の部分と重なり合うときに、前記端末が、前記ダウンリンクサブフレームにおいて拡張物理ダウンリンク制御チャネルEPDCCH信号を受信するように前記基地局によって構成されている場合、前記処理モジュールは、
前記ダウンリンクサブフレームの前記最初の部分における前記EPDCCH信号または前記ダウンリンク信号の受信をスキップするように特に構成される請求項22に記載の端末。
【請求項２９】
前記第2のガード期間が前記ダウンリンクサブフレームの前記最初の部分と重なり合うときに、前記端末が、前記ダウンリンクサブフレームにおいて拡張物理ダウンリンク制御チャネルEPDCCH信号を受信するように前記基地局によって構成されている場合、前記処理モジュールは、
前記第2のガード期間が前記EPDCCH信号の受信時間と重なり合うかどうかを決定し、
前記第2のガード期間が前記EPDCCH信号の前記受信時間と重なり合う場合に、前記ダウンリンクサブフレームにおける前記EPDCCH信号もしくは前記ダウンリンク信号の受信をスキップする、または
前記第2のガード期間が前記EPDCCH信号の前記受信時間と重なり合わない場合に、前記ダウンリンクサブフレームの前記最初の部分における前記EPDCCH信号もしくは前記ダウンリンク信号の受信をスキップするように特に構成される請求項22に記載の端末。
【請求項３０】
前記第2のガード期間が前記ダウンリンクサブフレームの前記最初の部分と重なり合うときに、前記端末が、前記ダウンリンクサブフレームにおいてマルチメディアブロードキャストマルチキャストサービス単一周波数ネットワークMBSFN信号を受信するように前記基地局によって構成されている場合、前記処理モジュールは、
前記ダウンリンクサブフレームの前記最初の部分における前記MBSFN信号または前記ダウンリンク信号の受信をスキップするように特に構成される請求項22に記載の端末。
【請求項３１】
前記第2のガード期間が前記ダウンリンクサブフレームの前記最初の部分と重なり合うときに、前記端末が、前記ダウンリンクサブフレームにおいてマルチメディアブロードキャストマルチキャストサービス単一周波数ネットワークMBSFN信号を受信するように前記基地局によって構成されている場合、前記処理モジュールは、
前記第2のガード期間が前記MBSFN信号の受信時間と重なり合うかどうかを決定し、
前記第2のガード期間が前記MBSFN信号の前記受信時間と重なり合う場合に、前記ダウンリンクサブフレームにおける前記MBSFN信号もしくはダウンリンク信号の受信をスキップする、または
前記第2のガード期間が前記MBSFN信号の前記受信時間と重なり合わない場合に、前記ダウンリンクサブフレームの前記最初の部分における前記MBSFN信号もしくは前記ダウンリンク信号の受信をスキップするように特に構成される請求項22に記載の端末。
【請求項３２】
前記第2のガード期間が前記ダウンリンクサブフレームの前記最初の部分と重なり合うときに、前記端末が、前記ダウンリンクサブフレームにおいて物理ダウンリンク共有チャネルPDSCH信号を受信するように前記基地局によって構成されている場合、前記処理モジュールは、
前記PDSCH信号に対応する物理ダウンリンク制御チャネルPDCCH信号が、前記ダウンリンクサブフレームに含まれるかどうかを決定し、
前記PDCCH信号が前記ダウンリンクサブフレームに含まれる場合に、前記ダウンリンクサブフレームにおける前記PDSCH信号もしくは前記ダウンリンク信号の受信をスキップする、または
前記PDCCH信号が前記ダウンリンクサブフレームに含まれない場合に、前記ダウンリンクサブフレームの前記最初の部分における前記PDSCH信号もしくは前記ダウンリンク信号の受信をスキップするように特に構成される請求項22に記載の端末。
【請求項３３】
前記端末が、前記ダウンリンクサブフレームの前記最初の部分におけるダウンリンク信号の受信をスキップする、または前記ダウンリンクサブフレームにおけるダウンリンク信号の受信をスキップするときに、前記ダウンリンクサブフレームが、前記端末に送信される前記PHICH情報を含む場合、前記端末は、前記ダウンリンクサブフレームの後の第Nのダウンリンクサブフレームにおいて、前記端末に送信された前記PHICH情報を受信し、Nは、1以上の正整数である請求項22または24に記載の端末。
【請求項３４】
前記生成モジュールは、
ラウンドトリップタイムおよび第2の切り替え時間に従って第2のガード期間を生成するように特に構成され、前記第2の切り替え時間は、周波数調整時間および電力調整時間を含み、前記周波数調整時間は、前記端末の発振器によるアップリンク周波数からダウンリンク周波数への切り替えのための調整時間であり、前記電力調整時間は、前記端末のダウンリンク電力を0から送信電力まで調整するための調整時間である請求項19から33のいずれか一項に記載の端末。
【請求項３５】
前記第2の切り替え時間が、前記ラウンドトリップタイムよりも長い場合に、前記生成モジュールは、
前記第2の切り替え時間から前記ラウンドトリップタイムを差し引き、前記第2のガード期間を取得するように特に構成される請求項32に記載の端末。
【請求項３６】
基地局であって、
決定モジュールであって、端末のデータ処理がアップリンクサブフレームから隣接するダウンリンクサブフレームに切り替わるときに、前記端末によって生成された第2のガード期間を決定するように構成された決定モジュールと、
スケジューリング構成モジュールであって、前記第2のガード期間もしくは前記第2のガード期間が配置されるサブフレームにおける前記端末のスケジューリングをスキップするように前記基地局を構成する、または前記第2のガード期間もしくは前記第2のガード期間が配置されるサブフレームにおいて前記端末のスケジューリング優先度を最低レベルに設定するように構成されたスケジューリング構成モジュールとを備える基地局。
【請求項３７】
前記決定モジュールは、
前記端末のデータ処理がアップリンクサブフレームから隣接するダウンリンクサブフレームに切り替わるときに、前記ダウンリンクサブフレームが、前記端末に送信される物理ハイブリッド自動再送要求インジケータチャネルPHICH情報を含むかどうかを決定し、
前記ダウンリンクサブフレームが、前記端末に送信される前記PHICH情報を含む場合に、前記第2のガード期間が前記アップリンクサブフレームと重なり合うと決定する、または
前記ダウンリンクサブフレームが、前記端末に送信される前記PHICH情報を含まない場合に、前記第2のガード期間が前記ダウンリンクサブフレームと重なり合うと決定するように特に構成され、
前記スケジューリング構成モジュールは、
前記第2のガード期間が前記アップリンクサブフレームと重なり合う場合に、前記アップリンクサブフレームの最後の部分における、もしくは前記アップリンクサブフレームにおける前記端末のスケジューリングをスキップするように前記基地局を構成する、または前記アップリンクサブフレームの最後の部分における、もしくは前記アップリンクサブフレームにおける前記端末のスケジューリング優先度を最低レベルに設定し、前記アップリンクサブフレームの前記最後の部分は、前記第2のガード期間と前記アップリンクサブフレームとの間の重なり合う部分である、または
前記第2のガード期間が前記ダウンリンクサブフレームと重なり合う場合に、前記ダウンリンクサブフレームの最初の部分における、もしくは前記ダウンリンクサブフレームにおける前記端末のスケジューリングをスキップするように前記基地局を構成する、または前記ダウンリンクサブフレームの最初の部分における、もしくは前記ダウンリンクサブフレームにおける前記端末のスケジューリング優先度を最低レベルに設定し、前記ダウンリンクサブフレームの前記最初の部分は、前記第2のガード期間と前記ダウンリンクサブフレームとの間の重なり合う部分である、ように特に構成される請求項36に記載の基地局。
【請求項３８】
前記決定モジュールは、
前記端末のデータ処理がアップリンクサブフレームから隣接するダウンリンクサブフレームに切り替わるときに、前記アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定し、
前記アップリンクサブフレームが前記アップリンク信号のうちのどれか1つを含む場合に、前記第2のガード期間が前記ダウンリンクサブフレームと重なり合うと決定する、または
前記アップリンクサブフレームが前記アップリンク信号のうちのどの1つも含まない場合に、前記第2のガード期間が前記アップリンクサブフレームと重なり合うと決定するように特に構成され、
前記スケジューリング構成モジュールは、
前記第2のガード期間が前記アップリンクサブフレームと重なり合う場合に、前記アップリンクサブフレームの最後の部分におけるもしくは前記アップリンクサブフレームにおける前記端末のスケジューリングをスキップするように前記基地局を構成する、または前記アップリンクサブフレームの最後の部分における、もしくは前記アップリンクサブフレームにおける前記端末のスケジューリング優先度を最低レベルに設定し、前記アップリンクサブフレームの前記最後の部分は、前記第2のガード期間と前記アップリンクサブフレームとの間の重なり合う部分である、または
前記第2のガード期間が前記ダウンリンクサブフレームと重なり合う場合に、前記ダウンリンクサブフレームの最初の部分における、もしくは前記ダウンリンクサブフレームにおける前記端末のスケジューリングをスキップするように前記基地局を構成する、または前記ダウンリンクサブフレームの最初の部分における、もしくは前記ダウンリンクサブフレームにおける前記端末のスケジューリング優先度を最低レベルに設定し、前記ダウンリンクサブフレームの前記最初の部分は、前記第2のガード期間と前記ダウンリンクサブフレームとの間の重なり合う部分である、ように特に構成される請求項36に記載の基地局。
【請求項３９】
前記基地局が前記ダウンリンクサブフレームの前記最初の部分における、もしくは前記ダウンリンクサブフレームにおける前記端末のスケジューリングをスキップする、または前記ダウンリンクサブフレームの前記最初の部分における、もしくは前記ダウンリンクサブフレームにおける前記端末の前記スケジューリング優先度を前記最低レベルに設定するときに、前記ダウンリンクサブフレームが、前記端末に送信される前記PHICH情報を含む場合に、前記基地局は、前記ダウンリンクサブフレームの後の第Nのダウンリンクサブフレームにおいて、前記端末に前記PHICH情報を送信し、Nは、1以上の正整数である請求項37または38に記載の基地局。
【請求項４０】
半二重周波数分割複信通信方法であって、
端末のデータ処理がダウンリンクサブフレームから隣接するアップリンクサブフレームに切り替わるときに、前記端末によって、第1のガード期間を生成するステップであって、前記第1のガード期間は1ミリ秒以上である、ステップと、
前記端末によって、前記第1のガード期間内では信号の処理をスキップするステップとを含む半二重周波数分割複信通信方法。
【請求項４１】
前記第1のガード期間が1ミリ秒を超えるときに、前記第1のガード期間は、前記ダウンリンクサブフレームおよび前記ダウンリンクサブフレームの直前の第1のダウンリンクサブフレームの最後の部分と重なり合い、前記端末によって、前記第1のガード期間内では信号の処理をスキップする前記ステップは、
前記端末によって、前記ダウンリンクサブフレームおよび前記第1のダウンリンクサブフレームの前記最後の部分におけるダウンリンク信号の受信をスキップするステップを含む請求項40に記載の方法。
【請求項４２】
前記第1のガード期間が1ミリ秒を超えるときに、前記第1のガード期間は、前記ダウンリンクサブフレームおよび前記ダウンリンクサブフレームの直前のアップリンクサブフレームの最後の部分と重なり合い、前記端末によって、前記第1のガード期間内では信号の処理をスキップする前記ステップは、
前記端末によって、前記ダウンリンクサブフレームにおけるダウンリンク信号の受信をスキップするステップと、前記ダウンリンクサブフレームの直前の前記アップリンクサブフレームの前記最後の部分におけるアップリンク信号の送信をスキップするステップとを含む請求項40に記載の方法。
【請求項４３】
前記第1のガード期間が1ミリ秒に等しいときに、前記第1のガード期間は、前記ダウンリンクサブフレームと重なり合い、前記端末によって、前記第1のガード期間内では信号の処理をスキップする前記ステップは、
前記端末によって、前記ダウンリンクサブフレームにおけるダウンリンク信号の受信をスキップするステップを含む請求項40に記載の方法。
【請求項４４】
前記端末によって、第1のガード期間を生成する前記ステップは、
前記端末によって、ラウンドトリップタイムおよび第1の切り替え時間に従って前記第1のガード期間を生成するステップであって、前記第1の切り替え時間は、周波数調整時間および電力調整時間を含み、前記周波数調整時間は、前記端末の発振器によるダウンリンク周波数からアップリンク周波数への切り替えのための調整時間であり、前記電力調整時間は、前記端末により電力を0からアップリンク送信電力まで調整するための調整時間である、ステップを含む請求項40から43のいずれか一項に記載の方法。
【請求項４５】
前記第1のガード期間は、前記ラウンドトリップタイムと前記第1の切り替え時間との総和以下である請求項44に記載の方法。
【請求項４６】
前記端末によって、ラウンドトリップタイムおよび第1の切り替え時間に従って前記第1のガード期間を生成する前記ステップは、
前記端末によって、前記ラウンドトリップタイムおよび前記第1の切り替え時間を追加し、前記第1のガード期間を取得するステップを含む請求項44に記載の方法。
【請求項４７】
前記端末は、前記ダウンリンクサブフレームにおいて前記基地局によってスケジュールされない請求項40から46のいずれか一項に記載の方法。
【請求項４８】
半二重周波数分割複信通信方法であって、
端末のデータ処理がダウンリンクサブフレームから隣接するアップリンクサブフレームに切り替わるときに、基地局によって、前記端末によって生成された第1のガード期間が前記ダウンリンクサブフレームと重なり合うと決定するステップであって、前記第1のガード期間は1ミリ秒以上である、ステップと、
前記基地局によって、前記ダウンリンクサブフレームにおける前記端末のスケジューリングをスキップするステップ、または前記ダウンリンクサブフレームにおける前記端末のスケジューリング優先度を最低レベルに設定するステップとを含む半二重周波数分割複信通信方法。
【請求項４９】
基地局によって、前記端末によって生成された第1のガード期間が前記ダウンリンクサブフレームと重なり合うと決定する前記ステップは、
前記基地局によって、前記端末によって生成された前記第1のガード期間が1ミリ秒以上であるかどうかを決定するステップと、
もしそうであれば、前記基地局によって、前記第1のガード期間は前記ダウンリンクサブフレームと重なり合うと決定するステップとを含む請求項48に記載の方法。
【請求項５０】
前記第1のガード期間が1ミリ秒を超えるときに、前記第1のガード期間は、前記ダウンリンクサブフレームおよび前記ダウンリンクサブフレームの直前の第1のダウンリンクサブフレームの最後の部分と重なり合う請求項49に記載の方法。
【請求項５１】
前記第1のガード期間が1ミリ秒を超えるときに、前記第1のガード期間は、前記ダウンリンクサブフレームおよび前記ダウンリンクサブフレームの直前のアップリンクサブフレームの最後の部分と重なり合う請求項49に記載の方法。
【請求項５２】
前記第1のガード期間が1ミリ秒に等しいときに、前記第1のガード期間は、前記ダウンリンクサブフレームと重なり合う請求項49に記載の方法。
【請求項５３】
半二重周波数分割複信通信方法であって、
端末のデータ処理がダウンリンクサブフレームから隣接するアップリンクサブフレームに切り替わるときに、前記端末によって、第1のガード期間を生成するステップであって、前記第1のガード期間は1ミリ秒未満であり、前記第1のガード期間は前記ダウンリンクサブフレームの最後の部分と重なり合い、前記端末は前記ダウンリンクサブフレームの最後のタイムスロットにおいて基地局によってスケジュールされない、ステップと、
前記端末によって、前記第1のガード期間におけるダウンリンク信号の受信をスキップするステップとを含む半二重周波数分割複信通信方法。
【請求項５４】
前記端末によって、第1のガード期間を生成する前記ステップは、
前記端末によって、ラウンドトリップタイムおよび第1の切り替え時間に従って前記第1のガード期間を生成するステップであって、前記第1の切り替え時間は、周波数調整時間および電力調整時間を含み、前記周波数調整時間は、前記端末の発振器によるダウンリンク周波数からアップリンク周波数への切り替えのための調整時間であり、前記電力調整時間は、前記端末により電力を0からアップリンク送信電力まで調整するための調整時間である、ステップを含む請求項53に記載の方法。
【請求項５５】
前記端末によって、ラウンドトリップタイムおよび第1の切り替え時間に従って前記第1のガード期間を生成する前記ステップは、
前記第1の切り替え時間が前記ラウンドトリップタイムに含まれる場合に、前記端末によって、前記ラウンドトリップタイムもしくは前記第1の切り替え時間を前記第1のガード期間として使用するステップ、または
前記第1の切り替え時間が前記ラウンドトリップタイムと重なり合わない場合に、前記端末によって、前記ラウンドトリップタイムと前記第1の切り替え時間とを加えて、前記第1のガード期間を取得するステップを含む請求項54に記載の方法。
【請求項５６】
半二重周波数分割複信通信方法であって、
端末のデータ処理がダウンリンクサブフレームから隣接するアップリンクサブフレームに切り替わるときに、基地局によって、前記端末によって生成された第1のガード期間が前記ダウンリンクサブフレームの最後のタイムスロットと重なり合うと決定するステップであって、前記第1のガード期間は1ミリ秒未満である、ステップと、
前記基地局によって、前記ダウンリンクサブフレームの前記最後のタイムスロットにおける前記端末のスケジューリングをスキップするステップ、または前記ダウンリンクサブフレームの前記最後のタイムスロットにおける前記端末のスケジューリング優先度を最低レベルに設定するステップとを含む半二重周波数分割複信通信方法。
【請求項５７】
基地局によって、前記端末によって生成された第1のガード期間が前記ダウンリンクサブフレームの最後のタイムスロットと重なり合うと決定する前記ステップは、
前記基地局によって、前記端末によって生成された前記第1のガード期間が0.5ミリ秒以上、1ミリ秒未満であるかどうかを決定するステップと、
もしそうであれば、前記基地局によって、前記第1のガード期間は前記ダウンリンクサブフレームの前記最後のタイムスロットと重なり合うと決定するステップとを含む請求項56に記載の方法。
【請求項５８】
半二重周波数分割複信通信方法であって、
端末のデータ処理がアップリンクサブフレームから隣接するダウンリンクサブフレームに切り替わるときに、前記端末によって、第2のガード期間を生成するステップと、
前記端末によって、第2のガード期間内では信号の処理をスキップするステップ、または前記端末によって、前記第2のガード期間が配置されているサブフレームにおける信号の処理をスキップするステップとを含む半二重周波数分割複信通信方法。
【請求項５９】
前記端末によって、第2のガード期間を生成する前記ステップは、
前記端末によって、前記ダウンリンクサブフレームが、前記端末に送信される物理ハイブリッド自動再送要求インジケータチャネルPHICH情報を含むかどうかを決定するステップと、
前記ダウンリンクサブフレームが、前記端末に送信される前記PHICH情報を含む場合に、前記端末によって、前記第2のガード期間を生成するステップであって、前記第2のガード期間は前記アップリンクサブフレームと重なり合う、ステップ、または
前記ダウンリンクサブフレームが、前記端末に送信される前記PHICH情報を含まない場合に、前記端末によって、前記第2のガード期間を生成するステップであって、前記第2のガード期間は前記ダウンリンクサブフレームと重なり合う、ステップとを含む請求項58に記載の方法。
【請求項６０】
前記端末によって、第2のガード期間を生成する前記ステップは、
前記端末によって、前記アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定するステップと、
前記アップリンクサブフレームが前記アップリンク信号のうちのどれか1つを含む場合に、前記端末によって、前記第2のガード期間を生成するステップであって、前記第2のガード期間は前記ダウンリンクサブフレームと重なり合う、ステップ、または
前記アップリンクサブフレームが前記アップリンク信号のうちのどの1つも含まない場合に、前記端末によって、前記第2のガード期間を生成するステップであって、前記第2のガード期間は前記アップリンクサブフレームと重なり合う、ステップとを含む請求項58に記載の方法。
【請求項６１】
前記第2のガード期間は1ミリ秒未満であり、前記第2のガード期間は前記ダウンリンクサブフレームの最初の部分と重なり合い、前記ダウンリンクサブフレームの前記最初の部分は、前記第2のガード期間と前記ダウンリンクサブフレームとの間の重なり合う部分であり、
前記端末によって、前記第2のガード期間内では信号の処理をスキップする前記ステップは、
前記端末によって、前記ダウンリンクサブフレームの前記最初の部分におけるダウンリンク信号の受信をスキップするステップを含み、
前記端末によって、前記第2のガード期間が配置されているサブフレームにおける信号の処理をスキップする前記ステップは、
前記端末によって、前記ダウンリンクサブフレームにおけるダウンリンク信号の受信をスキップするステップを含む請求項58から60のいずれか一項に記載の方法。
【請求項６２】
前記第2のガード期間は1ミリ秒未満であり、前記第2のガード期間は前記アップリンクサブフレームの最後の部分と重なり合い、前記アップリンクサブフレームの前記最後の部分は、前記第2のガード期間と前記アップリンクサブフレームとの間の重なり合う部分であり、
前記端末によって、前記第2のガード期間内では信号の処理をスキップする前記ステップは、
前記端末によって、前記アップリンクサブフレームの前記最後の部分におけるアップリンク信号の送信をスキップするステップを含み、
前記端末によって、前記第2のガード期間が配置されているサブフレームにおける信号の処理をスキップする前記ステップは、
前記端末によって、前記アップリンクサブフレームにおけるアップリンク信号の送信をスキップするステップを含む請求項58から60のいずれか一項に記載の方法。
【請求項６３】
前記第2のガード期間は1ミリ秒に等しく、前記第2のガード期間は前記ダウンリンクサブフレームと重なり合い、
前記端末によって、前記第2のガード期間内では信号の処理をスキップする前記ステップは、
前記端末によって、前記ダウンリンクサブフレームにおけるダウンリンク信号の受信をスキップするステップを含み、
前記端末によって、前記第2のガード期間が配置されているサブフレームにおける信号の処理をスキップする前記ステップは、
前記端末によって、前記ダウンリンクサブフレームにおけるダウンリンク信号の受信をスキップするステップを含む請求項58から60のいずれか一項に記載の方法。
【請求項６４】
前記第2のガード期間は1ミリ秒に等しく、前記第2のガード期間は前記アップリンクサブフレームと重なり合い、
前記端末によって、前記第2のガード期間内では信号の処理をスキップする前記ステップは、
前記端末によって、前記アップリンクサブフレームにおけるアップリンク信号の送信をスキップするステップを含み、
前記端末によって、前記第2のガード期間が配置されているサブフレームにおける信号の処理をスキップする前記ステップは、
前記端末によって、前記アップリンクサブフレームにおけるアップリンク信号の送信をスキップするステップを含む請求項58から60のいずれか一項に記載の方法。
【請求項６５】
前記端末は、前記第2のガード期間において基地局によってスケジュールされない、または前記端末は、前記第2のガード期間が配置されているサブフレームにおいて基地局によってスケジュールされない請求項58から64のいずれか一項に記載の方法。
【請求項６６】
前記ダウンリンク信号は、物理ダウンリンク制御チャネルPDCCH信号、拡張物理ダウンリンク制御チャネルEPDCCH信号、セル特有の基準信号、マルチメディアブロードキャストマルチキャストサービス単一周波数ネットワークMBSFN信号、サービスデータ信号、物理ハイブリッド自動再送要求インジケータチャネルPHICH信号、および物理制御フォーマットインジケータチャネルPCFICH信号のうちの1つまたは複数を含む請求項61または63に記載の方法。
【請求項６７】
前記第2のガード期間が前記ダウンリンクサブフレームの前記最初の部分と重なり合うときに、前記端末が、前記ダウンリンクサブフレームにおいて拡張物理ダウンリンク制御チャネルEPDCCH信号を受信するように前記基地局によって構成されている場合、前記端末によって、前記ダウンリンクサブフレームの前記最初の部分におけるダウンリンク信号の受信をスキップする前記ステップは、
前記端末によって、前記ダウンリンクサブフレームの前記最初の部分における前記EPDCCH信号または前記ダウンリンク信号の受信をスキップするステップを含む請求項61に記載の方法。
【請求項６８】
前記第2のガード期間が前記ダウンリンクサブフレームの前記最初の部分と重なり合うときに、前記端末が、前記ダウンリンクサブフレームにおいて拡張物理ダウンリンク制御チャネルEPDCCH信号を受信するように前記基地局によって構成されている場合、前記端末によって、前記ダウンリンクサブフレームの前記最初の部分におけるダウンリンク信号の受信をスキップする前記ステップは、
端末によって、第2のガード期間がEPDCCH信号の受信時間と重なり合うかどうかを決定するステップと、
前記第2のガード期間が前記EPDCCH信号の前記受信時間と重なり合う場合に、前記端末によって、前記ダウンリンクサブフレームにおける前記EPDCCH信号もしくは前記ダウンリンク信号の受信をスキップするステップ、または
前記第2のガード期間が前記EPDCCH信号の前記受信時間と重なり合わない場合に、前記端末によって、前記ダウンリンクサブフレームの前記最初の部分における前記EPDCCH信号もしくは前記ダウンリンク信号の受信をスキップするステップとを含む請求項61に記載の方法。
【請求項６９】
前記第2のガード期間が前記ダウンリンクサブフレームの前記最初の部分と重なり合うときに、前記端末が、前記ダウンリンクサブフレームにおいてマルチメディアブロードキャストマルチキャストサービス単一周波数ネットワークMBSFN信号を受信するように前記基地局によって構成されている場合、前記端末によって、前記ダウンリンクサブフレームの前記最初の部分におけるダウンリンク信号の受信をスキップする前記ステップは、
前記端末によって、前記ダウンリンクサブフレームの前記最初の部分における前記MBSFN信号もしくは前記ダウンリンク信号の受信をスキップするステップを含む請求項61に記載の方法。
【請求項７０】
前記第2のガード期間が前記ダウンリンクサブフレームの前記最初の部分と重なり合うときに、前記端末が、前記ダウンリンクサブフレームにおいてマルチメディアブロードキャストマルチキャストサービス単一周波数ネットワークMBSFN信号を受信するように前記基地局によって構成されている場合、前記端末によって、前記ダウンリンクサブフレームの前記最初の部分におけるダウンリンク信号の受信をスキップする前記ステップは、
前記端末によって、前記第2のガード期間が前記MBSFN信号の受信時間と重なり合うかどうかを決定するステップと、
前記第2のガード期間が前記MBSFN信号の前記受信時間と重なり合う場合に、前記端末によって、前記ダウンリンクサブフレームにおける前記MBSFN信号もしくは前記ダウンリンク信号の受信をスキップするステップ、または
前記第2のガード期間が前記MBSFN信号の前記受信時間と重なり合わない場合に、前記端末によって、前記ダウンリンクサブフレームの前記最初の部分における前記MBSFN信号もしくは前記ダウンリンク信号の受信をスキップするステップとを含む請求項61に記載の方法。
【請求項７１】
前記第2のガード期間が前記ダウンリンクサブフレームの前記最初の部分と重なり合うときに、前記端末が、前記ダウンリンクサブフレームにおいて物理ダウンリンク共有チャネルPDSCH信号を受信するように前記基地局によって構成されている場合、前記端末によって、前記ダウンリンクサブフレームの前記最初の部分におけるダウンリンク信号の受信をスキップする前記ステップは、
前記端末によって、前記PDSCH信号に対応する物理ダウンリンク制御チャネルPDCCH信号が、前記ダウンリンクサブフレームに含まれるかどうかを決定するステップと、
前記PDCCH信号が前記ダウンリンクサブフレームに含まれる場合に、前記端末によって、前記ダウンリンクサブフレームにおける前記PDSCH信号もしくは前記ダウンリンク信号の受信をスキップするステップ、または
前記PDCCH信号が前記ダウンリンクサブフレームに含まれない場合に、前記端末によって、前記ダウンリンクサブフレームの前記最初の部分における前記PDSCH信号もしくは前記ダウンリンク信号の受信をスキップするステップとを含む請求項61に記載の方法。
【請求項７２】
前記端末が、前記ダウンリンクサブフレームの前記最初の部分におけるダウンリンク信号の受信をスキップする、または前記ダウンリンクサブフレームにおけるダウンリンク信号の受信をスキップするときに、前記ダウンリンクサブフレームが、前記端末に送信される前記PHICH情報を含む場合に、前記端末は、前記ダウンリンクサブフレームの後の第Nのダウンリンクサブフレームにおいて、前記端末に送信された前記PHICH情報を受信し、Nは、1以上の正整数である請求項61または63に記載の方法。
【請求項７３】
前記端末によって、第2のガード期間を生成する前記ステップは、
前記端末によって、ラウンドトリップタイムおよび第2の切り替え時間に従って前記第2のガード期間を生成するステップであって、前記第2の切り替え時間は、周波数調整時間および電力調整時間を含み、前記周波数調整時間は、前記端末の発振器によるアップリンク周波数からダウンリンク周波数への切り替えのための調整時間であり、前記電力調整時間は、前記端末のダウンリンク電力を0から送信電力まで調整するための調整時間である、ステップを含む請求項58から72のいずれか一項に記載の方法。
【請求項７４】
前記第2の切り替え時間が、前記ラウンドトリップタイムよりも長い場合に、前記端末によって、ラウンドトリップタイムおよび第2の切り替え時間に従って前記第2のガード期間を生成する前記ステップは、
前記端末によって、前記ラウンドトリップタイムを前記第2の切り替え時間から差し引き、前記第2のガード期間を取得するステップを含む請求項73に記載の方法。
【請求項７５】
半二重周波数分割複信通信方法であって、
端末のデータ処理がアップリンクサブフレームから隣接するダウンリンクサブフレームに切り替わるときに、基地局によって、前記端末によって生成された第2のガード期間を決定するステップと、
前記基地局によって、前記第2のガード期間もしくは前記第2のガード期間が配置されるサブフレームにおける前記端末のスケジューリングをスキップするステップ、または、前記基地局によって、前記第2のガード期間もしくは前記第2のガード期間が配置されるサブフレームにおいて前記端末のスケジューリング優先度を最低レベルに設定するステップとを含む半二重周波数分割複信通信方法。
【請求項７６】
前記基地局によって、前記端末によって生成された第2のガード期間を決定する前記ステップは、
前記基地局によって、前記ダウンリンクサブフレームが、前記端末に送信される物理ハイブリッド自動再送要求インジケータチャネルPHICH情報を含むかどうかを決定するステップと、
前記ダウンリンクサブフレームが、前記端末に送信される前記PHICH情報を含む場合に、前記基地局によって、前記第2のガード期間が前記アップリンクサブフレームと重なり合うと決定するステップ、または
前記ダウンリンクサブフレームが、前記端末に送信される前記PHICH情報を含まない場合に、前記基地局によって、前記第2のガード期間が前記ダウンリンクサブフレームと重なり合うと決定するステップとを含み、
前記基地局によって、前記第2のガード期間もしくは前記第2のガード期間が配置されるサブフレームにおける前記端末のスケジューリングをスキップする前記ステップ、または、前記基地局によって、前記第2のガード期間もしくは前記第2のガード期間が配置されるサブフレームにおいて前記端末のスケジューリング優先度を最低レベルに設定する前記ステップは、
前記第2のガード期間が前記アップリンクサブフレームと重なり合う場合に、前記基地局によって、前記アップリンクサブフレームの最後の部分における、もしくは前記アップリンクサブフレームにおける前記端末のスケジューリングをスキップする、または前記アップリンクサブフレームの最後の部分における、もしくは前記アップリンクサブフレームにおける前記端末のスケジューリング優先度を最低レベルに設定するステップであって、前記アップリンクサブフレームの前記最後の部分は、前記第2のガード期間と前記アップリンクサブフレームとの間の重なり合う部分である、ステップ、または
前記第2のガード期間が前記ダウンリンクサブフレームと重なり合う場合に、前記基地局によって、前記ダウンリンクサブフレームの最初の部分における、もしくは前記ダウンリンクサブフレームにおける前記端末のスケジューリングをスキップする、または前記ダウンリンクサブフレームの最初の部分における、もしくは前記ダウンリンクサブフレームにおける前記端末のスケジューリング優先度を最低レベルに設定するステップであって、前記ダウンリンクサブフレームの前記最初の部分は、前記第2のガード期間と前記ダウンリンクサブフレームとの間の重なり合う部分である、ステップを含む請求項75に記載の方法。
【請求項７７】
前記基地局によって、前記端末によって生成された第2のガード期間を決定する前記ステップは、
前記基地局によって、前記アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定するステップと、
前記アップリンクサブフレームが前記アップリンク信号のうちのどれか1つを含む場合に、前記基地局によって、前記第2のガード期間が前記ダウンリンクサブフレームと重なり合うと決定するステップ、または
前記アップリンクサブフレームが前記アップリンク信号のうちのどの1つも含まない場合に、前記基地局によって、前記第2のガード期間が前記アップリンクサブフレームと重なり合うと決定するステップとを含み、
前記基地局によって、前記第2のガード期間もしくは前記第2のガード期間が配置されるサブフレームにおける前記端末のスケジューリングをスキップする前記ステップ、または、前記基地局によって、前記第2のガード期間もしくは前記第2のガード期間が配置されるサブフレームにおいて前記端末のスケジューリング優先度を最低レベルに設定する前記ステップは、
前記第2のガード期間が前記アップリンクサブフレームと重なり合う場合に、前記基地局によって、前記アップリンクサブフレームの最後の部分における、もしくは前記アップリンクサブフレームにおける前記端末のスケジューリングをスキップする、または前記アップリンクサブフレームの最後の部分における、もしくは前記アップリンクサブフレームにおける前記端末のスケジューリング優先度を最低レベルに設定するステップであって、前記アップリンクサブフレームの前記最後の部分は、前記第2のガード期間と前記アップリンクサブフレームとの間の重なり合う部分である、ステップ、または
前記第2のガード期間が前記ダウンリンクサブフレームと重なり合う場合に、前記基地局によって、前記ダウンリンクサブフレームの最初の部分における、もしくは前記ダウンリンクサブフレームにおける前記端末のスケジューリングをスキップする、または前記ダウンリンクサブフレームの最初の部分における、もしくは前記ダウンリンクサブフレームにおける前記端末のスケジューリング優先度を最低レベルに設定するステップであって、前記ダウンリンクサブフレームの前記最初の部分は、前記第2のガード期間と前記ダウンリンクサブフレームとの間の重なり合う部分である、ステップを含む請求項75に記載の方法。
【請求項７８】
前記基地局が前記ダウンリンクサブフレームの前記最初の部分における、もしくは前記ダウンリンクサブフレームにおける前記端末のスケジューリングをスキップする、または前記ダウンリンクサブフレームの前記最初の部分における、もしくは前記ダウンリンクサブフレームにおける前記端末の前記スケジューリング優先度を前記最低レベルに設定するときに、前記ダウンリンクサブフレームが、前記端末に送信される前記PHICH情報を含む場合、前記基地局は、前記ダウンリンクサブフレームの後の第Nのダウンリンクサブフレームにおいて、前記端末に前記PHICH情報を送信し、Nは、1以上の正整数である請求項76または77に記載の方法。
【発明の詳細な説明】
【技術分野】
【０００１】
本発明の実施形態は、通信技術に関するものであり、特に、半二重周波数分割複信(Frequency Division Duplex、略してFDD)通信方法、基地局、および端末に関するものである。
【背景技術】
【０００２】
半二重FDD動作のための第三世代パートナーシッププロジェクト(3rd Generation Partnership Project、略して3GPP)のロングタームエボリューション(Long Term Evolution、略してLTE)システムでは、ダウンリンクからアップリンクへの切り替え時に、端末は、ガード期間(Guard period、略してGP)を生成し、このガード期間において、端末は、ガード期間と重なり合うダウンリンクサブフレームの最後の部分のデータを受信しない。しかしながら、ガード期間も対応する端末の挙動も、アップリンクからダウンリンクへの切り替えに対して定義されていない。
【０００３】
半二重FDD端末の低複雑度および低コストを実現するために、半二重FDD端末が発振器を使用してダウンリンク受信周波数およびアップリンク送信周波数を維持するときに、FDDシステムはアップリンクとダウンリンクとで異なる周波数で動作するので、端末がダウンリンクからアップリンクに切り替わったときに、発振器は、周波数をダウンリンク周波数からアップリンク周波数に切り替える必要がある。端末が、アップリンクからダウンリンクに切り替わるときに、発振器は、周波数をアップリンク周波数からダウンリンク周波数に切り替える必要がある。
【０００４】
しかしながら、発振器が、周波数チャネル番号を切り替えるときに、発振器が切り替えを実行した瞬間から発振器が安定する瞬間までに調整時間が必要とされ、その一方で、調整時間は、端末のアップリンクからダウンリンクへの切り替えまたはダウンリンクからアップリンクへの切り替えのためにガード期間の変更を引き起こし、ガード期間がそれに応じて変更されない場合、端末の通常のデータ送信および受信は、影響を受ける。したがって、新しい端末の挙動が定義される必要がある。
【発明の概要】
【課題を解決するための手段】
【０００５】
本発明の実施形態は、半二重周波数分割複信通信方法、基地局、および端末を実現し、それにより、半二重FDD端末の性能およびネットワーク側の性能を確実にする。
【０００６】
本発明の第1の態様は、端末を実現し、この端末は、
生成モジュールであって、端末のデータ処理がダウンリンクサブフレームから隣接するアップリンクサブフレームに切り替わるときに、第1のガード期間を生成し、第1のガード期間は1ミリ秒以上である、ように構成された生成モジュールと、
第1のガード期間内では信号の処理をスキップするように構成された処理モジュールとを備える。
【０００７】
本発明の第1の態様の第1の可能な実装方式において、第1のガード期間が1ミリ秒を超えるときに、第1のガード期間は、ダウンリンクサブフレームおよびダウンリンクサブフレームの直前の第1のダウンリンクサブフレームの最後の部分と重なり合い、
処理モジュールは、ダウンリンクサブフレームおよび第1のダウンリンクサブフレームの最後の部分におけるダウンリンク信号の受信をスキップするように特に構成される。
【０００８】
本発明の第1の態様の第2の可能な実装方式において、第1のガード期間が1ミリ秒を超えるときに、第1のガード期間は、ダウンリンクサブフレームおよびダウンリンクサブフレームの直前のアップリンクサブフレームの最後の部分と重なり合い、
処理モジュールは、ダウンリンクサブフレームにおけるダウンリンク信号の受信をスキップし、ダウンリンクサブフレームの直前のアップリンクサブフレームの最後の部分におけるアップリンク信号の送信をスキップするように特に構成される。
【０００９】
本発明の第1の態様の第3の可能な実装方式において、第1のガード期間が1ミリ秒に等しいときに、第1のガード期間は、ダウンリンクサブフレームと重なり合い、処理モジュールは、
ダウンリンクサブフレームにおけるダウンリンク信号の受信をスキップするように特に構成される。
【００１０】
本発明の第1の態様および第1の態様の第1から第3までの可能な実装方式に関して、本発明の第1の態様の第4の可能な実装方式において、生成モジュールは、
ラウンドトリップタイムおよび第1の切り替え時間に従って第1のガード期間を生成するように特に構成され、第1の切り替え時間は、周波数調整時間および電力調整時間を含み、周波数調整時間は、端末の発振器によるダウンリンク周波数からアップリンク周波数への切り替えのための調整時間であり、電力調整時間は、端末により電力を0からアップリンク送信電力まで調整するための調整時間である。
【００１１】
本発明の第1の態様の第5の可能な実装方式において、第1のガード期間は、ラウンドトリップタイムと第1の切り替え時間との総和以下である。
【００１２】
本発明の第1の態様の第6の可能な実装方式において、生成モジュールは、ラウンドトリップタイムおよび第1の切り替え時間を追加し、第1のガード期間を取得するように特に構成される。
【００１３】
本発明の第1の態様および第1の態様の第1から第6までの可能な実装方式に関して、本発明の第1の態様の第7の可能な実装方式において、端末は、ダウンリンクサブフレームにおいて基地局によってスケジュールされない。
【００１４】
本発明の第2の態様は、基地局を実現するものであり、これは
決定モジュールであって、端末のデータ処理がダウンリンクサブフレームから隣接するアップリンクサブフレームに切り替わるときに、端末によって生成された第1のガード期間がダウンリンクサブフレームと重なり合うと決定し、第1のガード期間は1ミリ秒以上である、ように構成された決定モジュールと、
スケジューリング構成モジュールであって、ダウンリンクサブフレームにおける端末のスケジューリングをスキップするように基地局を構成する、またはダウンリンクサブフレームにおける端末のスケジューリング優先度を最低レベルに設定する、ように構成されたスケジューリング構成モジュールとを備える。
【００１５】
本発明の第2の態様の第1の可能な実装方式において、決定モジュールは、
端末によって生成された第1のガード期間が1ミリ秒以上であるかどうかを決定し、
もしそうであれば、第1のガード期間はダウンリンクサブフレームと重なり合うと決定するように特に構成される。
【００１６】
本発明の第2の態様の第2の可能な実装方式において、第1のガード期間が1ミリ秒を超えるときに、第1のガード期間は、ダウンリンクサブフレームおよびダウンリンクサブフレームの直前の第1のダウンリンクサブフレームの最後の部分と重なり合う。
【００１７】
本発明の第2の態様の第3の可能な実装方式において、第1のガード期間が1ミリ秒を超えるときに、第1のガード期間は、ダウンリンクサブフレームおよびダウンリンクサブフレームの直前のアップリンクサブフレームの最後の部分と重なり合う。
【００１８】
本発明の第2の態様の第4の可能な実装方式において、第1のガード期間が1ミリ秒に等しいときに、第1のガード期間は、ダウンリンクサブフレームと重なり合う。
【００１９】
本発明の第3の態様は、端末を実現し、この端末は、
生成モジュールであって、端末のデータ処理がダウンリンクサブフレームから隣接するアップリンクサブフレームに切り替わるときに、第1のガード期間を生成し、第1のガード期間は1ミリ秒未満であり、第1のガード期間はダウンリンクサブフレームの最後の部分と重なり合い、端末はダウンリンクサブフレームの最後のタイムスロットにおいて基地局によってスケジュールされない、ように構成された生成モジュールと、
第1のガード期間内ではダウンリンク信号の受信をスキップするように構成された処理モジュールとを備える。
【００２０】
本発明の第3の態様の第1の可能な実装方式において、生成モジュールは、
ラウンドトリップタイムおよび第1の切り替え時間に従って第1のガード期間を生成するように特に構成され、第1の切り替え時間は、周波数調整時間および電力調整時間を含み、周波数調整時間は、端末の発振器によるダウンリンク周波数からアップリンク周波数への切り替えのための調整時間であり、電力調整時間は、端末により電力を0からアップリンク送信電力まで調整するための調整時間である。
【００２１】
本発明の第3の態様の第2の可能な実装方式において、生成モジュールは、
第1の切り替え時間がラウンドトリップタイムに含まれる場合に、ラウンドトリップタイムまたは第1の切り替え時間を第1のガード期間として使用する、または
第1の切り替え時間がラウンドトリップタイムと重なり合わない場合に、ラウンドトリップタイムと第1の切り替え時間とを加えて、第1のガード期間を取得するように特に構成される。
【００２２】
本発明の第4の態様は、基地局を実現するものであり、これは
決定モジュールであって、端末のデータ処理がダウンリンクサブフレームから隣接するアップリンクサブフレームに切り替わるときに、端末によって生成された第1のガード期間がダウンリンクサブフレームの最後のタイムスロットと重なり合うと決定し、第1のガード期間は1ミリ秒未満である、ように構成された決定モジュールと、
スケジューリング構成モジュールであって、ダウンリンクサブフレームの最後のタイムスロットにおける端末のスケジューリングをスキップするように基地局を構成する、またはダウンリンクサブフレームの最後のタイムスロットにおける端末のスケジューリング優先度を最低レベルに設定する、ように構成されたスケジューリング構成モジュールとを備える。
【００２３】
本発明の第4の態様の第1の可能な実装方式において、決定モジュールは、
端末によって生成された第1のガード期間が0.5ミリ秒以上、1ミリ秒未満であるかどうかを決定し、
もしそうであれば、第1のガード期間はダウンリンクサブフレームの最後のタイムスロットと重なり合うと決定するように特に構成される。
【００２４】
本発明の第5の態様は、端末を実現し、この端末は、
生成モジュールであって、端末のデータ処理がアップリンクサブフレームから隣接するダウンリンクサブフレームに切り替わるときに、第2のガード期間を生成するように構成された生成モジュールと、
処理モジュールであって、第2のガード期間における任意の信号の処理をスキップするように構成された、または第2のガード期間が配置されるサブフレームにおける任意の信号の処理をスキップするように構成された処理モジュールとを備える。
【００２５】
本発明の第5の態様の第1の可能な実装方式において、生成モジュールは、
端末のデータ処理がアップリンクサブフレームから隣接するダウンリンクサブフレームに切り替わるときに、ダウンリンクサブフレームが、端末に送信される物理ハイブリッド自動再送要求インジケータチャネルPHICH情報を含むかどうかを決定し、
ダウンリンクサブフレームが、端末に送信されるPHICH情報を含む場合に、第2のガード期間を生成し、第2のガード期間はアップリンクサブフレームと重なり合う、または
ダウンリンクサブフレームが、端末に送信されるPHICH情報を含まない場合に、第2のガード期間を生成し、第2のガード期間はダウンリンクサブフレームと重なり合う、ように特に構成される。
【００２６】
本発明の第5の態様の第2の可能な実装方式において、生成モジュールは、
端末のデータ処理がアップリンクサブフレームから隣接するダウンリンクサブフレームに切り替わるときに、アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定し、
アップリンクサブフレームがこれらのアップリンク信号のうちのどれか1つを含む場合に、第2のガード期間を生成し、第2のガード期間はダウンリンクサブフレームと重なり合う、または
アップリンクサブフレームがこれらのアップリンク信号のうちのどの1つも含まない場合に、第2のガード期間を生成し、第2のガード期間はアップリンクサブフレームと重なり合う、ように特に構成される。
【００２７】
本発明の第5の態様および第5の態様の第1および第2の可能な実装方式に関して、本発明の第5の態様の第3の可能な実装方式において、第2のガード期間は1ミリ秒未満であり、第2のガード期間はダウンリンクサブフレームの最初の部分と重なり合い、ダウンリンクサブフレームの最初の部分は、第2のガード期間とダウンリンクサブフレームとの間の重なり合う部分であり、処理モジュールは、
ダウンリンクサブフレームの最初の部分におけるダウンリンク信号の受信をスキップする、またはダウンリンクサブフレームにおけるダウンリンク信号の受信をスキップするように特に構成される。
【００２８】
本発明の第5の態様および第5の態様の第1および第2の可能な実装方式に関して、本発明の第5の態様の第4の可能な実装方式において、第2のガード期間は1ミリ秒未満であり、第2のガード期間はアップリンクサブフレームの最後の部分と重なり合い、アップリンクサブフレームの最後の部分は、第2のガード期間とアップリンクサブフレームとの間の重なり合う部分であり、処理モジュールは、
アップリンクサブフレームの最後の部分におけるアップリンク信号の送信をスキップする、またはアップリンクサブフレームにおけるアップリンク信号の送信をスキップするように特に構成される。
【００２９】
本発明の第5の態様および第5の態様の第1および第2の可能な実装方式に関して、本発明の第5の態様の第5の可能な実装方式において、第2のガード期間は1ミリ秒に等しく、第2のガード期間はダウンリンクサブフレームと重なり合い、処理モジュールは、
ダウンリンクサブフレームにおけるダウンリンク信号の受信をスキップするように特に構成される。
【００３０】
本発明の第5の態様および第5の態様の第1および第2の可能な実装方式に関して、本発明の第5の態様の第6の可能な実装方式において、第2のガード期間は1ミリ秒に等しく、第2のガード期間はアップリンクサブフレームと重なり合い、処理モジュールは、
アップリンクサブフレームにおけるアップリンク信号の送信をスキップするように特に構成される。
【００３１】
本発明の第5の態様および第5の態様の第1から第6までの可能な実装方式に関して、本発明の第5の態様の第7の可能な実装方式において、端末は、第2のガード期間において基地局によってスケジュールされない、または端末は、第2のガード期間が配置されているサブフレームにおいて基地局によってスケジュールされない。
【００３２】
本発明の第5の態様の第3または第5の可能な実装方式に関して、本発明の第5の態様の第8の可能な実装方式において、ダウンリンク信号は、物理ダウンリンク制御チャネルPDCCH信号、拡張物理ダウンリンク制御チャネルEPDCCH信号、セル特有の基準信号、マルチメディアブロードキャストマルチキャストサービス単一周波数ネットワークMBSFN信号、サービスデータ信号、物理ハイブリッド自動再送要求インジケータチャネルPHICH信号、および物理制御フォーマットインジケータチャネルPCFICH信号のうちの1つまたは複数を含む。
【００３３】
本発明の第5の態様の第9の可能な実装方式において、第2のガード期間がダウンリンクサブフレームの最初の部分と重なり合うときに、端末が、ダウンリンクサブフレームにおいて拡張物理ダウンリンク制御チャネルEPDCCH信号を受信するように基地局によって構成されている場合、処理モジュールは、
ダウンリンクサブフレームの最初の部分におけるEPDCCH信号またはダウンリンク信号の受信をスキップするように特に構成される。
【００３４】
本発明の第5の態様の第10の可能な実装方式において、第2のガード期間がダウンリンクサブフレームの最初の部分と重なり合うときに、端末が、ダウンリンクサブフレームにおいて拡張物理ダウンリンク制御チャネルEPDCCH信号を受信するように基地局によって構成されている場合、処理モジュールは、
第2のガード期間がEPDCCH信号の受信時間と重なり合うかどうかを決定し、
第2のガード期間がEPDCCH信号の受信時間と重なり合う場合に、ダウンリンクサブフレームにおけるEPDCCH信号もしくはダウンリンク信号の受信をスキップする、または
第2のガード期間がEPDCCH信号の受信時間と重なり合わない場合に、ダウンリンクサブフレームの最初の部分におけるEPDCCH信号もしくはダウンリンク信号の受信をスキップするように特に構成される。
【００３５】
本発明の第5の態様の第11の可能な実装方式において、第2のガード期間がダウンリンクサブフレームの最初の部分と重なり合うときに、端末が、ダウンリンクサブフレームにおいてマルチメディアブロードキャストマルチキャストサービス単一周波数ネットワークMBSFN信号を受信するように基地局によって構成されている場合、処理モジュールは、
ダウンリンクサブフレームの最初の部分におけるMBSFN信号またはダウンリンク信号の受信をスキップするように特に構成される。
【００３６】
本発明の第5の態様の第12の可能な実装方式において、第2のガード期間がダウンリンクサブフレームの最初の部分と重なり合うときに、端末が、ダウンリンクサブフレームにおいてマルチメディアブロードキャストマルチキャストサービス単一周波数ネットワークMBSFN信号を受信するように基地局によって構成されている場合、処理モジュールは、
第2のガード期間がMBSFN信号の受信時間と重なり合うかどうかを決定し、
第2のガード期間がMBSFN信号の受信時間と重なり合う場合に、ダウンリンクサブフレームにおけるMBSFN信号もしくはダウンリンク信号の受信をスキップする、または
第2のガード期間がMBSFN信号の受信時間と重なり合わない場合に、ダウンリンクサブフレームの最初の部分におけるMBSFN信号もしくはダウンリンク信号の受信をスキップするように特に構成される。
【００３７】
本発明の第5の態様の第13の可能な実装方式において、第2のガード期間がダウンリンクサブフレームの最初の部分と重なり合うときに、端末が、ダウンリンクサブフレームにおいて物理ダウンリンク共有チャネルPDSCH信号を受信するように基地局によって構成されている場合、処理モジュールは、
PDSCH信号に対応する物理ダウンリンク制御チャネルPDCCH信号が、ダウンリンクサブフレームに含まれるかどうかを決定し、
PDCCH信号がダウンリンクサブフレームに含まれる場合に、ダウンリンクサブフレームにおけるPDSCH信号もしくはダウンリンク信号の受信をスキップする、または
PDCCH信号がダウンリンクサブフレームに含まれない場合に、ダウンリンクサブフレームの最初の部分におけるPDSCH信号もしくはダウンリンク信号の受信をスキップするように特に構成される。
【００３８】
本発明の第5の態様の第3または第5の可能な実装方式に関して、本発明の第5の態様の第14の可能な実装方式において、端末が、ダウンリンクサブフレームの最初の部分におけるダウンリンク信号の受信をスキップする、またはダウンリンクサブフレームにおけるダウンリンク信号の受信をスキップするときに、ダウンリンクサブフレームが、端末に送信されるPHICH情報を含む場合、端末は、ダウンリンクサブフレームの後の第Nのダウンリンクサブフレームにおいて、端末に送信されたPHICH情報を受信し、Nは、1以上の正整数である。
【００３９】
本発明の第5の態様および第5の態様の第1から第14までの可能な実装方式に関して、本発明の第5の態様の第15の可能な実装方式において、生成モジュールは、
ラウンドトリップタイムおよび第2の切り替え時間に従って第2のガード期間を生成するように特に構成され、第2の切り替え時間は、周波数調整時間および電力調整時間を含み、周波数調整時間は、端末の発振器によるアップリンク周波数からダウンリンク周波数への切り替えのための調整時間であり、電力調整時間は、端末のダウンリンク電力を0から送信電力まで調整するための調整時間である。
【００４０】
本発明の第5の態様の第16の可能な実装方式において、第2の切り替え時間が、ラウンドトリップタイムよりも長い場合に、生成モジュールは、
第2の切り替え時間からラウンドトリップタイムを差し引き、第2のガード期間を取得するように特に構成される。
【００４１】
本発明の第6の態様は、基地局を実現するものであり、これは
決定モジュールであって、端末のデータ処理がアップリンクサブフレームから隣接するダウンリンクサブフレームに切り替わるときに、端末によって生成された第2のガード期間を決定するように構成された決定モジュールと、
スケジューリング構成モジュールであって、第2のガード期間もしくは第2のガード期間が配置されるサブフレームにおける端末のスケジューリングをスキップするように基地局を構成する、または第2のガード期間もしくは第2のガード期間が配置されるサブフレームにおいて端末のスケジューリング優先度を最低レベルに設定するように構成されたスケジューリング構成モジュールとを備える。
【００４２】
本発明の第6の態様の第1の可能な実装方式において、決定モジュールは、
端末のデータ処理がアップリンクサブフレームから隣接するダウンリンクサブフレームに切り替わるときに、ダウンリンクサブフレームが、端末に送信される物理ハイブリッド自動再送要求インジケータチャネルPHICH情報を含むかどうかを決定し、
ダウンリンクサブフレームが、端末に送信されるPHICH情報を含む場合に、第2のガード期間がアップリンクサブフレームと重なり合うと決定する、または
ダウンリンクサブフレームが、端末に送信されるPHICH情報を含まない場合に、第2のガード期間がダウンリンクサブフレームと重なり合うと決定するように特に構成され、
スケジューリング構成モジュールは、
第2のガード期間がアップリンクサブフレームと重なり合う場合に、アップリンクサブフレームの最後の部分における、もしくはアップリンクサブフレームにおける端末のスケジューリングをスキップするように基地局を構成する、またはアップリンクサブフレームの最後の部分における、もしくはアップリンクサブフレームにおける端末のスケジューリング優先度を最低レベルに設定し、アップリンクサブフレームの最後の部分は、第2のガード期間とアップリンクサブフレームとの間の重なり合う部分である、または
第2のガード期間がダウンリンクサブフレームと重なり合う場合に、ダウンリンクサブフレームの最初の部分における、もしくはダウンリンクサブフレームにおける端末のスケジューリングをスキップするように基地局を構成する、またはダウンリンクサブフレームの最初の部分における、もしくはダウンリンクサブフレームにおける端末のスケジューリング優先度を最低レベルに設定し、ダウンリンクサブフレームの最初の部分は、第2のガード期間とダウンリンクサブフレームとの間の重なり合う部分である、ように特に構成される。
【００４３】
本発明の第6の態様の第2の可能な実装方式において、決定モジュールは、
端末のデータ処理がアップリンクサブフレームから隣接するダウンリンクサブフレームに切り替わるときに、アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定し、
アップリンクサブフレームがこれらのアップリンク信号のうちのどれか1つを含む場合に、第2のガード期間がダウンリンクサブフレームと重なり合うと決定する、または
アップリンクサブフレームがこれらのアップリンク信号のうちのどの1つも含まない場合に、第2のガード期間がアップリンクサブフレームと重なり合うと決定するように特に構成され、
スケジューリング構成モジュールは、
第2のガード期間がアップリンクサブフレームと重なり合う場合に、アップリンクサブフレームの最後の部分における、もしくはアップリンクサブフレームにおける端末のスケジューリングをスキップするように基地局を構成する、またはアップリンクサブフレームの最後の部分における、もしくはアップリンクサブフレームにおける端末のスケジューリング優先度を最低レベルに設定し、アップリンクサブフレームの最後の部分は、第2のガード期間とアップリンクサブフレームとの間の重なり合う部分である、または
第2のガード期間がダウンリンクサブフレームと重なり合う場合に、ダウンリンクサブフレームの最初の部分における、もしくはダウンリンクサブフレームにおける端末のスケジューリングをスキップするように基地局を構成する、またはダウンリンクサブフレームの最初の部分における、もしくはダウンリンクサブフレームにおける端末のスケジューリング優先度を最低レベルに設定し、ダウンリンクサブフレームの最初の部分は、第2のガード期間とダウンリンクサブフレームとの間の重なり合う部分である、ように特に構成される。
【００４４】
本発明の第6の態様の第3の可能な実装方式において、基地局がダウンリンクサブフレームの最初の部分における、もしくはダウンリンクサブフレームにおける端末のスケジューリングをスキップする、またはダウンリンクサブフレームの最初の部分における、もしくはダウンリンクサブフレームにおける端末のスケジューリング優先度を最低レベルに設定するときに、ダウンリンクサブフレームが、端末に送信されるPHICH情報を含む場合に、基地局は、ダウンリンクサブフレームの後の第Nのダウンリンクサブフレームにおいて、端末にPHICH情報を送信し、Nは、1以上の正整数である。
【００４５】
本発明の第7の態様は、半二重周波数分割複信通信方法を提供し、これは
端末のデータ処理がダウンリンクサブフレームから隣接するアップリンクサブフレームに切り替わるときに、端末によって、第1のガード期間を生成するステップであって、第1のガード期間は1ミリ秒以上である、ステップと、
端末によって、第1のガード期間内では信号の処理をスキップするステップとを含む。
【００４６】
本発明の第7の態様の第1の可能な実装方式において、第1のガード期間が1ミリ秒を超えるときに、第1のガード期間は、ダウンリンクサブフレームおよびダウンリンクサブフレームの直前の第1のダウンリンクサブフレームの最後の部分と重なり合い、端末によって、第1のガード期間内では信号の処理をスキップするステップは、
端末によって、ダウンリンクサブフレームおよび第1のダウンリンクサブフレームの最後の部分におけるダウンリンク信号の受信をスキップするステップを含む。
【００４７】
本発明の第7の態様の第2の可能な実装方式において、第1のガード期間が1ミリ秒を超えるときに、第1のガード期間は、ダウンリンクサブフレームおよびダウンリンクサブフレームの直前のアップリンクサブフレームの最後の部分と重なり合い、端末によって、第1のガード期間内では信号の処理をスキップするステップは、
端末によって、ダウンリンクサブフレームにおけるダウンリンク信号の受信をスキップするステップと、ダウンリンクサブフレームの直前のアップリンクサブフレームの最後の部分におけるアップリンク信号の送信をスキップするステップとを含む。
【００４８】
本発明の第7の態様の第3の可能な実装方式において、第1のガード期間が1ミリ秒に等しいときに、第1のガード期間は、ダウンリンクサブフレームと重なり合い、端末によって、第1のガード期間内では信号の処理をスキップするステップは、
端末によって、ダウンリンクサブフレームにおけるダウンリンク信号の受信をスキップするステップを含む。
【００４９】
本発明の第7の態様および第7の態様の第1から第3までの可能な実装方式に関して、本発明の第7の態様の第4の可能な実装方式において、端末によって、第1のガード期間を生成するステップは、
端末によって、ラウンドトリップタイムおよび第1の切り替え時間に従って第1のガード期間を生成するステップであって、第1の切り替え時間は、周波数調整時間および電力調整時間を含み、周波数調整時間は、端末の発振器によるダウンリンク周波数からアップリンク周波数への切り替えのための調整時間であり、電力調整時間は、端末により電力を0からアップリンク送信電力まで調整するための調整時間である、ステップを含む。
【００５０】
本発明の第7の態様の第5の可能な実装方式において、第1のガード期間は、ラウンドトリップタイムと第1の切り替え時間との総和以下である。
【００５１】
本発明の第7の態様の第6の可能な実装方式において、端末によって、ラウンドトリップタイムおよび第1の切り替え時間に従って第1のガード期間を生成するステップは、
端末によって、ラウンドトリップタイムおよび第1の切り替え時間を追加し、第1のガード期間を取得するステップを含む。
【００５２】
本発明の第7の態様および第7の態様の第1から第6までの可能な実装方式に関して、本発明の第7の態様の第7の可能な実装方式において、端末は、ダウンリンクサブフレームにおいて基地局によってスケジュールされない。
【００５３】
本発明の第8の態様は、半二重周波数分割複信通信方法を提供し、これは
端末のデータ処理がダウンリンクサブフレームから隣接するアップリンクサブフレームに切り替わるときに、基地局によって、端末によって生成された第1のガード期間がダウンリンクサブフレームと重なり合うと決定するステップであって、第1のガード期間は1ミリ秒以上である、ステップと、
基地局によって、ダウンリンクサブフレームにおける端末のスケジューリングをスキップするステップ、またはダウンリンクサブフレームにおける端末のスケジューリング優先度を最低レベルに設定するステップとを含む。
【００５４】
本発明の第8の態様の第1の可能な実装方式において、基地局によって、端末によって生成された第1のガード期間がダウンリンクサブフレームと重なり合うと決定するステップは、
基地局によって、端末によって生成された第1のガード期間が1ミリ秒以上であるかどうかを決定するステップと、
もしそうであれば、基地局によって、第1のガード期間はダウンリンクサブフレームと重なり合うと決定するステップとを含む。
【００５５】
本発明の第8の態様の第2の可能な実装方式において、第1のガード期間が1ミリ秒を超えるときに、第1のガード期間は、ダウンリンクサブフレームおよびダウンリンクサブフレームの直前の第1のダウンリンクサブフレームの最後の部分と重なり合う。
【００５６】
本発明の第8の態様の第3の可能な実装方式において、第1のガード期間が1ミリ秒を超えるときに、第1のガード期間は、ダウンリンクサブフレームおよびダウンリンクサブフレームの直前のアップリンクサブフレームの最後の部分と重なり合う。
【００５７】
本発明の第8の態様の第4の可能な実装方法において、第1のガード期間が1ミリ秒に等しいときに、第1のガード期間は、ダウンリンクサブフレームと重なり合う。
【００５８】
本発明の第9の態様は、半二重周波数分割複信通信方法を提供し、これは
端末のデータ処理がダウンリンクサブフレームから隣接するアップリンクサブフレームに切り替わるときに、端末によって、第1のガード期間を生成するステップであって、第1のガード期間は1ミリ秒未満であり、第1のガード期間はダウンリンクサブフレームの最後の部分と重なり合い、端末はダウンリンクサブフレームの最後のタイムスロットにおいて基地局によってスケジュールされない、ステップと、
端末によって、第1のガード期間におけるダウンリンク信号の受信をスキップするステップとを含む。
【００５９】
本発明の第9の態様の第1の可能な実装方式において、端末によって、第1のガード期間を生成するステップは、
端末によって、ラウンドトリップタイムおよび第1の切り替え時間に従って第1のガード期間を生成するステップであって、第1の切り替え時間は、周波数調整時間および電力調整時間を含み、周波数調整時間は、端末の発振器によるダウンリンク周波数からアップリンク周波数への切り替えのための調整時間であり、電力調整時間は、端末により電力を0からアップリンク送信電力まで調整するための調整時間である、ステップを含む。
【００６０】
本発明の第9の態様の第2の可能な実装方式において、端末によって、ラウンドトリップタイムおよび第1の切り替え時間に従って第1のガード期間を生成するステップは、
第1の切り替え時間がラウンドトリップタイムに含まれる場合に、端末によって、ラウンドトリップタイムもしくは第1の切り替え時間を第1のガード期間として使用するステップ、または
第1の切り替え時間がラウンドトリップタイムと重なり合わない場合に、端末によって、ラウンドトリップタイムと第1の切り替え時間とを加えて、第1のガード期間を取得するステップを含む。
【００６１】
本発明の第10の態様は、半二重周波数分割複信通信方法を提供し、これは
端末のデータ処理がダウンリンクサブフレームから隣接するアップリンクサブフレームに切り替わるときに、基地局によって、端末によって生成された第1のガード期間がダウンリンクサブフレームの最後のタイムスロットと重なり合うと決定するステップであって、第1のガード期間は1ミリ秒未満である、ステップと、
基地局によって、ダウンリンクサブフレームの最後のタイムスロットにおける端末のスケジューリングをスキップするステップ、またはダウンリンクサブフレームの最後のタイムスロットにおける端末のスケジューリング優先度を最低レベルに設定するステップとを含む。
【００６２】
本発明の第10の態様の第1の可能な実装方式において、基地局によって、端末によって生成された第1のガード期間がダウンリンクサブフレームの最後のタイムスロットと重なり合うと決定するステップは、
基地局によって、端末によって生成された第1のガード期間が0.5ミリ秒以上、1ミリ秒未満であるかどうかを決定するステップと、
もしそうであれば、基地局によって、第1のガード期間はダウンリンクサブフレームの最後のタイムスロットと重なり合うと決定するステップとを含む。
【００６３】
本発明の第11の態様は、半二重周波数分割複信通信方法を提供し、これは
端末のデータ処理がアップリンクサブフレームから隣接するダウンリンクサブフレームに切り替わるときに、端末によって、第2のガード期間を生成するステップと、
端末によって、第2のガード期間内では信号の処理をスキップするステップ、または端末によって、第2のガード期間が配置されているサブフレームにおける信号の処理をスキップするステップとを含む。
【００６４】
本発明の第11の態様の第1の可能な実装方式において、端末によって、第2のガード期間を生成するステップは、
端末によって、ダウンリンクサブフレームが、端末に送信される物理ハイブリッド自動再送要求インジケータチャネルPHICH情報を含むかどうかを決定するステップと、
ダウンリンクサブフレームが、端末に送信されるPHICH情報を含む場合に、端末によって、第2のガード期間を生成するステップであって、第2のガード期間はアップリンクサブフレームと重なり合う、ステップ、または
ダウンリンクサブフレームが、端末に送信されるPHICH情報を含まない場合に、端末によって、第2のガード期間を生成するステップであって、第2のガード期間はダウンリンクサブフレームと重なり合う、ステップとを含む。
【００６５】
本発明の第11の態様の第2の可能な実装方式において、端末によって、第2のガード期間を生成するステップは、
端末によって、アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定するステップと、
アップリンクサブフレームがこれらのアップリンク信号のうちのどれか1つを含む場合に、端末によって、第2のガード期間を生成するステップであって、第2のガード期間はダウンリンクサブフレームと重なり合う、ステップ、または
アップリンクサブフレームがこれらのアップリンク信号のうちのどの1つも含まない場合に、端末によって、第2のガード期間を生成するステップであって、第2のガード期間はアップリンクサブフレームと重なり合う、ステップとを含む。
【００６６】
本発明の第11の態様および第11の態様の第1および第2の可能な実装方式に関して、本発明の第11の態様の第3の可能な実装方式において、第2のガード期間は1ミリ秒未満であり、第2のガード期間はダウンリンクサブフレームの最初の部分と重なり合い、ダウンリンクサブフレームの最初の部分は、第2のガード期間とダウンリンクサブフレームとの間の重なり合う部分であり、端末によって、第2のガード期間内では信号の処理をスキップするステップは、
端末によって、ダウンリンクサブフレームの最初の部分におけるダウンリンク信号の受信をスキップするステップを含み、
端末によって、第2のガード期間が配置されているサブフレームにおける信号の処理をスキップするステップは、
端末によって、ダウンリンクサブフレームにおけるダウンリンク信号の受信をスキップするステップを含む。
【００６７】
本発明の第11の態様および第11の態様の第1および第2の可能な実装方式に関して、本発明の第11の態様の第4の可能な実装方式において、第2のガード期間は1ミリ秒未満であり、第2のガード期間はアップリンクサブフレームの最後の部分と重なり合い、アップリンクサブフレームの最後の部分は、第2のガード期間とアップリンクサブフレームとの間の重なり合う部分であり、端末によって、第2のガード期間内では信号の処理をスキップするステップは、
端末によって、アップリンクサブフレームの最後の部分におけるアップリンク信号の送信をスキップするステップを含み、
端末によって、第2のガード期間が配置されているサブフレームにおける信号の処理をスキップするステップは、
端末によって、アップリンクサブフレームにおけるアップリンク信号の送信をスキップするステップを含む。
【００６８】
本発明の第11の態様および第11の態様の第1および第2の可能な実装方式に関して、本発明の第11の態様の第5の可能な実装方式において、第2のガード期間は1ミリ秒に等しく、第2のガード期間はダウンリンクサブフレームと重なり合い、
端末によって、第2のガード期間内では信号の処理をスキップするステップは、
端末によって、ダウンリンクサブフレームにおけるダウンリンク信号の受信をスキップするステップを含み、
端末によって、第2のガード期間が配置されているサブフレームにおける信号の処理をスキップするステップは、
端末によって、ダウンリンクサブフレームにおけるダウンリンク信号の受信をスキップするステップを含む。
【００６９】
本発明の第11の態様および第11の態様の第1および第2の可能な実装方式に関して、本発明の第11の態様の第6の可能な実装方式において、第2のガード期間は1ミリ秒に等しく、第2のガード期間はアップリンクサブフレームと重なり合い、
端末によって、第2のガード期間内では信号の処理をスキップするステップは、
端末によって、アップリンクサブフレームにおけるアップリンク信号の送信をスキップするステップを含み、
端末によって、第2のガード期間が配置されているサブフレームにおける信号の処理をスキップするステップは、
端末によって、アップリンクサブフレームにおけるアップリンク信号の送信をスキップするステップを含む。
【００７０】
本発明の第11の態様および第11の態様の第1から第6までの可能な実装方式に関して、本発明の第11の態様の第7の可能な実装方式において、端末は、第2のガード期間において基地局によってスケジュールされない、または端末は、第2のガード期間が配置されているサブフレームにおいて基地局によってスケジュールされない。
【００７１】
本発明の第11の態様の第3または第5の可能な実装方式に関して、本発明の第11の態様の第8の可能な実装方式において、ダウンリンク信号は、物理ダウンリンク制御チャネルPDCCH信号、拡張物理ダウンリンク制御チャネルEPDCCH信号、セル特有の基準信号、マルチメディアブロードキャストマルチキャストサービス単一周波数ネットワークMBSFN信号、サービスデータ信号、物理ハイブリッド自動再送要求インジケータチャネルPHICH信号、および物理制御フォーマットインジケータチャネルPCFICH信号のうちの1つまたは複数を含む。
【００７２】
本発明の第11の態様の第9の可能な実装方式において、第2のガード期間がダウンリンクサブフレームの最初の部分と重なり合うときに、端末が、ダウンリンクサブフレームにおいて拡張物理ダウンリンク制御チャネルEPDCCH信号を受信するように基地局によって構成されている場合、端末によって、ダウンリンクサブフレームの最初の部分におけるダウンリンク信号の受信をスキップするステップは、
端末によって、ダウンリンクサブフレームの最初の部分におけるEPDCCH信号またはダウンリンク信号の受信をスキップするステップを含む。
【００７３】
本発明の第11の態様の第10の可能な実装方式において、第2のガード期間がダウンリンクサブフレームの最初の部分と重なり合うときに、端末が、ダウンリンクサブフレームにおいて拡張物理ダウンリンク制御チャネルEPDCCH信号を受信するように基地局によって構成されている場合、端末によって、ダウンリンクサブフレームの最初の部分におけるダウンリンク信号の受信をスキップするステップは、
端末によって、第2のガード期間がEPDCCH信号の受信時間と重なり合うかどうかを決定するステップと、
第2のガード期間がEPDCCH信号の受信時間と重なり合う場合に、端末によって、ダウンリンクサブフレームにおけるEPDCCH信号もしくはダウンリンク信号の受信をスキップするステップ、または
第2のガード期間がEPDCCH信号の受信時間と重なり合わない場合に、端末によって、ダウンリンクサブフレームの最初の部分におけるEPDCCH信号もしくはダウンリンク信号の受信をスキップするステップとを含む。
【００７４】
本発明の第11の態様の第11の可能な実装方式において、第2のガード期間がダウンリンクサブフレームの最初の部分と重なり合うときに、端末が、ダウンリンクサブフレームにおいてマルチメディアブロードキャストマルチキャストサービス単一周波数ネットワークMBSFN信号を受信するように基地局によって構成されている場合、端末によって、ダウンリンクサブフレームの最初の部分におけるダウンリンク信号の受信をスキップするステップは、
端末によって、ダウンリンクサブフレームの最初の部分におけるMBSFN信号もしくはダウンリンク信号の受信をスキップするステップを含む。
【００７５】
本発明の第11の態様の第12の可能な実装方式において、第2のガード期間がダウンリンクサブフレームの最初の部分と重なり合うときに、端末が、ダウンリンクサブフレームにおいてマルチメディアブロードキャストマルチキャストサービス単一周波数ネットワークMBSFN信号を受信するように基地局によって構成されている場合、端末によって、ダウンリンクサブフレームの最初の部分におけるダウンリンク信号の受信をスキップするステップは、
端末によって、第2のガード期間がMBSFN信号の受信時間と重なり合うかどうかを決定するステップと、
第2のガード期間がMBSFN信号の受信時間と重なり合う場合に、端末によって、ダウンリンクサブフレームにおけるMBSFN信号もしくはダウンリンク信号の受信をスキップするステップ、または
第2のガード期間がMBSFN信号の受信時間と重なり合わない場合に、端末によって、ダウンリンクサブフレームの最初の部分におけるMBSFN信号もしくはダウンリンク信号の受信をスキップするステップとを含む。
【００７６】
本発明の第11の態様の第13の可能な実装方式において、第2のガード期間がダウンリンクサブフレームの最初の部分と重なり合うときに、端末が、ダウンリンクサブフレームにおいて物理ダウンリンク共有チャネルPDSCH信号を受信するように基地局によって構成されている場合、端末によって、ダウンリンクサブフレームの最初の部分におけるダウンリンク信号の受信をスキップするステップは、
端末によって、PDSCH信号に対応する物理ダウンリンク制御チャネルPDCCH信号が、ダウンリンクサブフレームに含まれるかどうかを決定するステップと、
PDCCH信号がダウンリンクサブフレームに含まれる場合に、端末によって、ダウンリンクサブフレームにおけるPDSCH信号もしくはダウンリンク信号の受信をスキップするステップ、または
PDCCH信号がダウンリンクサブフレームに含まれない場合に、端末によって、ダウンリンクサブフレームの最初の部分におけるPDSCH信号もしくはダウンリンク信号の受信をスキップするステップとを含む。
【００７７】
本発明の第11の態様の第3または第5の可能な実装方式に関して、本発明の第11の態様の第14の可能な実装方式において、端末が、ダウンリンクサブフレームの最初の部分におけるダウンリンク信号の受信をスキップする、またはダウンリンクサブフレームにおけるダウンリンク信号の受信をスキップするときに、ダウンリンクサブフレームが、端末に送信されるPHICH情報を含む場合に、端末は、ダウンリンクサブフレームの後の第Nのダウンリンクサブフレームにおいて、端末に送信されたPHICH情報を受信し、Nは、1以上の正整数である。
【００７８】
本発明の第11の態様および第11の態様の第1から第14までの可能な実装方式に関して、本発明の第11の態様の第15の可能な実装方式において、端末によって、第2のガード期間を生成するステップは、
端末によって、ラウンドトリップタイムおよび第2の切り替え時間に従って第2のガード期間を生成するステップであって、第2の切り替え時間は、周波数調整時間および電力調整時間を含み、周波数調整時間は、端末の発振器によるアップリンク周波数からダウンリンク周波数への切り替えのための調整時間であり、電力調整時間は、端末のダウンリンク電力を0から送信電力まで調整するための調整時間である、ステップを含む。
【００７９】
本発明の第11の態様の第16の可能な実装方式において、第2の切り替え時間が、ラウンドトリップタイムよりも長い場合に、端末によって、ラウンドトリップタイムおよび第2の切り替え時間に従って第2のガード期間を生成するステップは、
端末によって、ラウンドトリップタイムを第2の切り替え時間から差し引き、第2のガード期間を取得するステップを含む。
【００８０】
本発明の第12の態様は、半二重周波数分割複信通信方法を提供し、これは
端末のデータ処理がアップリンクサブフレームから隣接するダウンリンクサブフレームに切り替わるときに、基地局によって、端末によって生成された第2のガード期間を決定するステップと、
基地局によって、第2のガード期間もしくは第2のガード期間が配置されるサブフレームにおける端末のスケジューリングをスキップするステップ、または、基地局によって、第2のガード期間もしくは第2のガード期間が配置されるサブフレームにおいて端末のスケジューリング優先度を最低レベルに設定するステップとを含む。
【００８１】
本発明の第12の態様の第1の可能な実装方式において、基地局によって、端末によって生成された第2のガード期間を決定するステップは、
基地局によって、ダウンリンクサブフレームが、端末に送信される物理ハイブリッド自動再送要求インジケータチャネルPHICH情報を含むかどうかを決定するステップと、
ダウンリンクサブフレームが、端末に送信されるPHICH情報を含む場合に、基地局によって、第2のガード期間がアップリンクサブフレームと重なり合うと決定するステップ、または
ダウンリンクサブフレームが、端末に送信されるPHICH情報を含まない場合に、基地局によって、第2のガード期間がダウンリンクサブフレームと重なり合うと決定するステップとを含み、
基地局によって、第2のガード期間もしくは第2のガード期間が配置されるサブフレームにおける端末のスケジューリングをスキップするステップ、または、基地局によって、第2のガード期間もしくは第2のガード期間が配置されるサブフレームにおいて端末のスケジューリング優先度を最低レベルに設定するステップは、
第2のガード期間がアップリンクサブフレームと重なり合う場合に、基地局によって、アップリンクサブフレームの最後の部分における、もしくはアップリンクサブフレームにおける端末のスケジューリングをスキップする、またはアップリンクサブフレームの最後の部分における、もしくはアップリンクサブフレームにおける端末のスケジューリング優先度を最低レベルに設定するステップであって、アップリンクサブフレームの最後の部分は、第2のガード期間とアップリンクサブフレームとの間の重なり合う部分である、ステップ、または
第2のガード期間がダウンリンクサブフレームと重なり合う場合に、基地局によって、ダウンリンクサブフレームの最初の部分における、もしくはダウンリンクサブフレームにおける端末のスケジューリングをスキップする、またはダウンリンクサブフレームの最初の部分における、もしくはダウンリンクサブフレームにおける端末のスケジューリング優先度を最低レベルに設定するステップであって、ダウンリンクサブフレームの最初の部分は、第2のガード期間とダウンリンクサブフレームとの間の重なり合う部分である、ステップを含む。
【００８２】
本発明の第12の態様の第2の可能な実装方式において、基地局によって、端末によって生成された第2のガード期間を決定するステップは、
基地局によって、アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定するステップと、
アップリンクサブフレームがこれらのアップリンク信号のうちのどれか1つを含む場合に、基地局によって、第2のガード期間がダウンリンクサブフレームと重なり合うと決定するステップ、または
アップリンクサブフレームがこれらのアップリンク信号のうちのどの1つも含まない場合に、基地局によって、第2のガード期間がアップリンクサブフレームと重なり合うと決定するステップとを含み、
基地局によって、第2のガード期間もしくは第2のガード期間が配置されるサブフレームにおける端末のスケジューリングをスキップするステップ、または、基地局によって、第2のガード期間もしくは第2のガード期間が配置されるサブフレームにおいて端末のスケジューリング優先度を最低レベルに設定するステップは、
第2のガード期間がアップリンクサブフレームと重なり合う場合に、基地局によって、アップリンクサブフレームの最後の部分における、もしくはアップリンクサブフレームにおける端末のスケジューリングをスキップする、またはアップリンクサブフレームの最後の部分における、もしくはアップリンクサブフレームにおける端末のスケジューリング優先度を最低レベルに設定するステップであって、アップリンクサブフレームの最後の部分は、第2のガード期間とアップリンクサブフレームとの間の重なり合う部分である、ステップ、または
第2のガード期間がダウンリンクサブフレームと重なり合う場合に、基地局によって、ダウンリンクサブフレームの最初の部分における、もしくはダウンリンクサブフレームにおける端末のスケジューリングをスキップする、またはダウンリンクサブフレームの最初の部分における、もしくはダウンリンクサブフレームにおける端末のスケジューリング優先度を最低レベルに設定するステップであって、ダウンリンクサブフレームの最初の部分は、第2のガード期間とダウンリンクサブフレームとの間の重なり合う部分である、ステップを含む。
【００８３】
本発明の第12の態様の第3の可能な実装方式において、基地局がダウンリンクサブフレームの最初の部分における、もしくはダウンリンクサブフレームにおける端末のスケジューリングをスキップする、またはダウンリンクサブフレームの最初の部分における、もしくはダウンリンクサブフレームにおける端末のスケジューリング優先度を最低レベルに設定するときに、ダウンリンクサブフレームが、端末に送信されるPHICH情報を含む場合、基地局は、ダウンリンクサブフレームの後の第Nのダウンリンクサブフレームにおいて、端末にPHICH情報を送信し、Nは、1以上の正整数である。
【００８４】
本発明の実施形態は、半二重周波数分割複信通信方法、基地局、および端末を実現する。端末がダウンリンクサブフレームから隣接するアップリンクサブフレームに切り替わるときに、生成モジュールは、第1のガード期間を生成し、端末が第1のガード期間内では信号を処理しないことが定義される、すなわち、端末は、第1のガード期間において、ダウンリンクデータを受信することも、アップリンク信号を送信することもせず、したがって、端末のダウンリンクからアップリンクへの切り替えプロセスにおける端末の挙動の不確実性が回避され、アップリンクサブフレームの送信の成功が保証されるものとしてよく、端末がアップリンクサブフレームからダウンリンクサブフレームに切り替わるときに、生成モジュールは、第2のガード期間を生成し、第2のガード期間はアップリンクサブフレームもしくはダウンリンクサブフレームと重なり合い、端末が第2のガード期間内では信号を処理しないことが定義され、したがって、端末のアップリンクからダウンリンクへの切り替えプロセスにおける端末の挙動の不確実性が回避される。新しい端末の挙動を定義することによって、本発明の実施形態は、ネットワークおよび端末が通常どおりにデータの送受信を行うことができることを確実にすることができる。
【００８５】
本発明の実施形態または従来技術における技術的解決方法をより明確に説明するために、以下において、実施形態または従来技術の説明に必要な添付図面を簡単に紹介する。明らかに、次の説明の添付図面は、本発明のいくつかの実施形態を示しており、および当業者であれば、創造的労力を費やすことなくこれらの添付図面から他の図面を導き出し得る。
【図面の簡単な説明】
【００８６】
【図１】本発明の実施形態1による端末の概略構造図である。
【図２】本発明の実施形態2による基地局の概略構造図である。
【図３】本発明の実施形態3による別の端末の概略構造図である。
【図４】本発明の実施形態4による別の基地局の概略構造図である。
【図５】本発明の実施形態5によるさらに別の端末の概略構造図である。
【図６】本発明の実施形態6によるさらに別の基地局の概略構造図である。
【図７】本発明の実施形態7による半二重周波数分割複信通信方法の流れ図である。
【図８】本発明の実施形態8による端末のダウンリンクからアップリンクへの切り替え時のシナリオの概略図である。
【図９】本発明の実施形態9による端末のダウンリンクからアップリンクへの切り替え時のシナリオの概略図である。
【図１０】本発明の実施形態10による半二重周波数分割複信通信方法の流れ図である。
【図１１】本発明の実施形態11による半二重周波数分割複信通信方法の流れ図である。
【図１２】本発明の実施形態12による端末のダウンリンクからアップリンクへの切り替え時のシナリオの概略図である。
【図１３】本発明の実施形態13による端末のダウンリンクからアップリンクへの切り替え時のシナリオの概略図である。
【図１４】本発明の実施形態14による半二重周波数分割複信通信方法の流れ図である。
【図１５】本発明の実施形態15による半二重周波数分割複信通信方法の流れ図である。
【図１６】本発明の実施形態16による端末のアップリンクからダウンリンクへの切り替え時のシナリオの概略図である。
【図１７】本発明の実施形態17による端末のアップリンクからダウンリンクへの切り替え時のシナリオの概略図である。
【図１８】本発明の実施形態18による端末のアップリンクからダウンリンクへの切り替え時のシナリオの概略図である。
【図１９】本発明の実施形態19による端末のアップリンクからダウンリンクへの切り替え時のシナリオの概略図である。
【図２０】本発明の実施形態20による端末のアップリンクからダウンリンクへの切り替え時のシナリオの概略図である。
【図２１】本発明の実施形態21による半二重周波数分割複信通信方法の流れ図である。
【図２２】本発明の実施形態22による端末の概略構造図である。
【図２３】本発明の実施形態23による基地局の概略図である。
【図２４】本発明の実施形態24による端末の概略構造図である。
【図２５】本発明の実施形態25による基地局の概略図である。
【図２６】本発明の実施形態26による端末の概略構造図である。
【図２７】本発明の実施形態27による基地局の概略図である。
【発明を実施するための形態】
【００８７】
本発明の実施形態の目的、技術的解決策、および利点をよりわかりやすくするために、以下では、本発明の実施形態の添付図面を参照しつつ本発明の実施形態における技術的解決策をわかりやすく完全に説明する。明らかに、説明されている実施形態は、本発明の実施形態の一部であってすべてではない。創造的労力を費やすことなく本発明の実施形態に基づいて当業者が得る他のすべての実施形態は、本発明の保護の範囲内に収まるものとする。
【００８８】
図1は、本発明の実施形態1による端末の概略構造図であり、この実施形態では、端末によって生成された第1のガード期間は、1ミリ秒以上である。図1に示されているように、この実施形態で実現される端末は、生成モジュール11と決定モジュール12とを備える。
【００８９】
生成モジュール11は、端末のデータ処理がダウンリンクサブフレームから隣接するアップリンクサブフレームに切り替わるときに、第1のガード期間を生成し、第1のガード期間は1ミリ秒以上である、ように構成される。
【００９０】
処理モジュール12は、第1のガード期間内では信号の処理をスキップするように構成される。
【００９１】
本発明の実施形態において、ダウンリンクサブフレームから隣接するアップリンクフレームへの切り替えは、ダウンリンクサブフレームから時間領域においてダウンリンクサブフレームに遅行するアップリンクサブフレームへの切り替えを指し、ダウンリンクサブフレームから時間領域においてダウンリンクサブフレームに先行する隣接するアップリンクサブフレームへの切り替えが生じることは不可能である。それに加えて、本発明の実施形態において言及される端末は、低複雑度マシンタイプ通信(Low Complexity-Machine Type Communication、略してLC-MTC)端末を指しており、LC-MTC端末は、通信に半二重周波数分割複信(Frequency Division Duplex、略してFDD)技術を使用し、LC-MTC端末は、一般的に、発振器を使用してダウンリンク周波数およびアップリンク周波数を維持する。確かに、端末は、発振器を使用してダウンリンク周波数およびアップリンク周波数を維持する別のデバイスであってよい。
【００９２】
端末は、発振器を使用してダウンリンク周波数およびアップリンク周波数を維持するので、端末が、ダウンリンクからアップリンクに切り替わるときに、発振器は、周波数をダウンリンク周波数からアップリンク周波数に切り替える必要があり、調整時間は、発振器がダウンリンク周波数からアップリンク周波数に切り替わるときに生成される、すなわち、時間遅延は、発振器がダウンリンク周波数からアップリンク周波数に切り替わるときに生成される。この実施形態において、端末が第1のガード期間を生成するときに、発振器の周波数調整時間が考慮される。特に、生成モジュール11は、ラウンドトリップタイム(Round Trip Time、略してRTT)および第1の切り替え時間に従って第1のガード期間を生成し、第1の切り替え時間は、周波数調整時間および電力調整時間を含み、周波数調整時間は、端末の発振器によるダウンリンク周波数からアップリンク周波数への切り替えのための調整時間であり、電力調整時間は、端末の電力を0からアップリンク送信電力まで調整するための調整時間である。端末が、ダウンリンクからアップリンクに切り替わるときに、端末の電力の初期値は、0であり、端末が、アップリンクサブフレームを送信する前に、電力は、端末のアップリンク送信電力の条件を満たすように調整される必要があり、次いで、アップリンクサブフレームが送信され得る。端末は、一般的に、増幅器を使用することによって電力増幅を実施し、電力を0からアップリンク送信電力まで調整するために端末の増幅器によって必要な時間が、電力調整時間である。RTTは、公式RTT=2X/Cを使用することによって定義され、Xは、端末から基地局までの最大距離を表し、Cは、光の速度を表す。発展型ユニバーサル地上無線アクセスネットワーク(Evolved Universal Terrestrial Radio Access Network、略してE-UTRAN)におけるセルの最大カバーエリアを考えると、Xの最大値は100km(キロメートル)であり、Xが100kmであるときに、前述の式によりRTTの値は667μs(マイクロ秒)であり、したがって、RTTの最大値は667μsである。確かに、第1の切り替え時間は、他の時間をさらに含み、例えば、周波数調整時間は、異なるハードウェアを有する異なる端末では異なり、したがって、与えられた時間オフセットも設定されてよい。この実施形態は、従来技術と異なり、従来技術では、端末がダウンリンクからアップリンクに切り替わるときに生成される周波数調整時間および電力調整時間は、考慮されず、ガード期間は、RTTのみを含み、したがって、従来技術では、端末がダウンリンクからアップリンクに切り替わるときに、ガード期間の値は、すべて、1ミリ秒未満である。
【００９３】
この実施形態において、生成モジュール11は、第1のガード期間を生成し、端末によるダウンリンクサブフレームから隣接するアップリンクサブフレームへの第1の切り替え時間が考慮され、第1の切り替え時間の値は、固定されていないので、第1の切り替え時間とRTTとの総和は3つの値をとり得る。したがって、最終的な第1のガード期間も、3つの可能な値をとるものとしてよく、第1のガード期間は、1ミリ秒よりも長い値、1ミリ秒よりも短い値、および1ミリ秒に等しい値である。この実施形態では、第1のガード期間が、1ミリ秒よりも長い値、および1ミリ秒に等しい値である場合が、もっぱら導入される。
【００９４】
第1の場合において、第1のガード期間は、1ミリ秒よりも長い。第1のガード期間が、1ミリ秒よりも長い場合、生成モジュール11によって、ラウンドトリップタイムおよび第1の切り替え時間に従って第1のガード期間を生成することは、特に以下のとおりである。一実装方式では、ラウンドトリップタイムが第1の切り替え時間と重なり合わない場合に、端末は、ラウンドトリップタイムと第1の切り替え時間との総和を第1のガード期間として使用し、別の実装方式では、ラウンドトリップタイムが第1の切り替え時間と部分的に重なり合う場合に、端末によって生成される第1のガード期間は、ラウンドトリップタイムと第1の切り替え時間との総和よりも小さく、端末は、第1の切り替え時間とラウンドトリップタイムとの間の重なり合う時間を第1の切り替え時間とラウンドトリップタイムとの総和から差し引くことによって得られる差を第1のガード期間として使用し得る。第1のガード期間が1ミリ秒を超えるときに、第1のガード期間が、ダウンリンクサブフレームおよびダウンリンクサブフレームの直前の隣接するダウンリンクサブフレーム(ダウンリンクサブフレームの最後の部分)と重なり合う場合、処理モジュール12は、ダウンリンクサブフレームおよびダウンリンクサブフレームの直前の隣接するダウンリンクサブフレームの最後の部分におけるダウンリンク信号の受信をスキップするように特に構成され、ダウンリンクサブフレームの直前の隣接するダウンリンクサブフレームは、時間領域においてダウンリンクサブフレームに先行する隣接するダウンリンクサブフレームを指す。第1のガード期間が、ダウンリンクサブフレームおよびダウンリンクサブフレームの直前のアップリンクサブフレームの最後の部分と重なり合うときに、処理モジュール12は、ダウンリンクサブフレームにおけるダウンリンク信号の受信をスキップし、ダウンリンクサブフレームの直前のアップリンクサブフレームの最後の部分におけるアップリンク信号の送信をスキップし、ダウンリンクサブフレームの直前のアップリンクサブフレームは、時間領域においてダウンリンクサブフレームに先行する隣接するアップリンクサブフレームを指す、ように特に構成される。第1の場合において、ダウンリンクサブフレームは、第1のガード期間に含まれ、したがって、基地局は、ダウンリンクサブフレームにおいて端末をスケジュールすることに関してリソースを無駄にすることはあり得ず、第1のダウンリンクサブフレームもしくはダウンリンクサブフレームの直前のアップリンクサブフレームについて、基地局は、第1のダウンリンクサブフレームもしくはダウンリンクサブフレームの直前のアップリンクサブフレームにおいて端末をスケジュールし得るが、端末は、ダウンリンクサブフレームの直前のダウンリンクサブフレームにおいてデータを受信することも、ダウンリンクサブフレームの直前のアップリンクサブフレームにおいてデータを送信することもしない。
【００９５】
第2の場合において、第1のガード期間は、1ミリ秒に等しい。第1のガード期間が、1ミリ秒に等しい場合、生成モジュール11によって、ラウンドトリップタイムおよび第1の切り替え時間に従って第1のガード期間を生成することは、特に、ラウンドトリップタイムと第1の切り替え時間とを加えて、第1のガード期間を取得する、すなわち、ラウンドトリップタイムと第1の切り替え時間との総和を第1のガード期間として使用するステップである。第1のガード期間およびダウンリンクサブフレームは、互いに完全に重なり合い、端末は、第1のガード期間において信号処理しないが、これは、特に、端末がダウンリンクサブフレームにおいてダウンリンク信号を受信しないということである。この場合、第1のガード期間およびダウンリンクサブフレームは、互いに完全に重なり合い、基地局は、ダウンリンクサブフレームにおいてダウンリンクデータを受信するように端末をスケジュールし得ない。
【００９６】
この実施形態では、端末を実現する。端末がダウンリンクサブフレームから隣接するアップリンクサブフレームに切り替わるときに、生成モジュールは、第1のガード期間を生成し、端末のダウンリンクからアップリンクへの切り替えのための第1の切り替え時間は、第1のガード期間が生成されるときに考慮される。この実施形態では、端末が第1のガード期間内では信号を処理しないことが定義される、すなわち、端末は、第1のガード期間において、ダウンリンクデータを受信することも、アップリンク信号を送信することもせず、したがって、端末側で端末がデータを受信すべき、またはデータを送信すべきかを決定することができないことを指す、端末のダウンリンクからアップリンクへの切り替えプロセスにおける端末の挙動の不確実性が回避され、アップリンクサブフレームの正常な送信が保証されるものとしてよく、それによって、ネットワークおよび端末がデータを通常どおり送受信することができることを保証する。
【００９７】
図2は、本発明の実施形態2による基地局の概略構造図であり、図2に示されているように、この実施形態によって実現される基地局は、決定モジュール21とスケジューリング構成モジュール22とを備える。
【００９８】
決定モジュール21は、端末のデータ処理がダウンリンクサブフレームから隣接するアップリンクサブフレームに切り替わるときに、端末によって生成された第1のガード期間がダウンリンクサブフレームと重なり合うと決定し、第1のガード期間は1ミリ秒以上である。
【００９９】
スケジューリング構成モジュール22は、ダウンリンクサブフレームにおける端末のスケジューリングをスキップするように基地局を構成する、またはダウンリンクサブフレームにおける端末のスケジューリング優先度を最低レベルに設定する、ように構成される。
【０１００】
端末のデータ処理がダウンリンクサブフレームから隣接するアップリンクサブフレームに切り替わるときに、決定モジュール21は、第1のガード期間の値に従って、第1のガード期間がダウンリンクサブフレームと重なり合うかどうかを決定するものとしてよく、第1のガード期間が1ミリ秒以上であるときに、第1のガード期間は、ダウンリンクサブフレームと重なり合う。特に、第1のガード期間が1ミリ秒を超えるときに、第1のガード期間は、ダウンリンクサブフレームおよびダウンリンクサブフレームの直前の第1のダウンリンクサブフレームの最後の部分と重なり合う、または第1のガード期間が、ダウンリンクサブフレームおよびダウンリンクサブフレームの直前のアップリンクサブフレームの最後の部分と重なり合い、第1のガード期間が1ミリ秒に等しいときに、第1のガード期間とダウンリンクサブフレームとは、互いに完全に重なり合う。
【０１０１】
第1のガード期間が、ダウンリンクサブフレームおよびダウンリンクサブフレームの直前の第1のダウンリンクサブフレームの最後の部分と重なり合う場合に、スケジューリング構成モジュール22は、ダウンリンクサブフレームにおける端末のスケジューリングをスキップするように基地局を構成する、またはダウンリンクサブフレームにおける端末のスケジューリング優先度を最低レベルに設定するものとしてよいが、その一方で、基地局は、ダウンリンクサブフレームの直前の第1のダウンリンクサブフレームにおいて端末をスケジュールし得る。第1のガード期間が、ダウンリンクサブフレームおよびダウンリンクサブフレームの直前のアップリンクサブフレームの最後の部分と重なり合う場合に、スケジューリング構成モジュール22は、ダウンリンクサブフレームにおける端末のスケジューリングをスキップするように基地局を構成する、またはダウンリンクサブフレームにおける端末のスケジューリング優先度を最低レベルに設定するものとしてよいが、その一方で、基地局は、ダウンリンクサブフレームの直前のアップリンクサブフレームにおいて端末をスケジュールし得る。第1のガード期間は1ミリ秒に等しい場合に、スケジューリング構成モジュール22は、ダウンリンクサブフレームにおける端末のスケジューリングをスキップするように基地局を構成する、またはダウンリンクサブフレームにおける端末のスケジューリング優先度を最低レベルに設定するものとしてよい。スケジューリング構成モジュール22が、ダウンリンクサブフレームにおける端末のスケジューリング優先度を最低レベルに設定するときに、基地局は、ダウンリンクサブフレームにおいて他の端末を優先的にスケジュールする。
【０１０２】
この実施形態は、基地局を実現する。端末のデータ処理がダウンリンクサブフレームから隣接するアップリンクサブフレームに切り替わるときに、決定モジュールは、端末によって生成された第1のガード期間がダウンリンクサブフレームと重なり合うかどうかを決定し、端末によって生成された第1のガード期間がダウンリンクサブフレームと重なり合うときに、端末は、基地局によってダウンリンクサブフレームにおいて送信されたダウンリンクデータを正しく受信することができない。この実施形態では、スケジューリング構成モジュールは、ダウンリンクサブフレームにおける端末のスケジューリングをスキップするように基地局を構成する、またはダウンリンクサブフレームにおける端末のスケジューリング優先度を最低レベルに設定し、それによって、基地局がダウンリンクサブフレームにおいてダウンリンクデータを端末に送信することによって引き起こされるリソースの無駄を回避し、ダウンリンクリソースの利用効率を改善する。
【０１０３】
図3は、本発明の実施形態3による別の端末の概略構造図である。この実施形態では、端末によって生成された第1のガード期間は、1ミリ秒未満である。図3に示されているように、この実施形態で実現される端末は、生成モジュール31と決定モジュール32とを備える。
【０１０４】
生成モジュール31は、端末のデータ処理がダウンリンクサブフレームから隣接するアップリンクサブフレームに切り替わるときに、第1のガード期間を生成し、第1のガード期間は1ミリ秒未満であり、第1のガード期間はダウンリンクサブフレームの最後の部分と重なり合い、端末はダウンリンクサブフレームの最後のタイムスロットにおいて基地局によってスケジュールされない、ように構成される。
【０１０５】
処理モジュール32は、第1のガード期間内ではダウンリンク信号の受信をスキップするように構成される。
【０１０６】
この実施形態では、生成モジュール31は、ラウンドトリップタイムおよび第1の切り替え時間に従って第1のガード期間を生成するように特に構成され、第1の切り替え時間は、周波数調整時間および電力調整時間を含み、周波数調整時間は、端末の発振器によるダウンリンク周波数からアップリンク周波数への切り替えのための調整時間であり、電力調整時間は、端末により電力を0からアップリンク送信電力まで調整するための調整時間である。特に、第1の切り替え時間が、ラウンドトリップタイムに含まれる場合に、生成モジュール31は、ラウンドトリップタイムまたは第1の切り替え時間を第1のガード期間として使用することができ、確かに、第1のガード期間は、別の値であってよく、例えば、生成モジュール31は、第1の切り替え時間とラウンドトリップタイムとの間の最大値を第1のガード期間として使用する、または第1のガード期間は、第1の切り替え時間とラウンドトリップタイムとの間の最大値より大きく、1ミリ秒未満である任意の値であり、このことは本発明では制限されない。第1の切り替え時間が、ラウンドトリップタイムと重なり合わない場合に、生成モジュール31は、ラウンドトリップタイムおよび第1の切り替え時間を追加し、第1のガード期間を取得する、すなわち、ラウンドトリップタイムと第1の切り替え時間との総和を第1のガード期間として使用する。
【０１０７】
第1のガード期間が1ミリ秒未満のときに、第1のガード期間は、ダウンリンクサブフレームの最後の部分と重なり合い、処理モジュール32は、ダウンリンクサブフレームの最後の部分におけるダウンリンク信号の受信をスキップするように特に構成される。この場合、第1のガード期間は、ダウンリンクサブフレームと部分的に重なり合う。第1のガード期間が0.5ミリ秒未満のときに、基地局は、ダウンリンクサブフレームをスケジュールするものとしてよく、第1のガード期間が0.5ミリ秒以上、1ミリ秒未満である場合に、ダウンリンクサブフレームの最後のタイムスロットは、第1のガード期間に含まれ、ダウンリンクサブフレームは、2つのタイムスロットを含み、ダウンリンクサブフレームの最初のタイムスロットは、第1のガード期間と部分的にしか重なり合わない。したがって、基地局は、ダウンリンクサブフレームの最後のタイムスロットにおける端末のスケジューリングをスキップすることができ、基地局は、ダウンリンクサブフレームの最初のタイムスロットにおいて端末をスケジュールすることができるが、端末は、第1のタイムスロットと第1のガード期間との間の重なり合う部分においてデータを受信しない。
【０１０８】
この実施形態では、端末を実現する。端末がダウンリンクサブフレームから隣接するアップリンクサブフレームに切り替わるときに、生成モジュールは、第1のガード期間を生成し、端末のダウンリンクからアップリンクへの切り替えのための第1の切り替え時間は、第1のガード期間が生成されるときに考慮される。この実施形態では、端末が第1のガード期間内では信号を処理しないことが定義される、すなわち、端末は、第1のガード期間において、ダウンリンクデータを受信することも、アップリンク信号を送信することもせず、したがって、端末側で端末がデータを受信すべき、またはデータを送信すべきかを決定することができないことを指す、端末のダウンリンクからアップリンクへの切り替えプロセスにおける端末の挙動の不確実性が回避され、アップリンクサブフレームの正常な送信が保証されるものとしてよく、それによって、ネットワークおよび端末がデータを通常どおり送受信することができることを保証する。
【０１０９】
図4は、本発明の実施形態4による別の基地局の概略構造図であり、図4に示されているように、この実施形態によって実現される基地局は、決定モジュール41とスケジューリング構成モジュール42とを備える。
【０１１０】
決定モジュール41は、端末のデータ処理がダウンリンクサブフレームから隣接するアップリンクサブフレームに切り替わるときに、端末によって生成された第1のガード期間がダウンリンクサブフレームの最後のタイムスロットと重なり合うと決定し、第1のガード期間は1ミリ秒未満である、ように構成される。
【０１１１】
スケジューリング構成モジュール42は、ダウンリンクサブフレームの最後のタイムスロットにおける端末のスケジューリングをスキップするように基地局を構成する、またはダウンリンクサブフレームの最後のタイムスロットにおける端末のスケジューリング優先度を最低レベルに設定する、ように構成される。
【０１１２】
決定モジュール41は、端末によって生成された第1のガード期間が0.5ミリ秒以上、1ミリ秒未満であるかどうかを決定し、もしそうであれば、すなわち、第1のガード期間が0.5ミリ秒以上、1ミリ秒未満である場合に、第1のガード期間はダウンリンクサブフレームの最後のタイムスロットと重なり合うと決定するように特に構成される。ダウンリンクサブフレームは、2つのタイムスロットを含む。第1のガード期間が0.5ミリ秒以上、1ミリ秒未満であるときに、ダウンリンクサブフレームの最後のタイムスロットは、第1のガード期間に含まれ、ダウンリンクサブフレームの最初のタイムスロットは、第1のガード期間と部分的にしか重なり合わない。したがって、基地局は、ダウンリンクサブフレームの最後のタイムスロットにおける端末のスケジューリングをスキップすることができ、基地局は、それでもダウンリンクサブフレームの最初のタイムスロットにおいて端末をスケジュールすることができるが、端末は、第1のタイムスロットと第1のガード期間との間の重なり合う部分においてデータを受信しない。
【０１１３】
第1のガード期間がダウンリンクサブフレームの最後のタイムスロットと重なり合う場合に、スケジューリング構成モジュール42は、ダウンリンクサブフレームの最後のタイムスロットにおける端末のスケジューリングをスキップするように基地局を構成する、またはダウンリンクサブフレームの最後のタイムスロットにおける端末のスケジューリング優先度を最低レベルに設定するものとしてよい。スケジューリング構成モジュール42が、ダウンリンクサブフレームにおける端末のスケジューリング優先度を最低レベルに設定するときに、基地局は、ダウンリンクサブフレームにおいて他の端末を優先的にスケジュールする。
【０１１４】
この実施形態は、基地局を実現する。端末のデータ処理がダウンリンクサブフレームから隣接するアップリンクサブフレームに切り替わるときに、決定モジュールは、端末によって生成された第1のガード期間がダウンリンクサブフレームの最後のタイムスロットと重なり合うかどうかを決定し、端末によって生成された第1のガード期間がダウンリンクサブフレームの最後のタイムスロットと重なり合うときに、端末は、基地局によってダウンリンクサブフレームの最後のタイムスロットにおいて送信されたダウンリンクデータを正しく受信することができない。この実施形態では、スケジューリング構成モジュールは、ダウンリンクサブフレームの最後のタイムスロットにおける端末のスケジューリングをスキップするように基地局を構成する、またはダウンリンクサブフレームの最後のタイムスロットにおける端末のスケジューリング優先度を最低レベルに設定し、それによって、基地局がダウンリンクサブフレームの最後のタイムスロットにおいてダウンリンクデータを端末に送信することによって引き起こされるリソースの無駄を回避し、ダウンリンクリソースの利用効率を改善する。
【０１１５】
図5は、本発明の実施形態5によるさらに別の端末の概略構造図であり、図5に示されているように、この実施形態によって実現される端末は、生成モジュール51と処理モジュール52とを備える。
【０１１６】
生成モジュール51は、端末のデータ処理がアップリンクサブフレームから隣接するダウンリンクサブフレームに切り替わるときに、第2のガード期間を生成するように構成される。
【０１１７】
処理モジュール52は、第2のガード期間における任意の信号の処理をスキップするように構成される、または第2のガード期間が配置されるサブフレームにおける任意の信号の処理をスキップするように構成される。
【０１１８】
端末のデータ処理がアップリンクサブフレームからダウンリンクサブフレームに切り替わるときに、生成モジュール51は、第2のガード期間を生成する。本発明の実施形態において、アップリンクサブフレームから隣接するダウンリンクフレームへの切り替えは、アップリンクサブフレームから時間領域においてアップリンクサブフレームに遅行するダウンリンクサブフレームへの切り替えを指し、アップリンクサブフレームからアップリンクサブフレームに先行する隣接するダウンリンクサブフレームへの切り替えが生じることは不可能である。
【０１１９】
第1のオプションの実装方式において、生成モジュール51は、端末のデータ処理がアップリンクサブフレームから隣接するダウンリンクサブフレームに切り替わるときに、ダウンリンクサブフレームが、端末に送信される物理ハイブリッド自動再送要求インジケータチャネルPHICH情報を含むかどうかを決定するように構成される。ダウンリンクサブフレームが、端末に送信されるPHICH情報を含む場合、生成モジュール51は、第2のガード期間を生成し、生成された第2のガード期間はアップリンクサブフレームと重なり合う、またはダウンリンクサブフレームが、端末に送信されるPHICH情報を含まない場合に、生成モジュール51は、第2のガード期間を生成し、第2のガード期間はダウンリンクサブフレームと重なり合う。
【０１２０】
第2のオプションの実装方式において、生成モジュール51は、端末のデータ処理がアップリンクサブフレームから隣接するダウンリンクサブフレームに切り替わるときに、アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定し、アップリンクサブフレームがこれらのアップリンク信号のうちのどれか1つを含む場合に、第2のガード期間を生成し、生成された第2のガード期間はダウンリンクサブフレームと重なり合う、またはアップリンクサブフレームがこれらのアップリンク信号のうちのどの1つも含まない場合に、第2のガード期間を生成し、生成された第2のガード期間はアップリンクサブフレームと重なり合う、ように特に構成される。
【０１２１】
上で説明されている2つのオプションの実装方式は、端末がダウンリンクサブフレームから隣接するアップリンクサブフレームに切り替わるプロセスにも適用され得る、すなわち、端末が、第1のガード期間を生成するときに、上で説明されている2つのオプションの実装方式に従って、生成された第1のガード期間がアップリンクサブフレームまたはダウンリンクサブフレームと重なり合うかどうかについても決定されるものとしてよく、ここで再び特定のプロセスが説明されないことに留意されたい。
【０１２２】
端末は、発振器を使用してダウンリンク周波数およびアップリンク周波数を維持するので、端末が、アップリンクからダウンリンクに切り替わるときに、発振器は、周波数をアップリンク周波数からダウンリンク周波数に切り替える必要があり、調整時間は、発振器がアップリンク周波数からダウンリンク周波数に切り替わるときに生成される、すなわち、時間遅延は、発振器がアップリンク周波数からダウンリンク周波数に切り替わるときに生成される。この実施形態において、端末が第2のガード期間を生成するときに、発振器の周波数調整時間が考慮される。この実施形態では、生成モジュール51は、ラウンドトリップタイムおよび第2の切り替え時間に従って第2のガード期間を生成するように特に構成され、第2の切り替え時間は、周波数調整時間および電力調整時間を含み、周波数調整時間は、端末の発振器によるアップリンク周波数からダウンリンク周波数への切り替えのための調整時間であり、電力調整時間は、端末のダウンリンク電力を0から送信電力まで調整するための調整時間である。
【０１２３】
この実施形態では、第2の切り替え時間が、RTTよりも大きい場合に、生成モジュール51は、ラウンドトリップタイムを第2の切り替え時間から差し引き、第2のガード期間を取得し得る、すなわち、第2のガード期間は、第2の切り替え時間とRTTとの間の差に等しく、確かに、第2のガード期間は、第2の切り替え時間とRTTとの間の差よりも大きい場合がある。第2のガード期間は、アップリンクサブフレーム、または時間領域におけるアップリンクサブフレームの隣接するダウンリンクサブフレームと重なり合う。第2の切り替え時間が、RTT以下である場合に、生成モジュール51は、第2のガード期間を生成しない、すなわち、第2の切り替え時間が、RTT以下であるときに、第2のガード期間は、端末に対して定義される必要はない。したがって、第2のガード期間は、次の可能な値をとるものとしてよいことが知られ、これらの値は、以下のように個別に説明される。
【０１２４】
第1の場合において、第2のガード期間は1ミリ秒未満であり、第2のガード期間はアップリンクサブフレームの最後の部分と重なり合い、アップリンクサブフレームの最後の部分は、第2のガード期間とアップリンクサブフレームとの間の重なり合う部分であり、この場合、処理モジュール52は、アップリンクサブフレームの最後の部分におけるアップリンク信号の送信をスキップする、またはアップリンクサブフレームにおけるアップリンク信号の送信をスキップするように特に構成される。この場合、第2の切り替え時間は、RTTよりも大きく、第2のガード期間は、RRTを第2の切り替え時間から差し引くことによって求められる差に等しいものとしてよい。端末は、第2のガード期間において基地局によってスケジュールされない、または端末は、第2のガード期間が配置されているサブフレームにおいて基地局によってスケジュールされない。第2のガード期間が、アップリンクサブフレームの最後の部分と重なり合うときに、基地局は、アップリンクサブフレームの最後の部分において端末をスケジュールしない、またはアップリンクサブフレームにおいて端末をスケジュールしない。第2のガード期間が、0.5ミリ秒に等しく、0.5ミリ秒が、1つのタイムスロットの長さであり、アップリンクサブフレームが、2つのタイムスロットを含む場合に、基地局は、アップリンクサブフレームの最後のタイムスロットにおいて端末をスケジュールし得ない。
【０１２５】
第2の場合において、第2のガード期間は1ミリ秒未満であり、第2のガード期間はダウンリンクサブフレームの最初の部分と重なり合い、ダウンリンクサブフレームの最初の部分は、第2のガード期間とダウンリンクサブフレームとの間の重なり合う部分であり、この場合、処理モジュール52は、ダウンリンクサブフレームの最初の部分におけるダウンリンク信号の受信をスキップする、またはダウンリンクサブフレームにおけるダウンリンク信号の受信をスキップするように特に構成される。この場合、第2の切り替え時間は、RTTよりも大きく、第2のガード期間は、RRTを第2の切り替え時間から差し引くことによって求められる差に等しいものとしてよい。端末は、第2のガード期間において基地局によってスケジュールされない、または端末は、第2のガード期間が配置されているサブフレームにおいて基地局によってスケジュールされない。第2のガード期間がダウンリンクサブフレームの最初の部分と重なり合うときに、基地局は、ダウンリンクサブフレームの最初の部分において端末をスケジュールしない、またはダウンリンクサブフレームにおいて端末をスケジュールしない。第2のガード期間が、0.5ミリ秒に等しい場合、基地局は、ダウンリンクサブフレームの最初のタイムスロットにおいて端末をスケジュールし得ず、ダウンリンクサブフレームは、2つのタイムスロットを含む。
【０１２６】
第3の場合において、第2のガード期間は1ミリ秒に等しく、第2のガード期間はダウンリンクサブフレームと重なり合い、この場合、処理モジュール52は、ダウンリンクサブフレームにおけるダウンリンク信号の受信をスキップするように特に構成される。基地局は、ダウンリンクサブフレームにおいて端末をスケジュールし得ない。
【０１２７】
第4の場合において、第2のガード期間は1ミリ秒に等しく、第2のガード期間はアップリンクサブフレームと重なり合い、この場合、処理モジュール52は、アップリンクサブフレームにおけるアップリンク信号の送信をスキップするように特に構成される。基地局は、アップリンクサブフレームにおいて端末をスケジュールし得ない。
【０１２８】
第5の場合において、第2のガード期間は1ミリ秒に等しい、または等しく、第2のガード期間は、アップリンクサブフレームおよびアップリンクサブフレームの直前の隣接するアップリンクサブフレームと重なり合う、または第2のガード期間は、ダウンリンクサブフレームおよびダウンリンクサブフレームの直後の隣接するダウンリンクサブフレームと重なり合う。処理モジュール52は、アップリンクサブフレームおよびアップリンクサブフレームの直前の隣接するアップリンクサブフレームにおけるアップリンク信号の送信をスキップし、基地局は、アップリンクサブフレームにおいて端末をスケジュールし得ない、またはダウンリンクサブフレームおよびダウンリンクサブフレームの直後の隣接するダウンリンクサブフレームにおけるダウンリンク信号の受信をスキップし、基地局は、ダウンリンクサブフレームにおいて端末をスケジュールし得ない、ように特に構成される。
【０１２９】
この実施形態では、ダウンリンク信号は、物理ダウンリンク制御チャネル(Physical Downlink Control Channel、略してPDCCH)信号、拡張物理ダウンリンク制御チャネル(Enhanced Physical Downlink Control Channel、略してEPDCCH)信号、セル特有の基準信号(Cell-specific Reference Signal、略してCRS)、マルチメディアブロードキャストマルチキャストサービス単一周波数ネットワーク(Multimedia Broadcast multicast service Single Frequency Network、略してMBSFN)信号、サービスデータ信号、物理ハイブリッド自動再送要求インジケータチャネル(Physical Hybrid ARQ Indicator Channel、略してPHICH)信号、および物理制御フォーマットインジケータチャネル(Physical Control Format Indicator Channel、略してPCFICH)信号のうちの1つまたは複数を含み得る。
【０１３０】
この実施形態では、いくつかのダウンリンク信号は、ダウンリンクサブフレーム全体で運ばれるとは限らず、ダウンリンクサブフレームの一部で運ばれる、またはダウンリンクサブフレームの最初の部分、最後の部分、もしくは真ん中の部分で運ばれ得る。この場合、第2のガード期間がダウンリンクサブフレームの最初の部分と重なり合う場合、端末が、ダウンリンクサブフレームにおいてEPDCCH信号を受信するように基地局によって構成されるときに、処理モジュール52は、ダウンリンクサブフレームの最初の部分におけるEPDCCH信号もしくはダウンリンク信号の受信をスキップするように特に構成され、端末が、ダウンリンクサブフレームの最初の部分においてEPDCCH信号を受信しないときに、端末は、ダウンリンクサブフレームの最初の部分においてEPDCCH信号以外の他のダウンリンク信号を受信することができ、端末が、ダウンリンクサブフレームの最初の部分におけるダウンリンク信号を受信しないときに、端末は、ダウンリンクサブフレームの最初の部分においてダウンリンク信号を受信しない。
【０１３１】
第2のガード期間がダウンリンクサブフレームの最初の部分と重なり合うときに、端末が、ダウンリンクサブフレームにおいてMBSFN信号を受信するように基地局によって構成される場合、処理モジュール52は、ダウンリンクサブフレームの最初の部分におけるMBSFN信号もしくはダウンリンク信号の受信をスキップするように特に構成され、端末が、ダウンリンクサブフレームの最初の部分においてMBSFN信号を受信しないときに、端末は、ダウンリンクサブフレームの最初の部分においてMBSFN信号以外の他のダウンリンク信号を受信することができ、端末が、ダウンリンクサブフレームの最初の部分におけるダウンリンク信号を受信しないときに、端末は、ダウンリンクサブフレームの最初の部分においてダウンリンク信号を受信しない。
【０１３２】
第2のガード期間がダウンリンクサブフレームの最初の部分と重なり合う場合に、端末は、それ自体で、ダウンリンクサブフレームの最初の部分においてダウンリンク信号を受信するかどうかを決定することができ、これはもっぱら次の3つの場合を含む。
【０１３３】
(1)端末が、ダウンリンクサブフレームにおいてEPDCCH信号を受信するように基地局によって構成される場合に、処理モジュール52は、第2のガード期間がEPDCCH信号の受信時間と重なり合うかどうかを決定し、第2のガード期間がEPDCCH信号の受信時間と重なり合う場合に、ダウンリンクサブフレームにおけるEPDCCH信号もしくはダウンリンク信号の受信をスキップする、または第2のガード期間がEPDCCH信号の受信時間と重なり合わない場合に、ダウンリンクサブフレームの最初の部分におけるEPDCCH信号もしくはダウンリンク信号の受信をスキップするように特に構成される。
【０１３４】
(2)端末が、ダウンリンクサブフレームにおいてMBSFN信号を受信するように基地局によって構成される場合に、処理モジュール52は、第2のガード期間がMBSFN信号の受信時間と重なり合うかどうかを決定し、第2のガード期間がMBSFN信号の受信時間と重なり合う場合に、ダウンリンクサブフレームにおけるMBSFN信号もしくはダウンリンク信号の受信をスキップする、または第2のガード期間がMBSFN信号の受信時間と重なり合わない場合に、ダウンリンクサブフレームの最初の部分におけるMBSFN信号もしくはダウンリンク信号の受信をスキップするように特に構成される。
【０１３５】
(3)端末が、ダウンリンクサブフレームにおいて物理ダウンリンク共有チャネル(Physical Downlink Shared Channel、略してPDSCH)信号を受信するように基地局によって構成される場合に、処理モジュール52は、PDSCH信号に対応する物理ダウンリンク制御チャネル(Physical Downlink Control Channel、略してPDCCH)信号が、ダウンリンクサブフレームに含まれるかどうかを決定し、PDCCH信号がダウンリンクサブフレームに含まれる場合に、ダウンリンクサブフレームにおけるPDSCH信号もしくはダウンリンク信号の受信をスキップする、またはPDCCH信号がダウンリンクサブフレームに含まれない場合に、ダウンリンクサブフレームの最初の部分におけるPDSCH信号もしくはダウンリンク信号の受信をスキップするように特に構成される。端末が、ダウンリンクサブフレームの最初の部分においてPDSCH信号を受信しないときに、端末は、ダウンリンクサブフレームの最初の部分においてPDSCH信号以外の他のダウンリンク信号を受信することができ、端末が、ダウンリンクサブフレームの最初の部分におけるダウンリンク信号を受信しないときに、端末は、ダウンリンクサブフレームの最初の部分においてダウンリンク信号を受信しない。
【０１３６】
それに加えて、端末が、ダウンリンクサブフレームの最初の部分におけるダウンリンク信号を受信しない、またはダウンリンクサブフレームにおいてダウンリンク信号を受信しないときに、端末は、ダウンリンクサブフレームが、端末に送信されるPHICH情報を含むかどうかを決定し、ダウンリンクサブフレームが、端末に送信されるPHICH情報を含む場合、端末は、ダウンリンクサブフレームの後の第Nのダウンリンクサブフレームにおいて、端末に送信されたPHICH情報を受信し、Nは、1以上の正整数である。端末によって、ダウンリンクサブフレームが、端末に送信されるPHICH情報を含むかどうかを決定することは、特に以下のとおりである。端末が、第iのアップリンクサブフレームにおいて物理アップリンク共有チャネル(Physical Uplink Shared Channel、略してPUSCH)情報を送信する場合に、基地局は、第(i+4)のサブフレームにおいてPHICH情報を端末に送信して、PUSCH情報の受信に成功したかどうかをフィードバックし、したがって、端末は、ダウンリンクサブフレームが、端末に送信されるPHICH情報を含むかどうかを決定し得る。基地局の観点から、基地局は、端末がPUSCH情報の送信を終了した後にPHICH情報が第4のサブフレームにおいて端末にフィードバックされる必要があることも知る。この実施形態の解決方法において、ダウンリンクサブフレームが、端末に送信されるPHICH情報を含む場合、基地局は、N個のサブフレーム分だけPHICH情報の送信を遅延させることができ、それに対応して、端末は、ダウンリンクサブフレームの後の第Nのサブフレームにおいて、端末に送信されたPHICH情報を受信し、それにより、端末のデータ処理がアップリンクサブフレームからダウンリンクサブフレームに切り替わるときに、PHICH情報の喪失が回避され得る。
【０１３７】
この実施形態では、端末を実現する。端末がアップリンクサブフレームからダウンリンクサブフレームに切り替わるときに、生成モジュールは、第2のガード期間を生成し、第2のガード期間はアップリンクサブフレームもしくはダウンリンクサブフレームと重なり合う。この実施形態では、端末が第2のガード期間内では信号を処理しないことが定義される、すなわち、端末は、第2のガード期間において、ダウンリンクデータを受信することも、アップリンク信号を送信することもせず、したがって、端末側で端末がデータを受信すべき、またはデータを送信すべきかを決定することができないことを指す、端末のアップリンクからダウンリンクへの切り替えプロセスにおける端末の挙動の不確実性が回避され、したがって、これは、ネットワークおよび端末が、データの送受信を通常どおり行えることを保証する。
【０１３８】
図6は、本発明の実施形態6によるさらに別の基地局の概略構造図であり、図6に示されているように、この実施形態によって実現される基地局は、決定モジュール61とスケジューリング構成モジュール62とを備える。
【０１３９】
決定モジュール61は、端末のデータ処理がアップリンクサブフレームから隣接するダウンリンクサブフレームに切り替わるときに、端末によって生成された第2のガード期間を決定するように構成される。
【０１４０】
スケジューリング構成モジュール62は、第2のガード期間もしくは第2のガード期間が配置されるサブフレームにおける端末のスケジューリングをスキップするように基地局を構成する、または第2のガード期間もしくは第2のガード期間が配置されるサブフレームにおいて端末のスケジューリング優先度を最低レベルに設定するように構成される。
【０１４１】
第2のガード期間の値は、1ミリ秒よりも短い値、1ミリ秒に等しい値、および1ミリ秒よりも長い値の3つの値をとり得る。第2のガード期間が1ミリ秒未満であるときに、第2のガード期間はアップリンクサブフレームの最後の部分と重なり合い、アップリンクサブフレームの最後の部分は、第2のガード期間とアップリンクサブフレームとの間の重なり合う部分である、または第2のガード期間は、ダウンリンクサブフレームの最初の部分と重なり合い、ダウンリンクサブフレームの最初の部分は、第2のガード期間とダウンリンクサブフレームとの間の重なり合う部分である。第2のガード期間が1ミリ秒に等しいときに、第2のガード期間は、アップリンクサブフレームと重なり合う、またはダウンリンクサブフレームと重なり合う。第2のガード期間は1ミリ秒に等しい、または等しいときに、第2のガード期間は、アップリンクサブフレームおよびアップリンクサブフレームの直前の隣接するアップリンクサブフレームと重なり合う、または第2のガード期間は、ダウンリンクサブフレームおよびダウンリンクサブフレームの直後の隣接するダウンリンクサブフレームと重なり合う。
【０１４２】
第1のオプションの実装方式において、決定モジュール61は、端末のデータ処理がアップリンクサブフレームから隣接するダウンリンクサブフレームに切り替わるときに、ダウンリンクサブフレームが、端末に送信される物理ハイブリッド自動再送要求インジケータチャネルPHICH情報を含むかどうかを決定し、ダウンリンクサブフレームが、端末に送信されるPHICH情報を含む場合に、第2のガード期間がアップリンクサブフレームと重なり合うと決定する、またはダウンリンクサブフレームが、端末に送信されるPHICH情報を含まない場合に、第2のガード期間がダウンリンクサブフレームと重なり合うと決定する、ように特に構成される。それに対応して、スケジューリング構成モジュール62は、第2のガード期間がアップリンクサブフレームと重なり合う場合に、アップリンクサブフレームの最後の部分における、もしくはアップリンクサブフレームにおける端末のスケジューリングをスキップするように基地局を構成する、またはアップリンクサブフレームの最後の部分における、もしくはアップリンクサブフレームにおける端末のスケジューリング優先度を最低レベルに設定し、アップリンクサブフレームの最後の部分は、第2のガード期間とアップリンクサブフレームとの間の重なり合う部分であり、または第2のガード期間がダウンリンクサブフレームと重なり合う場合に、ダウンリンクサブフレームの最初の部分における、もしくはダウンリンクサブフレームにおける端末のスケジューリングをスキップするように基地局を構成する、またはダウンリンクサブフレームの最初の部分における、もしくはダウンリンクサブフレームにおける端末のスケジューリング優先度を最低レベルに設定し、ダウンリンクサブフレームの最初の部分は、第2のガード期間とダウンリンクサブフレームとの間の重なり合う部分である、ように特に構成される。
【０１４３】
第2のオプションの実装方式において、決定モジュール61は、端末のデータ処理がアップリンクサブフレームから隣接するダウンリンクサブフレームに切り替わるときに、アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定し、アップリンクサブフレームがこれらのアップリンク信号のうちのどれか1つを含む場合に、第2のガード期間がダウンリンクサブフレームと重なり合うと決定する、またはアップリンクサブフレームがこれらのアップリンク信号のうちのどの1つも含まない場合に、第2のガード期間がアップリンクサブフレームと重なり合うと決定する、ように特に構成される。それに対応して、スケジューリング構成モジュール62は、第2のガード期間がアップリンクサブフレームと重なり合う場合に、アップリンクサブフレームの最後の部分における、もしくはアップリンクサブフレームにおける端末のスケジューリングをスキップするように基地局を構成する、またはアップリンクサブフレームの最後の部分における、もしくはアップリンクサブフレームにおける端末のスケジューリング優先度を最低レベルに設定し、アップリンクサブフレームの最後の部分は、第2のガード期間とアップリンクサブフレームとの間の重なり合う部分である、または第2のガード期間がダウンリンクサブフレームと重なり合う場合に、ダウンリンクサブフレームの最初の部分における、もしくはダウンリンクサブフレームにおける端末のスケジューリングをスキップするように基地局を構成する、またはダウンリンクサブフレームの最初の部分における、もしくはダウンリンクサブフレームにおける端末のスケジューリング優先度を最低レベルに設定し、ダウンリンクサブフレームの最初の部分は、第2のガード期間とダウンリンクサブフレームとの間の重なり合う部分である、ように特に構成される。
【０１４４】
上で説明されている2つのオプションの実装方式は、端末がダウンリンクサブフレームから隣接するアップリンクサブフレームに切り替わるプロセスにも適用され得る、すなわち、基地局が、第1のガード期間を決定するときに、上で説明されている2つのオプションの実装方式に従って、第1のガード期間がアップリンクサブフレームまたはダウンリンクサブフレームと重なり合うかどうかについても決定されるものとしてよく、ここで再び特定のプロセスが説明されないことに留意されたい。
【０１４５】
この実施形態では、基地局が、ダウンリンクサブフレームの最初の部分において端末をスケジュールしない、または基地局が、ダウンリンクサブフレームにおいて端末をスケジュールしない、またはダウンリンクサブフレームの最初の部分における端末のスケジューリング優先度もしくはダウンリンクサブフレームにおける端末のスケジューリング優先度を最低レベルに設定するときに、基地局は、ダウンリンクサブフレームが、端末に送信されるPHICH情報を含むかどうかを決定し、ダウンリンクサブフレームが、端末に送信されるPHICH情報を含む場合、基地局は、ダウンリンクサブフレームの後の第Nのダウンリンクサブフレームにおいて、端末にPHICH情報を送信し、Nは、1以上の正整数である。基地局によって、ダウンリンクサブフレームが、端末に送信されるPHICH情報を含むかどうかを決定することは、特に以下のとおりである。端末が第iのアップリンクサブフレームにおいてPUSCH情報を送信する場合、基地局は、第(i+4)のサブフレームにおいてPHICH情報を端末に送信して、PUSCH情報の受信に成功したかどうかをフィードバックし、したがって、基地局は、ダウンリンクサブフレームが、端末に送信されるPHICH情報を含むかどうかを決定し得る。それに対応して、端末は、ダウンリンクサブフレームの後の第Nのサブフレームにおいて、端末に送信されたPHICH情報を受信し、それにより、端末のデータ処理がアップリンクサブフレームからダウンリンクサブフレームに切り替わるときに、PHICH情報の喪失が回避され得る。
【０１４６】
この実施形態は、基地局を実現する。端末のデータ処理がダウンリンクサブフレームから隣接するアップリンクサブフレームに切り替わるときに、決定モジュールは、端末によって生成された第2のガード期間を決定し、端末は、第2のガード期間において通常どおりにデータを送信または受信することができない。この実施形態では、スケジューリング構成モジュールは、第2のガード期間もしくは第2のガード期間が配置されるサブフレームにおける端末のスケジューリングをスキップするように基地局を構成し、それによって、基地局が第2のガード期間においてデータを端末に送信する、またはデータを端末から受信することによって引き起こされるリソースの無駄を回避し、リソースの利用効率を改善する。
【０１４７】
図7は、本発明の実施形態7による半二重周波数分割複信通信方法の流れ図である。この実施形態では、ダウンリンク受信からアップリンク送信への端末の切り替えを説明する。図7に示されているように、この実施形態によって提供される方法は以下のステップを含む。
【０１４８】
ステップ101:端末のデータ処理がダウンリンクサブフレームから隣接するアップリンクサブフレームに切り替わるときに、端末は、第1のガード期間を生成し、第1のガード期間は1ミリ秒以上である。
【０１４９】
端末は、発振器を使用してダウンリンク周波数およびアップリンク周波数を維持するので、端末が、ダウンリンクからアップリンクに切り替わるときに、発振器は、周波数をダウンリンク周波数からアップリンク周波数に切り替える必要があり、調整時間は、発振器がダウンリンク周波数からアップリンク周波数に切り替わるときに生成される、すなわち、時間遅延は、発振器がダウンリンク周波数からアップリンク周波数に切り替わるときに生成される。この実施形態において、端末が第1のガード期間を生成するときに、発振器の周波数調整時間が考慮される。特に、端末は、ラウンドトリップタイムおよび第1の切り替え時間に従って第1のガード期間を生成し、第1の切り替え時間は、周波数調整時間および電力調整時間を含み、周波数調整時間は、端末の発振器によるダウンリンク周波数からアップリンク周波数への切り替えのための調整時間であり、電力調整時間は、端末の電力を0からアップリンク送信電力まで調整するための調整時間である。端末が、ダウンリンクからアップリンクに切り替わるときに、端末の電力の初期値は、0であり、端末が、アップリンクサブフレームを送信する前に、電力は、端末のアップリンク送信電力の条件を満たすように調整される必要があり、次いで、アップリンクサブフレームが送信され得る。端末は、一般的に、増幅器を使用することによって電力増幅を実施し、電力を0からアップリンク送信電力まで調整するために端末の増幅器によって必要な時間が、電力調整時間である。ラウンドトリップタイムRTTは、公式RTT=2X/Cを使用することによって定義され、Xは、端末から基地局までの最大距離を表し、Cは、光の速度を表す。E-UTRANにおけるセルの最大カバーエリアを考えると、Xの最大値は100kmであり、Xが100kmであるときに、前述の式によりRTTの値は667μsであり、したがって、RTTの最大値は667μsである。確かに、第1の切り替え時間は、他の時間をさらに含み、例えば、異なる端末の異なるハードウェアを考慮すると、周波数調整時間は、異なることがあり、したがって、与えられた時間オフセットも設定されてよい。この実施形態は、従来技術と異なり、従来技術では、端末がダウンリンクからアップリンクに切り替わるときに生成される周波数調整時間および電力調整時間は、考慮されず、ガ
ード期間は、RTTのみを含み、したがって、従来技術では、端末がダウンリンクからアップリンクに切り替わるときに、ガード期間の値は、すべて、1ミリ秒未満である。
【０１５０】
この実施形態では、端末が、第1のガード期間を生成するときに、端末によるダウンリンクサブフレームから隣接するアップリンクサブフレームへの第1の切り替え時間が考慮され、第1の切り替え時間の値は、固定されていないので、第1の切り替え時間とRTTとの総和は3つの値をとり得る。したがって、最終的な第1のガード期間も、3つの可能な値をとるものとしてよく、第1のガード期間は、1ミリ秒よりも長い値、1ミリ秒より短い値、および1ミリ秒に等しい値である。この実施形態では、第1のガード期間が、1ミリ秒よりも長い値、および1ミリ秒に等しい値である場合が、もっぱら導入される。
【０１５１】
第1の場合において、第1のガード期間は、1ミリ秒よりも長い。第1のガード期間が、1ミリ秒よりも長い場合、生成モジュール11によって、ラウンドトリップタイムおよび第1の切り替え時間に従って第1のガード期間を生成するステップは、特に以下のとおりである。一実装方式では、ラウンドトリップタイムが第1の切り替え時間と重なり合わない場合に、端末は、ラウンドトリップタイムと第1の切り替え時間との総和を第1のガード期間として使用し、別の実装方式では、ラウンドトリップタイムが第1の切り替え時間と部分的に重なり合う場合に、端末によって生成される第1のガード期間は、ラウンドトリップタイムと第1の切り替え時間との総和よりも小さく、端末は、第1の切り替え時間とラウンドトリップタイムとの間の重なり合う時間を第1の切り替え時間とラウンドトリップタイムとの総和から差し引くことによって得られる差を第1のガード期間として使用し得る。
【０１５２】
第2の場合において、第1のガード期間は、1ミリ秒に等しい。第1のガード期間が、1ミリ秒に等しい場合、生成モジュール11によって、ラウンドトリップタイムおよび第1の切り替え時間に従って第1のガード期間を生成するステップは、特に、ラウンドトリップタイムと第1の切り替え時間とを加えて、第1のガード期間を取得する、すなわち、ラウンドトリップタイムと第1の切り替え時間との総和を第1のガード期間として使用するステップである。
【０１５３】
ステップ102:端末は、第1のガード期間内では信号の処理をスキップする。
【０１５４】
第1のガード期間が1ミリ秒を超えるときに、第1のガード期間が、ダウンリンクサブフレームおよびダウンリンクサブフレームの直前の隣接するダウンリンクサブフレーム(ダウンリンクサブフレームの最後の部分)と重なり合う場合、端末によって、第1のガード期間内では信号の処理をスキップするステップは、特に、端末によって、ダウンリンクサブフレームにおける、およびダウンリンクサブフレームの直前の隣接するダウンリンクサブフレームの最後の部分におけるダウンリンク信号の受信をスキップするステップであり、ダウンリンクサブフレームの直前の隣接するダウンリンクサブフレームは、時間領域においてダウンリンクサブフレームに先行する隣接するダウンリンクサブフレームを指す。第1のガード期間が、ダウンリンクサブフレームおよびダウンリンクサブフレームの直前のアップリンクサブフレームの最後の部分と重なり合うときに、端末によって、第1のガード期間内では信号の処理をスキップするステップは、特に、端末によって、ダウンリンクサブフレームにおけるダウンリンク信号の受信をスキップするステップ、およびダウンリンクサブフレームの直前のアップリンクサブフレームの最後の部分におけるアップリンク信号の送信をスキップするステップであり、ダウンリンクサブフレームの直前のアップリンクサブフレームは、時間領域においてダウンリンクサブフレームに先行する隣接するアップリンクサブフレームを指す。第1の場合において、ダウンリンクサブフレームは、第1のガード期間に含まれ、したがって、基地局は、ダウンリンクサブフレームにおいて端末をスケジュールすることに関してリソースを無駄にすることはあり得ず、第1のダウンリンクサブフレームもしくはダウンリンクサブフレームの直前のアップリンクサブフレームについて、基地局は、第1のダウンリンクサブフレームもしくはダウンリンクサブフレームの直前のアップリンクサブフレームにおいて端末をスケジュールし得るが、端末は、ダウンリンクサブフレームの直前のダウンリンクサブフレームにおいてデータを受信することも、ダウンリンクサブフレームの直前のアップリンクサブフレームにおいてデータを送信することもしない。
【０１５５】
第1のガード期間が1ミリ秒に等しいときに、第1のガード期間およびダウンリンクサブフレームは、互いに完全に重なり合い、端末によって、第1のガード期間内では信号の処理をスキップするステップは、特に、端末によって、ダウンリンクサブフレームにおけるダウンリンク信号の受信をスキップするステップである。この場合、第1のガード期間およびダウンリンクサブフレームは、互いに完全に重なり合い、基地局は、ダウンリンクサブフレームにおいて端末をスケジュールし得ず、端末は、ダウンリンクサブフレームにおいてデータを受信しない。
【０１５６】
この実施形態によって提供される方法において、端末がダウンリンクサブフレームから隣接するアップリンクサブフレームに切り替わるときに、端末は、第1のガード期間を生成し、端末のダウンリンクからアップリンクへの切り替えのための第1の切り替え時間は、第1のガード期間が生成されるときに考慮される。この実施形態では、端末が第1のガード期間内では信号を処理しないことが定義され、したがって、端末側で端末がデータを受信すべき、またはデータを送信すべきかを決定することができないことを指す、端末のダウンリンクからアップリンクへの切り替えプロセスにおける端末の挙動の不確実性が回避され、アップリンクサブフレームの正常な送信が保証されるものとしてよく、それによって、ネットワークおよび端末がデータを通常どおり送受信することができることを保証する。
【０１５７】
次に、いくつかの特定の実施形態を使用することによって実施形態7の解決方法を詳しく説明する。本発明の図中、DL(Downlink)は、ダウンリンクを表し、UL(Uplink)は、アップリンクを表す。
【０１５８】
上で説明されている実施形態7に基づき、本発明の実施形態8は、端末がダウンリンクからアップリンクに切り替わり、第1のガード期間が1ミリ秒よりも長い例を使用することによって半二重周波数分割複信通信方法を詳細に説明する。図8は、本発明の実施形態8による端末のダウンリンクからアップリンクへの切り替え時のシナリオの概略図である。
【０１５９】
この実施形態では、端末が、ダウンリンク受信からアップリンク送信に切り替わるときに、第1のガード期間は、1ミリ秒を超えるように設定される、すなわち、RTT(タイミングアドバンスTAを含む)と第1の切り替え時間との総和は、1ミリ秒よりも長い。図8に示されているように、端末は、ダウンリンクサブフレーム1からアップリンクサブフレーム2に切り替わり、第1のガード期間は、第1の半分の部分である第1の切り替え時間と、第2の半分の部分(図の破線部分によって示される領域)であるRTTとの総和であり、端末は、第1のガード期間内では信号を処理しない。第1のガード期間は、1ミリ秒を超えるので、ダウンリンクサブフレーム1は、第1のガード期間に含まれ、ダウンリンクサブフレーム0の最後の部分も、第1のガード期間と重なり合い、ダウンリンクサブフレーム0は、ダウンリンクサブフレーム1の直前のサブフレームであり、端末は、ダウンリンクサブフレーム1においてデータを受信せず、またダウンリンクサブフレーム0の最後の部分(第1のガード期間との重なり合う領域)においてデータを受信することもしない。基地局の観点から、ダウンリンクサブフレーム1が、第1のガード期間に含まれる場合、基地局は、ダウンリンクサブフレーム1において端末をスケジュールすることに関してリソースを無駄にすることはあり得ず、基地局は、ダウンリンクサブフレーム0において端末をスケジュールし得るが、端末は、第1のダウンリンクサブフレーム0と第1のガード期間との間の重なり合う領域においてダウンリンクデータを受信し得ない。
【０１６０】
この実施形態によって提供される方法において、端末によって生成される第1のガード期間は、第1の切り替え時間とラウンドトリップタイムとの総和であり、端末が第1のガード期間内では信号を処理しないことが定義され、したがって、端末がダウンリンクからアップリンクへの切り替えの第1に切り替え時間において端末の挙動を決定できない事態が回避される。実際、第1の切り替え時間において、端末は、周波数および電力を調整しており、端末は、データを送信することもデータを受信することもし得ず、ラウンドトリップタイムにおいてダウンリンクデータを端末が受信しないことが設定され、これは、アップリンクサブフレームの送信の成功を保証し、それによって、ネットワークおよび端末が通常どおりデータを送受信できることを保証する。
【０１６１】
上で説明されている実施形態7に基づき、本発明の実施形態9は、端末がダウンリンクからアップリンクに切り替わり、第1のガード期間が1ミリ秒に等しい例を使用することによって半二重周波数分割複信通信方法を詳細に説明する。図9は、本発明の実施形態9による端末のダウンリンクからアップリンクへの切り替え時のシナリオの概略図である。
【０１６２】
この実施形態では、端末が、ダウンリンク受信からアップリンク送信に切り替わるときに、第1のガード期間は、1ミリ秒に等しくなるように設定される、すなわち、RTTと第1の切り替え時間との総和は、1ミリ秒に等しい。図9に示されているように、端末は、ダウンリンクサブフレーム1からアップリンクサブフレーム2に切り替わり、第1のガード期間は、第1の半分の部分である第1の切り替え時間と、第2の半分の部分(図の破線部分によって示される領域)であるRTTとの総和であり、第1のガード期間において、端末は、ダウンリンクサブフレーム1においてダウンリンクデータを受信しない。基地局の観点から、ダウンリンクサブフレーム1および第1のガード期間が、互いに完全に重なり合う場合に、基地局は、ダウンリンクサブフレーム1において端末をスケジュールすることに関してリソースを無駄にすることはあり得ない。
【０１６３】
この実施形態によって提供される方法において、端末によって生成される第1のガード期間は、第1の切り替え時間とラウンドトリップタイムとの総和であり、端末が第1のガード期間内では信号を処理しないことが定義され、したがって、端末がダウンリンクからアップリンクへの切り替えの第1に切り替え時間において端末の挙動を決定できない事態が回避される。実際、第1の切り替え時間において、端末は、周波数および電力を調整しており、端末は、データを送信することもデータを受信することもし得ず、ラウンドトリップタイムにおいてダウンリンクデータを端末が受信しないことが設定され、これは、アップリンクサブフレームの送信の成功を保証し、それによって、ネットワークおよび端末が通常どおりデータを送受信できることを保証する。
【０１６４】
図10は、本発明の実施形態10による半二重周波数分割複信通信方法の流れ図である。この実施形態では、ダウンリンク受信からアップリンク送信への端末の切り替えを説明する。この実施形態では、第1のガード期間は、1ミリ秒以上であり、図10に示されているように、この実施形態によって提供される方法は以下のステップを含む。
【０１６５】
ステップ201:端末のデータ処理がダウンリンクサブフレームから隣接するアップリンクサブフレームに切り替わるときに、基地局は、端末によって生成された第1のガード期間がダウンリンクサブフレームと重なり合うことを決定し、第1のガード期間は1ミリ秒以上である。
【０１６６】
基地局によって、端末によって生成された第1のガード期間がダウンリンクサブフレームと重なり合うと決定するステップは、特に、基地局によって、端末によって生成された第1のガード期間が1ミリ秒以上であるかどうかを決定し、もしそうであれば、すなわち、第1のガード期間が1ミリ秒以上である場合に、基地局によって、第1のガード期間はダウンリンクサブフレームと重なり合うと決定するステップである。特に、第1のガード期間が1ミリ秒を超えるときに、第1のガード期間は、ダウンリンクサブフレームおよびダウンリンクサブフレームの直前の第1のダウンリンクサブフレームの最後の部分と重なり合う、または第1のガード期間が、ダウンリンクサブフレームおよびダウンリンクサブフレームの直前のアップリンクサブフレームの最後の部分と重なり合い、第1のガード期間が1ミリ秒に等しいときに、第1のガード期間とダウンリンクサブフレームとは、互いに完全に重なり合う。
【０１６７】
ステップ202:基地局は、ダウンリンクサブフレームにおける端末のスケジューリングをスキップする、またはダウンリンクサブフレームにおける端末のスケジューリング優先度を最低レベルに設定する。
【０１６８】
第1のガード期間が、ダウンリンクサブフレームおよびダウンリンクサブフレームの直前の第1のダウンリンクサブフレームの最後の部分と重なり合う場合に、基地局は、ダウンリンクサブフレームにおいて端末をスケジュールしない、またはダウンリンクサブフレームにおける端末のスケジューリング優先度を最低レベルに設定するが、基地局は、ダウンリンクサブフレームの直前の第1のダウンリンクサブフレームにおいて端末をスケジュールし得る。第1のガード期間が、ダウンリンクサブフレームおよびダウンリンクサブフレームの直前のアップリンクサブフレームの最後の部分と重なり合う場合に、基地局は、ダウンリンクサブフレームにおいて端末をスケジュールしない、またはダウンリンクサブフレームにおける端末のスケジューリング優先度を最低レベルに設定するが、基地局は、ダウンリンクサブフレームの直前のアップリンクサブフレームにおいて端末をスケジュールし得る。第1のガード期間は1ミリ秒に等しい場合に、基地局は、ダウンリンクサブフレームにおいて端末をスケジュールしない、またはダウンリンクサブフレームにおける端末のスケジューリング優先度を最低レベルに設定する。ダウンリンクサブフレームにおける端末のスケジューリング優先度が、最低レベルであるときに、基地局は、ダウンリンクサブフレームにおいて他の端末を優先的にスケジュールする。
【０１６９】
この実施形態によって提供される方法において、端末のデータ処理がダウンリンクサブフレームから隣接するアップリンクサブフレームに切り替わるときに、基地局は、端末によって生成された第1のガード期間がダウンリンクサブフレームと重なり合うかどうかを決定し、端末によって生成された第1のガード期間がダウンリンクサブフレームと重なり合うときに、端末は、基地局によってダウンリンクサブフレームにおいて送信されたダウンリンクデータを通常どおりに受信することができない。この実施形態では、基地局は、ダウンリンクサブフレームにおいて端末をスケジュールしない、またはダウンリンクサブフレームにおける端末のスケジューリング優先度を最低レベルに設定し、それによって、基地局がダウンリンクサブフレームにおいてダウンリンクデータを端末に送信することによって引き起こされるリソースの無駄を回避し、リソースの利用効率を改善する。
【０１７０】
図11は、本発明の実施形態11による半二重周波数分割複信通信方法の流れ図である。この実施形態では、ダウンリンク受信からアップリンク送信への端末の切り替えを説明する。この実施形態では、第1のガード期間は、1ミリ秒未満であり、図11に示されているように、この実施形態によって提供される方法は以下のステップを含む。
【０１７１】
ステップ301:端末のデータ処理がダウンリンクサブフレームから隣接するアップリンクサブフレームに切り替わるときに、端末は、第1のガード期間を生成し、第1のガード期間は1ミリ秒未満であり、第1のガード期間はダウンリンクサブフレームの最後の部分と重なり合い、端末はダウンリンクサブフレームの最後のタイムスロットにおいて基地局によってスケジュールされない。
【０１７２】
この実施形態では、端末は、ラウンドトリップタイムおよび第1の切り替え時間に従って第1のガード期間を生成し、第1の切り替え時間は、周波数調整時間および電力調整時間を含み、周波数調整時間は、端末の発振器によるダウンリンク周波数からアップリンク周波数への切り替えのための調整時間であり、電力調整時間は、端末により電力を0からアップリンク送信電力まで調整するための調整時間である。特に、第1の切り替え時間が、ラウンドトリップタイムに含まれる場合に、端末は、ラウンドトリップタイムまたは第1の切り替え時間を第1のガード期間として使用し、確かに、第1のガード期間は、別の値であってもよく、例えば、端末は、第1の切り替え時間とラウンドトリップタイムとの間の最大値を第1のガード期間として使用する、または第1のガード期間は、第1の切り替え時間とラウンドトリップタイムとの間の最大値より大きく、1ミリ秒未満である任意の値であり、このことは本発明では制限されない。第1の切り替え時間が、ラウンドトリップタイムと重なり合わない場合に、端末は、ラウンドトリップタイムと第1の切り替え時間とを加えて、第1のガード期間を取得する、すなわち、ラウンドトリップタイムと第1の切り替え時間との総和を第1のガード期間として使用する。
【０１７３】
ステップ302:端末は、第1のガード期間におけるダウンリンク信号の受信をスキップする。
【０１７４】
第1のガード期間が、1ミリ秒未満であるときに、第1のガード期間は、ダウンリンクサブフレームの最後の部分と重なり合い、端末によって、第1のガード期間内ではダウンリンク信号の受信をスキップするステップは、特に、端末によって、ダウンリンクサブフレームの最後の部分におけるダウンリンク信号の受信をスキップするステップである。この場合、第1のガード期間は、ダウンリンクサブフレームと部分的に重なり合う。第1のガード期間が、0.5ミリ秒未満である場合に、基地局は、ダウンリンクサブフレームをスケジュールすることができ、第1のガード期間が0.5ミリ秒以上、1ミリ秒未満である場合に、ダウンリンクサブフレームの最後のタイムスロットは、第1のガード期間に含まれ、ダウンリンクサブフレームは、2つのタイムスロットを含み、ダウンリンクサブフレームの最初のタイムスロットは、第1のガード期間と部分的にしか重なり合わない。したがって、基地局は、ダウンリンクサブフレームの最後のタイムスロットにおける端末のスケジューリングをスキップすることができ、基地局は、それでも、端末による使用のためにダウンリンクサブフレームの最初のタイムスロットをスケジュールすることができるが、端末は、第1のタイムスロットと第1のガード期間との間の重なり合う部分においてデータを受信しない。
【０１７５】
この実施形態によって提供される方法において、端末がダウンリンクサブフレームから隣接するアップリンクサブフレームに切り替わるときに、端末は、第1のガード期間を生成し、端末のダウンリンクからアップリンクへの切り替えのための第1の切り替え時間は、第1のガード期間が生成されるときに考慮される。この実施形態では、端末が第1のガード期間内では信号を処理しないことが定義され、したがって、端末側で端末がデータを受信すべき、またはデータを送信すべきかを決定することができないことを指す、端末のダウンリンクからアップリンクへの切り替えプロセスにおける端末の挙動の不確実性が回避され、アップリンクサブフレームの正常な送信が保証されるものとしてよく、それによって、ネットワークおよび端末がデータを通常どおり送受信することができることを保証する。
【０１７６】
上で説明されている実施形態11に基づき、本発明の実施形態12は、端末がダウンリンクからアップリンクに切り替わり、第1のガード期間が1msよりも短い例を使用することによって半二重周波数分割複信通信方法を詳細に説明する。図12は、本発明の実施形態12による端末のダウンリンクからアップリンクへの切り替え時のシナリオの概略図である。
【０１７７】
この実施形態では、端末が、ダウンリンク受信からアップリンク送信に切り替わるときに、第1のガード期間は、1ミリ秒よりも短く設定され、このときに、第1の切り替え時間は、RTT時間に含まれ、この場合において、第1のガード期間は、RTTに等しい。図12に示されているように、端末が、ダウンリンクサブフレーム1からアップリンクサブフレーム2に切り替わるときに、第1の切り替え時間の開始位置は、アップリンクサブフレーム2の開始位置に合わされ、実際の適用プロセスでは、第1の切り替え時間の開始位置は、アップリンクサブフレーム2の開始位置と必ずしも合わされない。第1の切り替え時間の開始位置は、アップリンクサブフレーム2の任意の位置に合わされるものとしてよく、これは、図12における単なる例示的な説明にすぎない。実施形態8とは異なり、この実施形態では、第1の切り替え時間は、RTTに含まれる、すなわち、第1の切り替え時間およびRTTは、時間領域内で重なり合う。ダウンリンクサブフレーム1の最後の部分(その長さは第1のガード期間に等しい)において、端末は、ダウンリンクデータを受信しない。基地局は、ダウンリンクサブフレーム1において端末をスケジュールし得るが、端末は、ダウンリンクサブフレーム1の最後の部分においてデータを受信しない。
【０１７８】
この実施形態では、端末を実現し、端末がダウンリンクサブフレームから隣接するアップリンクサブフレームに切り替わるときに、生成モジュールは、第1のガード期間を生成し、端末のダウンリンクからアップリンクへの切り替えのための第1の切り替え時間は、第1のガード期間が生成されるときに考慮される。この実施形態では、端末が第1のガード期間内では信号を処理しないことが定義され、したがって、端末側で端末がデータを受信すべき、またはデータを送信すべきかを決定することができないことを指す、端末のダウンリンクからアップリンクへの切り替えプロセスにおける端末の挙動の不確実性が回避され、アップリンクサブフレームの正常な送信が保証されるものとしてよく、それによって、ネットワークおよび端末がデータを通常どおり送受信することができることを保証する。
【０１７９】
上で説明されている実施形態11に基づき、本発明の実施形態13は、端末がダウンリンクからアップリンクに切り替わり、第1のガード期間が0.5ミリ秒に等しい例を使用することによって半二重周波数分割複信通信方法を詳細に説明する。図13は、本発明の実施形態13による端末のダウンリンクからアップリンクへの切り替え時のシナリオの概略図である。
【０１８０】
この実施形態では、端末が、ダウンリンク受信からアップリンク送信に切り替わるときに、第1のガード期間は、0.5ミリ秒に等しくなるように設定される、すなわち、RTTと第1の切り替え時間との総和は、0.5ミリ秒に等しい。図13に示されているように、端末は、ダウンリンクサブフレーム1からアップリンクサブフレーム2に切り替わり、第1のガード期間は、第1の半分の部分である第1の切り替え時間と、第2の半分の部分(図の破線部分によって示される領域)であるRTTとの総和であり、第1のガード期間およびダウンリンクサブフレーム1の最後のタイムスロットは、互いに、完全に重なり合い、端末は、ダウンリンクサブフレーム1の最後のタイムスロットにおいてダウンリンクデータを受信しない。基地局の観点から、ダウンリンクサブフレーム1の最後のタイムスロットおよび第1のガード期間が、互いに、完全に重なり合う場合、基地局は、ダウンリンクサブフレーム1の最後のタイムスロットにおいて端末をスケジュールすることに関してリソースを無駄にすることはあり得ない。
【０１８１】
この実施形態によって提供される方法において、端末によって生成される第1のガード期間は、第1の切り替え時間とラウンドトリップタイムとの総和であり、端末が第1のガード期間内では信号を処理しないことが定義され、したがって、端末がダウンリンクからアップリンクへの切り替えの第1に切り替え時間において端末の挙動を決定できない事態が回避される。実際、第1の切り替え時間において、端末は、周波数および電力を調整しており、端末は、データを送信することもデータを受信することもし得ず、ラウンドトリップタイムにおいてダウンリンクデータを端末が受信しないことが設定され、これは、アップリンクサブフレームの送信の成功を保証し、それによって、ネットワークおよび端末が通常どおりデータを送受信できることを保証する。
【０１８２】
この実施形態において、第1のガード期間は、0.5ミリ秒に設定され、第1の切り替え時間が、RTT時間に含まれる場合に、すなわち、第1の切り替え時間およびRTTが時間領域内で重なり合う場合に、この場合において、第1のガード期間は、RTTに等しい。端末が、ダウンリンクサブフレーム1からアップリンクサブフレーム2に切り替わるときに、この実施形態では、第1の切り替え時間の開始位置は、アップリンクサブフレーム2の開始位置に合わされるが、実際の適用プロセスでは、第1の切り替え時間の開始位置は、アップリンクサブフレーム2の開始位置と必ずしも合わされず、第1の切り替え時間の開始位置は、アップリンクサブフレーム2の任意の位置に合わされるものとしてよい。この場合、ダウンリンクサブフレーム1の最後のタイムスロットおよび第1のガード期間は、互いに、完全に重なり合い、したがって、端末は、ダウンリンクサブフレーム1の最後のタイムスロットにおいてダウンリンクデータを受信しない。基地局は、ダウンリンクサブフレーム1の最後のタイムスロットにおいて端末をスケジュールすることに関してリソースを無駄にすることはあり得ない。
【０１８３】
第1の切り替え時間が、RTT時間に含まれる場合に、第1のガード期間は、RTT時間に等しい。端末が第1のガード期間内では信号を処理しないことが定義され、したがって、端末がダウンリンクからアップリンクへの切り替えの第1に切り替え時間内に端末の挙動を決定できない事態が回避される。実際、第1の切り替え時間において、端末は、周波数および電力を調整しており、端末はデータを送信することとも、データを受信することもできず、このことは従来技術と異なり、従来技術では、アップリンクサブフレームの送信の成功を保証するために、端末が、ラウンドトリップタイムにおいてアップリンクデータを送信することはできるが、データを受信することができないことが指定され、この実施形態では、端末は、第1のガード期間においてダウンリンクデータを受信することも、アップリンクデータを受信することもできない。
【０１８４】
図14は、本発明の実施形態14による半二重周波数分割複信通信方法の流れ図である。この実施形態では、ダウンリンク受信からアップリンク送信への端末の切り替えを説明する。図14に示されているように、この実施形態によって提供される方法は以下のステップを含む。
【０１８５】
ステップ401:端末のデータ処理がダウンリンクサブフレームから隣接するアップリンクサブフレームに切り替わるときに、基地局は、端末によって生成された第1のガード期間がダウンリンクサブフレームの最後のタイムスロットと重なり合うと決定し、第1のガード期間は1ミリ秒未満である。
【０１８６】
特に、端末は、端末によって生成された第1のガード期間が0.5ミリ秒以上、1ミリ秒未満であるかどうかを決定し、もしそうであれば、すなわち、第1のガード期間が0.5ミリ秒以上、1ミリ秒未満である場合に、端末は、第1のガード期間がダウンリンクサブフレームの最後のタイムスロットと重なり合うと決定する。ダウンリンクサブフレームは、2つのタイムスロットを含む。第1のガード期間が0.5ミリ秒以上、1ミリ秒未満であるときに、ダウンリンクサブフレームの最後のタイムスロットは、第1のガード期間に含まれ、ダウンリンクサブフレームの最初のタイムスロットは、第1のガード期間と部分的にしか重なり合わない。したがって、基地局は、ダウンリンクサブフレームの最後のタイムスロットにおける端末のスケジューリングをスキップすることができ、基地局は、それでも、端末による使用のためにダウンリンクサブフレームの最初のタイムスロットをスケジュールすることができるが、端末は、第1のタイムスロットと第1のガード期間との間の重なり合う部分においてデータを受信しない。
【０１８７】
ステップ402:基地局は、ダウンリンクサブフレームの最後のタイムスロットにおける端末のスケジューリングをスキップする、またはダウンリンクサブフレームの最後のタイムスロットにおける端末のスケジューリング優先度を最低レベルに設定する。
【０１８８】
第1のガード期間がダウンリンクサブフレームの最後のタイムスロットと重なり合う場合に、基地局は、ダウンリンクサブフレームの最後のタイムスロットにおける端末のスケジューリングをスキップし得る、またはダウンリンクサブフレームの最後のタイムスロットにおける端末のスケジューリング優先度を最低レベルに設定し得る。ダウンリンクサブフレームにおける端末のスケジューリング優先度が、最低レベルに設定されるときに、基地局は、ダウンリンクサブフレームにおいて他の端末を優先的にスケジュールする。
【０１８９】
この実施形態によって提供される方法において、端末のデータ処理がダウンリンクサブフレームから隣接するアップリンクサブフレームに切り替わるときに、基地局は、端末によって生成された第1のガード期間がダウンリンクサブフレームの最後のタイムスロットと重なり合うかどうかを決定し、端末によって生成された第1のガード期間がダウンリンクサブフレームの最後のタイムスロットと重なり合うときに、端末は、基地局によってダウンリンクサブフレームの最後のタイムスロットにおいて送信されたダウンリンクデータを正しく受信することができない。この実施形態では、基地局は、ダウンリンクサブフレームの最後のタイムスロットにおいて端末をスケジュールしない、またはダウンリンクサブフレームの最後のタイムスロットにおける端末のスケジューリング優先度を最低レベルに設定し、それによって、基地局がダウンリンクサブフレームの最後のタイムスロットにおいてダウンリンクデータを端末に送信することによって引き起こされるリソースの無駄を回避し、リソースの利用効率を改善する。
【０１９０】
図15は、本発明の実施形態15による半二重周波数分割複信通信方法の流れ図である。この実施形態では、アップリンク受信からダウンリンク送信への端末の切り替えを説明する。図15に示されているように、この実施形態によって提供される方法は以下のステップを含む。
【０１９１】
ステップ501:端末のデータ処理がアップリンクサブフレームから隣接するダウンリンクサブフレームに切り替わるときに、端末は、第2のガード期間を生成する。
【０１９２】
端末は、発振器を使用してダウンリンク周波数およびアップリンク周波数を維持するので、端末が、アップリンクからダウンリンクに切り替わるときに、発振器は、周波数をアップリンク周波数からダウンリンク周波数に切り替える必要があり、調整時間は、発振器がアップリンク周波数からダウンリンク周波数に切り替わるときに生成される、すなわち、時間遅延は、発振器がアップリンク周波数からダウンリンク周波数に切り替わるときに生成される。この実施形態において、端末が第1のガード期間を生成するときに、発振器の周波数調整時間が考慮される。この実施形態では、端末は、ラウンドトリップタイムおよび第2の切り替え時間に従って第2のガード期間を生成し、第2の切り替え時間は、周波数調整時間および電力調整時間を含み、周波数調整時間は、端末の発振器によるアップリンク周波数からダウンリンク周波数への切り替えのための調整時間であり、電力調整時間は、端末の電力を0から送信電力まで調整するための調整時間である。
【０１９３】
第2の切り替え時間が、RTTよりも大きい場合に、端末は、第2の切り替え時間からラウンドトリップタイムを差し引き、第2のガード期間を取得し得る、すなわち、第2のガード期間は、第2の切り替え時間とRTTとの間の差に等しく、確かに、第2のガード期間も、第2の切り替え時間とRTTとの間の差よりも大きい場合がある。第2のガード期間は、アップリンクサブフレーム、または時間領域におけるアップリンクサブフレームの隣接するダウンリンクサブフレームと重なり合う。第2の切り替え時間が、RTT以下である場合に、端末は、第2のガード期間を生成しない、すなわち、第2の切り替え時間が、RTT以下であるときに、端末に対して第2のガード期間を定義することは必要ない。
【０１９４】
第1のオプションの実装方式において、端末によって、第2のガード期間を生成するステップは、特に、端末によって、ダウンリンクサブフレームが、端末に送信される物理ハイブリッド自動再送要求インジケータチャネルPHICH情報を含むかどうかを決定し、ダウンリンクサブフレームが、端末に送信されるPHICH情報を含む場合に、端末によって、第2のガード期間を生成し、生成された第2のガード期間はアップリンクサブフレームと重なり合う、またはダウンリンクサブフレームが、端末に送信されるPHICH情報を含まない場合に、端末によって、第2のガード期間を生成し、生成された第2のガード期間はダウンリンクサブフレームと重なり合う。
【０１９５】
第2のオプションの実装方式において、端末によって、第2のガード期間を生成するステップは、特に、端末によって、アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定し、アップリンクサブフレームがこれらのアップリンク信号のうちのどれか1つを含む場合に、端末によって、第2のガード期間を生成し、生成された第2のガード期間はダウンリンクサブフレームと重なり合う、またはアップリンクサブフレームがこれらのアップリンク信号のうちのどの1つも含まない場合に、端末によって、第2のガード期間を生成し、生成された第2のガード期間はアップリンクサブフレームと重なり合う。
【０１９６】
上で説明されている2つのオプションの実装方式は、端末がダウンリンクサブフレームから隣接するアップリンクサブフレームに切り替わるプロセスにも適用され得る、すなわち、端末が、第1のガード期間を生成するときに、上で説明されている2つのオプションの実装方式に従って、生成された第1のガード期間がアップリンクサブフレームまたはダウンリンクサブフレームと重なり合うかどうかについても決定されるものとしてよく、ここで再び特定のプロセスが説明されないことに留意されたい。
【０１９７】
ステップ502:端末は、第2のガード期間内では信号の処理をスキップする。または第2のガード期間が配置されているサブフレームにおける信号の処理をスキップする。
【０１９８】
上記のことから、第2のガード期間は、次の可能な値をとるものとしてよいことが知られ、これらの値は、以下のように個別に説明される。
【０１９９】
第1の場合において、第2のガード期間は1ミリ秒未満であり、第2のガード期間はアップリンクサブフレームの最後の部分と重なり合い、アップリンクサブフレームの最後の部分は、第2のガード期間とアップリンクサブフレームとの間の重なり合う部分であり、この場合、端末によって、第2のガード期間内では信号の処理をスキップするステップは、特に、端末によって、アップリンクサブフレームの最後の部分におけるアップリンク信号の送信をスキップするステップであり、端末によって、第2のガード期間が配置されているサブフレームにおける信号の処理をスキップするステップは、特に、端末によって、アップリンクサブフレームにおけるアップリンク信号の送信をスキップするステップである。この場合、第2の切り替え時間は、RTTよりも大きく、第2のガード期間は、RRTを第2の切り替え時間から差し引くことによって求められる差に等しいものとしてよい。端末は、第2のガード期間において基地局によってスケジュールされない、または端末は、第2のガード期間が配置されているサブフレームにおいて基地局によってスケジュールされない。第2のガード期間が、0.5ミリ秒に等しく、0.5ミリ秒が、1つのタイムスロットの長さであり、アップリンクサブフレームが、2つのタイムスロットを含む場合に、基地局は、アップリンクサブフレームの最後のタイムスロットにおいて端末をスケジュールし得ない、
【０２００】
第1の場合において、第2のガード期間は1ミリ秒未満であり、第2のガード期間はダウンリンクサブフレームの最初の部分と重なり合い、ダウンリンクサブフレームの最初の部分は、第2のガード期間とダウンリンクサブフレームとの間の重なり合う部分であり、この場合、端末によって、第2のガード期間内では信号の処理をスキップするステップは、特に、端末によって、ダウンリンクサブフレームの最初の部分におけるダウンリンク信号の受信をスキップするステップであり、端末によって、第2のガード期間が配置されているサブフレームにおける信号の処理をスキップするステップは、特に、端末によって、ダウンリンクサブフレームにおけるダウンリンク信号の受信をスキップするステップである。この場合、第2の切り替え時間は、RTTよりも大きく、第2のガード期間は、RRTを第2の切り替え時間から差し引くことによって求められる差に等しいものとしてよい。端末は、第2のガード期間において基地局によってスケジュールされない、または端末は、第2のガード期間が配置されているサブフレームにおいて基地局によってスケジュールされない。第2のガード期間がダウンリンクサブフレームの最初の部分と重なり合うときに、基地局は、ダウンリンクサブフレームの最初の部分において端末をスケジュールしない、またはダウンリンクサブフレームにおいて端末をスケジュールしない。第2のガード期間が、0.5ミリ秒に等しい場合に、基地局は、ダウンリンクサブフレームの最初のタイムスロットにおいて端末をスケジュールし得ず、ダウンリンクサブフレームは、2つのタイムスロットを含む。
【０２０１】
第3の場合において、第2のガード期間は1ミリ秒に等しく、第2のガード期間はダウンリンクサブフレームと重なり合い、この場合、端末によって、第2のガード期間内では信号の処理をスキップするステップは、特に、端末によって、ダウンリンクサブフレームにおけるダウンリンク信号の受信をスキップするステップであり、端末によって、第2のガード期間が配置されているサブフレームにおける信号の処理をスキップするステップは、特に、端末によって、ダウンリンクサブフレームにおけるダウンリンク信号の受信をスキップするステップである。
【０２０２】
第4の場合において、第2のガード期間は1ミリ秒に等しく、第2のガード期間はアップリンクサブフレームと重なり合い、この場合、端末によって、第2のガード期間内では信号の処理をスキップするステップは、特に、端末によって、アップリンクサブフレームにおけるアップリンク信号の送信をスキップするステップであり、端末によって、第2のガード期間が配置されているサブフレームにおける信号の処理をスキップするステップは、特に、端末によって、アップリンクサブフレームにおけるアップリンク信号の送信をスキップするステップである。
【０２０３】
第5の場合において、第2のガード期間は1ミリ秒に等しい、または等しく、第2のガード期間は、アップリンクサブフレームおよびアップリンクサブフレームの直前の隣接するアップリンクサブフレームと重なり合う、または第2のガード期間は、ダウンリンクサブフレームおよびダウンリンクサブフレームの直後の隣接するダウンリンクサブフレームと重なり合う。端末は、アップリンクサブフレームおよびアップリンクサブフレームの直前の隣接するアップリンクサブフレームにおいてアップリンク信号を送信せず、基地局は、アップリンクサブフレームにおいて端末をスケジュールし得ない。代替的に、端末は、ダウンリンクサブフレームおよびダウンリンクサブフレームの直後の隣接するダウンリンクサブフレームにおいてダウンリンク信号を受信せず、基地局は、ダウンリンクサブフレームにおいて端末をスケジュールし得ない。
【０２０４】
この実施形態では、ダウンリンク信号は、PDCCH信号、EPDCCH信号、CRS信号、MBSFN信号、サービスデータ信号、PHICH信号、およびPCFICH信号のうちの1つまたは複数を含む。
【０２０５】
この実施形態では、いくつかのダウンリンク信号は、ダウンリンクサブフレーム全体で運ばれず、ダウンリンクサブフレームの一部で運ばれ、ダウンリンクサブフレームの最初の部分、最後の部分、もしくは真ん中の部分で運ばれ得る。この場合、第2のガード期間がダウンリンクサブフレームの最初の部分と重なり合う場合に、端末が、ダウンリンクサブフレームにおいてEPDCCH信号を受信するように基地局によって構成されるときに、端末によって、ダウンリンクサブフレームの最初の部分におけるダウンリンク信号の受信をスキップするステップは、特に、端末によって、ダウンリンクサブフレームの最初の部分におけるEPDCCH信号もしくはダウンリンク信号の受信をスキップすることである。端末が、ダウンリンクサブフレームにおいてMBSFN信号を受信するように基地局によって構成される場合、端末によって、ダウンリンクサブフレームの最初の部分におけるダウンリンク信号の受信をスキップするステップは、特に、端末によって、ダウンリンクサブフレームの最初の部分におけるMBSFN信号もしくはダウンリンク信号の受信をスキップするステップである。ダウンリンクサブフレームの最初の部分は、ダウンリンクサブフレームと第2のガード期間との間の重なり合う部分を指す。
【０２０６】
第2のガード期間がダウンリンクサブフレームの最初の部分と重なり合う場合に、端末は、また、それ自体で、ダウンリンクサブフレームの最初の部分においてダウンリンク信号を受信するかどうかを決定することができ、これはもっぱら次の3つの場合を含む。
【０２０７】
(1)端末が、ダウンリンクサブフレームにおいてEPDCCH信号を受信するように基地局によって構成される場合に、端末によって、ダウンリンクサブフレームの最初の部分におけるダウンリンク信号の受信をスキップするステップは、特に、端末によって、第2のガード期間がEPDCCH信号の受信時間と重なり合うかどうかを決定し、第2のガード期間がEPDCCH信号の受信時間と重なり合う場合に、端末によって、ダウンリンクサブフレームにおけるEPDCCH信号もしくはダウンリンク信号の受信をスキップするステップ、または第2のガード期間がEPDCCH信号の受信時間と重なり合わない場合に、端末によって、ダウンリンクサブフレームの最初の部分におけるEPDCCH信号もしくはダウンリンク信号の受信をスキップするステップである。
【０２０８】
(2)端末が、ダウンリンクサブフレームにおいてMBSFN信号を受信するように基地局によって構成される場合に、端末によって、ダウンリンクサブフレームの最初の部分におけるダウンリンク信号の受信をスキップするステップは、特に、端末によって、第2のガード期間がMBSFN信号の受信時間と重なり合うかどうかを決定し、第2のガード期間がMBSFN信号の受信時間と重なり合う場合に、端末によって、ダウンリンクサブフレームにおけるMBSFN信号もしくはダウンリンク信号の受信をスキップするステップ、または第2のガード期間がMBSFN信号の受信時間と重なり合わない場合に、端末によって、ダウンリンクサブフレームの最初の部分におけるMBSFN信号もしくはダウンリンク信号の受信をスキップするステップである。
【０２０９】
(3)端末が、ダウンリンクサブフレームにおいて物理ダウンリンク共有チャネル(Physical Downlink Shared Channel、略してPDSCH)信号を受信するように基地局によって構成される場合に、端末によって、ダウンリンクサブフレームの最初の部分におけるダウンリンク信号の受信をスキップするステップは、特に、端末によって、PDSCH信号に対応するPDCCH信号が、ダウンリンクサブフレームに含まれるかどうかを決定し、PDCCH信号がダウンリンクサブフレームに含まれる場合に、端末によって、ダウンリンクサブフレームにおけるPDSCH信号もしくはダウンリンク信号の受信をスキップするステップ、またはPDCCH信号がダウンリンクサブフレームに含まれない場合に、端末によって、ダウンリンクサブフレームの最初の部分におけるPDSCH信号もしくはダウンリンク信号の受信をスキップするステップである。
【０２１０】
この実施形態では、端末が、ダウンリンクサブフレームの最初の部分におけるダウンリンク信号の受信をスキップする、またはダウンリンクサブフレームにおけるダウンリンク信号の受信をスキップするときに、端末は、ダウンリンクサブフレームが、端末に送信されるPHICH情報を含むかどうかを決定し、ダウンリンクサブフレームが、端末に送信されるPHICH情報を含む場合、端末は、ダウンリンクサブフレームの後の第Nのダウンリンクサブフレームにおいて、端末に送信されたPHICH情報を受信し、Nは、1以上の正整数である。端末によって、ダウンリンクサブフレームが、端末に送信されるPHICH情報を含むかどうかを決定するステップは、特に以下のとおりである。端末が第iのアップリンクサブフレームにおいてPUSCH情報を送信する場合、基地局は、第(i+4)のサブフレームにおいてPHICH情報を端末に送信して、PUSCH情報の受信に成功したかどうかをフィードバックし、したがって、端末は、ダウンリンクサブフレームが、端末に送信されるPHICH情報を含むかどうかを決定し得る。基地局の観点から、基地局は、端末がPUSCH情報の送信を終了した後にPHICH情報が第4のサブフレームにおいて端末にフィードバックされる必要があることも知る。この実施形態の解決方法において、ダウンリンクサブフレームが、端末に送信されるPHICH情報を含む場合に、基地局は、N個のサブフレーム分だけPHICH情報の送信を遅延させることができ、それに対応して、端末は、ダウンリンクサブフレームの後の第Nのサブフレームにおいて、端末に送信されたPHICH情報を受信し、それにより、端末のデータ処理がアップリンクサブフレームからダウンリンクサブフレームに切り替わるときに、PHICH情報の喪失が回避され得る。
【０２１１】
この実施形態によって提供される方法において、端末がアップリンクサブフレームからダウンリンクサブフレームに切り替わるときに、端末は、第2のガード期間を生成し、第2のガード期間はアップリンクサブフレームもしくはダウンリンクサブフレームと重なり合う。この実施形態では、端末が第2のガード期間内では信号を処理しないことが定義される、したがって、端末側で端末がデータを受信すべき、またはデータを送信すべきかを決定することができないことを指す、端末のアップリンクからダウンリンクへの切り替えプロセスにおける端末の挙動の不確実性が回避され、したがって、これは、ネットワークおよび端末が、データの送受信を通常どおり行えることを保証する。
【０２１２】
次に、いくつかの特定の実施形態を使用することによって実施形態15の解決方法を詳しく説明する。
【０２１３】
上で説明されている実施形態15に基づき、本発明の実施形態16は、端末がアップリンクからダウンリンクに切り替わり、第2のガード期間が時間領域においてダウンリンクサブフレームの最初の部分と重なり合う例を使用することによって半二重周波数分割複信通信方法を詳細に説明する。図16は、本発明の実施形態16による端末のアップリンクからダウンリンクへの切り替え時のシナリオの概略図である。
【０２１４】
この実施形態では、端末が、アップリンク送信からダウンリンク受信に切り替わるときに、第2の切り替え時間が、RTTよりも大きく、端末が、アップリンクサブフレームの送信を終了した後に切り替えを開始する場合、第2の切り替え時間はダウンリンクサブフレームと重なり合う。図16に示されているように、端末は、アップリンクサブフレーム1からダウンリンクサブフレーム2に切り替わり、切り替えに必要な時間は、第2の切り替え時間である。第2の切り替え時間は、端末と基地局との間のRTTよりも大きいので、第2の切り替え期間は、ダウンリンクサブフレーム2の最初の部分と部分的に重なり合う。したがって、第2のガード期間が定義される必要があり、第2のガード期間は、第2の切り替え時間とダウンリンクサブフレーム2との間の時間領域重なり合い領域である、すなわち、第2のガード期間の値は、第2の切り替え時間からRTTを引いた値に等しく、第2のガード期間は、1ミリ秒未満である。第2のガード期間が1ミリ秒未満であるときに、ある場合において、端末は、第2のガード期間においてダウンリンクデータを受信せず、基地局は、端末による使用のために、第2のガード期間が配置されるダウンリンクサブフレーム2をなおもスケジュールすることができ、別の場合には、端末は、第2のガード期間が配置されるダウンリンクサブフレーム2においてダウンリンクデータを受信せず、基地局は、ダウンリンクサブフレーム2において端末をスケジュールし得ない。
【０２１５】
この実施形態によって提供される方法において、端末が、アップリンクからダウンリンクに切り替わるときに、第2のガード期間はダウンリンクサブフレームの最初の部分と重なり合い、端末が第2のガード期間においてダウンリンクデータを受信しないこと、または端末が第2のガード期間が配置されるダウンリンクサブフレームにおいてダウンリンクデータを受信しないことが定義され、したがって、端末が第2のガード期間においてそれの挙動を決定することができないという事態が回避され、それにより、端末のアップリンクサブフレームは、正常に送信することができ、それによって、ネットワークおよび端末が通常どおりデータを送受信することができることを保証する。
【０２１６】
上で説明されている実施形態15に基づき、本発明の実施形態17は、端末がアップリンクからダウンリンクに切り替わり、第2のガード期間が時間領域においてアップリンクサブフレームの最後の部分と重なり合う例を使用することによって半二重周波数分割複信通信方法を詳細に説明する。図17は、本発明の実施形態17による端末のアップリンクからダウンリンクへの切り替え時のシナリオの概略図である。
【０２１７】
この実施形態では、端末が、アップリンク送信からダウンリンク受信に切り替わるときに、第2の切り替え時間が、RTTよりも大きく、端末が、アップリンクサブフレームの送信を終了する前に切り替えを開始し、ダウンリンクサブフレームの開始位置で切り替えを終了した場合、第2の切り替え期間は、アップリンクサブフレームの最初の部分と重なり合う。図17に示されているように、端末は、アップリンクサブフレーム1からダウンリンクサブフレーム2に切り替わり、切り替えに必要な時間は、第2の切り替え時間である。第2の切り替え時間が、端末と基地局との間のRTT時間よりも長い場合、および端末が、アップリンクサブフレーム1の送信を終了する前に切り替えを開始した場合に、第2の切り替え期間は、アップリンクサブフレーム1の最後の部分と部分的に重なり合う。したがって、第2のガード期間が定義される必要があり、第2のガード期間は、第2の切り替え時間とアップリンクサブフレーム1との間の時間領域重なり合い領域である、すなわち、第2のガード期間の値は、第2の切り替え時間からRTTを引いた値に等しく、第2のガード期間は、1ミリ秒未満である。第2のガード期間が1ミリ秒未満であるときに、ある場合において、端末は、第2のガード期間においてアップリンクデータを送信しないが、基地局は、それでもなお、端末による使用のためアップリンクサブフレーム1をスケジュールすることができ、別の場合には、端末は、第2のガード期間が配置されるアップリンクサブフレーム1においてアップリンクデータを送信せず、基地局は、端末による使用のためアップリンクサブフレーム1をスケジュールすることができない。
【０２１８】
この実施形態によって提供される方法において、端末が、アップリンクからダウンリンクに切り替わるときに、第2のガード期間はアップリンクサブフレームの最後の部分と重なり合い、端末が第2のガード期間においてアップリンクデータを送信しないことが定義され、したがって、端末が第2のガード期間においてそれの挙動を決定することができないという事態が回避され、それにより、端末のダウンリンクサブフレームは、正常に受信することができ、それによって、ネットワークおよび端末が通常どおりデータを送受信することができることを保証する。
【０２１９】
実施形態16と実施形態17との間の違いは、端末が異なる時刻に開始することにあり、実施形態16において、端末は、アップリンクサブフレームの送信を終了する前に切り替えを開始し、ダウンリンクサブフレームの開始位置で切り替えを終了するが、実施形態17では、端末は、アップリンクサブフレームが終了した直後に切り替えを開始する。切り替えのメカニズムが異なるので、第2のガード期間は異なるサブフレーム内に配置されるが、重なり合い領域のサイズは同じであり得る、すなわち、第2のガード期間の値は、同じであるものとしてよい。
【０２２０】
上で説明されている実施形態15に基づき、本発明の実施形態18は、端末がアップリンクからダウンリンクに切り替わり、第2のガード期間が時間領域においてアップリンクサブフレームまたはダウンリンクサブフレームと重なり合わない例を使用することによって半二重周波数分割複信通信方法を詳細に説明する。図18は、本発明の実施形態18による端末のアップリンクからダウンリンクへの切り替え時のシナリオの概略図である。
【０２２１】
この実施形態では、端末が、アップリンク送信からダウンリンク受信に切り替わるときに、第2の切り替え時間が、RTTよりも短い場合、第2の切り替え時間は。アップリンクサブフレームと重なることも、ダウンリンクサブフレームと重なることもない。図18に示されているように、端末は、アップリンクサブフレーム1からダウンリンクサブフレーム2に切り替わり、切り替えに必要な時間は、第2の切り替え時間である。第2の切り替え時間が、端末と基地局との間のRTT以下である場合に、第2の切り替え時間は、アップリンクサブフレーム1またはダウンリンクサブフレーム2に全く影響を及ぼさず、したがって、端末は、第2のガード期間がゼロであるとみなすことができる。
【０２２２】
この実施形態によって提供される方法において、端末が、アップリンクからダウンリンクに切り替わるときに、端末のアップリンクからダウンリンクへの切り替えの第2の切り替え時間が、ラウンドトリップタイムより短い場合、端末は、ラウンドトリップタイムにおいてアップリンクからダウンリンクへの切り替えを終了することができ、したがって、端末に対する第2のガード期間を定義する必要はなく、端末は、通常どおりデータを送受信することができる。
【０２２３】
上で説明されている実施形態15に基づき、本発明の実施形態19は、端末がアップリンクからダウンリンクに切り替わり、第2のガード期間が時間領域においてダウンリンクサブフレームと重なり合う例を使用することによって半二重周波数分割複信通信方法を詳細に説明する。図19は、本発明の実施形態19による端末のアップリンクからダウンリンクへの切り替え時のシナリオの概略図である。
【０２２４】
この実施形態では、端末が、アップリンク送信からダウンリンク受信に切り替わるときに、第2の切り替え時間が、RTTよりも長く、端末が、アップリンクサブフレームの送信を終了した後、切り替えを開始した場合、第2の切り替え期間はダウンリンクサブフレームと重なり合う。図19に示されているように、端末は、アップリンクサブフレーム1からダウンリンクサブフレーム2に切り替わり、切り替えに必要な時間は、第2の切り替え時間である。第2の切り替え時間は、端末と基地局との間でRTTよりも長いので、第2の切り替え期間はダウンリンクサブフレーム2と重なり合う。したがって、第2のガード期間が、定義される必要がある。この実施形態では、第2のガード期間は1ミリ秒に等しい。第2のガード期間が1ミリ秒に等しいときに、第2のガード期間はダウンリンクサブフレーム2と重なり合い、この場合、端末は、ダウンリンクサブフレーム2においてダウンリンクデータを受信せず、基地局は、ダウンリンクサブフレーム2において端末をスケジュールし得ない。
【０２２５】
この実施形態によって提供される方法において、端末が、アップリンクからダウンリンクに切り替わるときに、第2のガード期間はダウンリンクサブフレームと重なり合い、端末が第2のガード期間においてダウンリンクデータを受信しないことが定義され、したがって、端末が第2のガード期間においてそれの挙動を決定することができないという事態が回避され、それにより、端末のアップリンクサブフレームは、正常に送信することができ、それによって、ネットワークおよび端末が通常どおりデータを送受信することができることを保証する。
【０２２６】
上で説明されている実施形態15に基づき、本発明の実施形態20は、端末がアップリンクからダウンリンクに切り替わり、第2のガード期間が時間領域においてアップリンクサブフレームと重なり合う例を使用することによって半二重周波数分割複信通信方法を詳細に説明する。図20は、本発明の実施形態20による端末のアップリンクからダウンリンクへの切り替え時のシナリオの概略図である。
【０２２７】
この実施形態では、端末が、アップリンク送信からダウンリンク受信に切り替わるときに、第2の切り替え時間が、RTTよりも長く、端末が、アップリンクサブフレームの開始位置で切り替えを開始し、ダウンリンクサブフレームの開始位置で切り替えを終了する。第2の切り替え期間は、アップリンクサブフレームと重なり合う。図20に示されているように、端末は、アップリンクサブフレーム1の開始位置で、ダウンリンクサブフレーム2に切り替わり、切り替えに必要な時間は、第2の切り替え時間であり、第2の切り替え時間は、端末と基地局との間のRTT時間よりも長く、したがって、第2のガード期間が、定義される必要がある。この実施形態では、第2のガード期間は1ミリ秒に等しい。第2のガード期間が1ミリ秒に等しいときに、端末は、第2のガード期間が配置されるアップリンクサブフレーム1においてアップリンクデータを送信せず、基地局は、端末による使用のためアップリンクサブフレーム1をスケジュールすることができない。
【０２２８】
この実施形態によって提供される方法において、端末が、アップリンクからダウンリンクに切り替わるときに、第2のガード期間はアップリンクサブフレームと重なり合い、端末が第2のガード期間においてアップリンクデータを送信しないことが定義され、したがって、端末が第2のガード期間においてそれの挙動を決定することができないという事態が回避され、それにより、端末のダウンリンクサブフレームは、正常に受信することができ、それによって、ネットワークおよび端末が通常どおりデータを送受信することができることを保証する。
【０２２９】
図21は、本発明の実施形態21による半二重周波数分割複信通信方法の流れ図である。この実施形態では、アップリンク受信からダウンリンク送信への端末の切り替えを説明する。図21に示されているように、この実施形態によって提供される方法は以下のステップを含む。
【０２３０】
ステップ601:端末のデータ処理がアップリンクサブフレームから隣接するダウンリンクサブフレームに切り替わるときに、基地局は、端末によって生成された第2のガード期間を決定する。
【０２３１】
第1のオプションの実装方式において、基地局によって、端末によって生成された第2のガード期間を決定するステップは、特に、基地局によって、ダウンリンクサブフレームが、端末に送信される物理ハイブリッド自動再送要求インジケータチャネルPHICH情報を含むかどうかを決定し、ダウンリンクサブフレームが、端末に送信されるPHICH情報を含む場合に、基地局によって、第2のガード期間がアップリンクサブフレームと重なり合うと決定するステップ、またはダウンリンクサブフレームが、端末に送信されるPHICH情報を含まない場合に、基地局によって、生成された第2のガード期間がダウンリンクサブフレームと重なり合うと決定するステップである。
【０２３２】
第2のオプションの実装方式において、基地局によって、端末によって生成された第2のガード期間を決定するステップは、特に、基地局によって、アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定し、アップリンクサブフレームがこれらのアップリンク信号のうちのどれか1つを含む場合に、基地局によって、生成された第2のガード期間がダウンリンクサブフレームと重なり合うと決定するステップ、またはアップリンクサブフレームがこれらのアップリンク信号のうちのどの1つも含まない場合に、基地局によって、生成された第2のガード期間がアップリンクサブフレームと重なり合うと決定するステップである。
【０２３３】
上で説明されている2つのオプションの実装方式は、端末がダウンリンクサブフレームから隣接するアップリンクサブフレームに切り替わるプロセスにも適用され得る、すなわち、基地局が、第1のガード期間を決定するときに、上で説明されている2つのオプションの実装方式に従って、第1のガード期間がアップリンクサブフレームまたはダウンリンクサブフレームと重なり合うかどうかについても決定されるものとしてよく、ここで再び特定のプロセスが説明されないことに留意されたい。
【０２３４】
ステップ602:基地局は、第2のガード期間もしくは第2のガード期間が配置されるサブフレームにおける端末のスケジューリングをスキップする、または基地局は、第2のガード期間もしくは第2のガード期間が配置されるサブフレームにおいて端末のスケジューリング優先度を最低レベルに設定する。
【０２３５】
この実施形態では、第2のガード期間の値は、1ミリ秒よりも小さい値、1ミリ秒に等しい値、および1ミリ秒よりも大きい値の3つの値をとり得る。第2のガード期間が1ミリ秒未満であるときに、第2のガード期間はアップリンクサブフレームの最後の部分と重なり合い、アップリンクサブフレームの最後の部分は、第2のガード期間とアップリンクサブフレームとの間の重なり合う部分である、または第2のガード期間は、ダウンリンクサブフレームの最初の部分と重なり合い、ダウンリンクサブフレームの最初の部分は、第2のガード期間とダウンリンクサブフレームとの間の重なり合う部分である。第2のガード期間が1ミリ秒に等しいときに、第2のガード期間は、アップリンクサブフレームと重なり合う、またはダウンリンクサブフレームと重なり合う。第2のガード期間が1ミリ秒よりも長いときに、第2のガード期間は、アップリンクサブフレームおよびアップリンクサブフレームの直前の隣接するアップリンクサブフレームと重なり合う、または第2のガード期間は、ダウンリンクサブフレームおよびダウンリンクサブフレームの直後の隣接するダウンリンクサブフレームと重なり合う。
【０２３６】
基地局によって、第2のガード期間もしくは第2のガード期間が配置されるサブフレームにおける端末のスケジューリングをスキップするステップ、または、基地局によって、第2のガード期間もしくは第2のガード期間が配置されるサブフレームにおいて端末のスケジューリング優先度を最低レベルに設定するステップは、特に、第2のガード期間がアップリンクサブフレームと重なり合う場合に、基地局によって、アップリンクサブフレームの最後の部分における、もしくはアップリンクサブフレームにおける端末のスケジューリングをスキップする、またはアップリンクサブフレームの最後の部分における、もしくはアップリンクサブフレームにおける端末のスケジューリング優先度を最低レベルに設定するステップであり、アップリンクサブフレームの最後の部分は、第2のガード期間とアップリンクサブフレームとの間の重なり合う部分である。第2のガード期間がダウンリンクサブフレームと重なり合う場合に、基地局は、ダウンリンクサブフレームの最初の部分における、もしくはダウンリンクサブフレームにおける端末のスケジューリングをスキップする、またはダウンリンクサブフレームの最初の部分における、もしくはダウンリンクサブフレームにおける端末のスケジューリング優先度を最低レベルに設定し、ダウンリンクサブフレームの最初の部分は、第2のガード期間とダウンリンクサブフレームとの間の重なり合う部分である。
【０２３７】
基地局がダウンリンクサブフレームの最初の部分における、もしくはダウンリンクサブフレームにおける端末のスケジューリングをスキップする、またはダウンリンクサブフレームの最初の部分における、もしくはダウンリンクサブフレームにおける端末のスケジューリング優先度を最低レベルに設定するときに、基地局は、ダウンリンクサブフレームが、端末に送信されるPHICH情報を含むかどうかを決定し、ダウンリンクサブフレームが、端末に送信されるPHICH情報を含む場合、基地局は、ダウンリンクサブフレームの後の第Nのダウンリンクサブフレームにおいて、端末にPHICH情報を送信し、Nは、1以上の正整数である。基地局によって、ダウンリンクサブフレームが、端末に送信されるPHICH情報を含むかどうかを決定するステップは、特に以下のとおりである。端末が第iのアップリンクサブフレームにおいてPUSCH情報を送信する場合、基地局は、第(i+4)のサブフレームにおいてPHICH情報を端末に送信して、PUSCH情報の受信に成功したかどうかをフィードバックし、したがって、基地局は、ダウンリンクサブフレームが、端末に送信されるPHICH情報を含むかどうかを決定し得る。それに対応して、端末は、ダウンリンクサブフレームの後の第Nのサブフレームにおいて、端末に送信されたPHICH情報を受信し、それにより、端末のデータ処理がアップリンクサブフレームからダウンリンクサブフレームに切り替わるときに、PHICH情報の喪失が回避され得る。
【０２３８】
この実施形態によって提供される方法において、端末のデータ処理がダウンリンクサブフレームから隣接するアップリンクサブフレームに切り替わるときに、基地局は、端末によって生成された第2のガード期間を決定し、第2のガード期間がダウンリンクサブフレームの第1のタイムスロットまたはアップリンクサブフレームの最後のタイムスロットと重なり合うときに、端末は、重なり合う領域において、すなわち、第2のガード期間において通常どおりにデータを送信または受信することができない。この実施形態では、基地局は、ダウンリンクサブフレームの最初のタイムスロット、すなわち、第2のガード期間、またはアップリンクサブフレームの最後のタイムスロット、すなわち、第2のガード期間が配置されるサブフレームにおいて端末をスケジュールせず、それによって、基地局が第2のガード期間においてダウンリンクデータを端末に送信することによって引き起こされるリソースの無駄を回避し、リソースの利用効率を改善する。
【０２３９】
図22は、本発明の実施形態22による端末の概略構造図である。図22に示されているように、この実施形態によって実現される端末200は、プロセッサ2001と、メモリ2002と、トランシーバ2003とを備え、メモリ2002およびトランシーバ2003は、バスを使用することによってプロセッサ2001に接続されるものとしてよく、メモリ2002には、命令を記憶し、端末200が稼働すると、メモリ2002は、プロセッサ2001と通信し、それにより、プロセッサ2001は命令を実行する。
【０２４０】
プロセッサ2001は、端末のデータ処理がダウンリンクサブフレームから隣接するアップリンクサブフレームに切り替わるときに、第1のガード期間を生成し、第1のガード期間は1ミリ秒以上である、ように構成される。
【０２４１】
プロセッサ2001は、第1のガード期間における信号の処理をスキップするようにトランシーバ2003を制御するようにさらに構成される。
【０２４２】
第1のガード期間が1ミリ秒を超えるときに、第1のガード期間は、ダウンリンクサブフレームおよびダウンリンクサブフレームの直前の第1のダウンリンクサブフレームの最後の部分と重なり合い、トランシーバ2003は、ダウンリンクサブフレームにおいて、および第1のダウンリンクサブフレームの最後の部分において、ダウンリンク信号を受信しない。
【０２４３】
第1のガード期間が1ミリ秒を超えるときに、第1のガード期間が、ダウンリンクサブフレームおよびダウンリンクサブフレームの直前のアップリンクサブフレームの最後の部分と重なり合い、トランシーバ2003は、ダウンリンクサブフレームにおいてダウンリンク信号を受信せず、トランシーバ2003は、ダウンリンクサブフレームの直前のアップリンクサブフレームの最後の部分においてアップリンク信号を送信しない。
【０２４４】
第1のガード期間が1ミリ秒に等しいときに、第1のガード期間は、ダウンリンクサブフレームと重なり合い、トランシーバ2003は、ダウンリンクサブフレームにおいてダウンリンク信号を受信しない。
【０２４５】
この実施形態では、プロセッサ2001は、ラウンドトリップタイムおよび第1の切り替え時間に従って第1のガード期間を生成し、第1の切り替え時間は、周波数調整時間および電力調整時間を含み、周波数調整時間は、端末の発振器によるダウンリンク周波数からアップリンク周波数への切り替えのための調整時間であり、電力調整時間は、端末により電力を0からアップリンク送信電力まで調整するための調整時間である、ように特に構成される。
【０２４６】
この実施形態では、第1のガード期間は、ラウンドトリップタイムと第1の切り替え時間との総和以下であるものとしてよい。第1のガード期間が、ラウンドトリップタイムと第1の切り替え時間に等しいときに、プロセッサ2001は、ラウンドトリップタイムおよび第1の切り替え時間を追加し、第1のガード期間を取得するように特に構成される。
【０２４７】
この実施形態では、第1のガード期間がダウンリンクサブフレームと重なり合うので、端末は、ダウンリンクサブフレームにおいて基地局によってスケジュールされ得ない。
【０２４８】
この実施形態によって実現される端末は、実施形態7によって提供される技術的解決方法を実行するために使用されるものとしてよく、実施形態7に類似する実装方式および技術的効果を有し、これらについてはここで再び説明しない。
【０２４９】
図23は、本発明の実施形態23による基地局の概略構造図である。図23に示されているように、この実施形態によって実現される基地局300は、プロセッサ3001およびメモリ3002を備え、メモリ3002は、バスを使用することによってプロセッサ3001に接続されるものとしてよく、メモリ3002には、命令を記憶し、基地局300が稼働すると、メモリ3002は、プロセッサ3001と通信し、それにより、プロセッサ3001は命令を実行する。プロセッサ3001は、次のオペレーションを特に実行する。
【０２５０】
プロセッサ3001は、端末のデータ処理がダウンリンクサブフレームから隣接するアップリンクサブフレームに切り替わるときに、端末によって生成された第1のガード期間がダウンリンクサブフレームと重なり合うと決定し、第1のガード期間は1ミリ秒以上である、ように構成される。
【０２５１】
メモリ3002は、第1のガード期間を記憶するように構成される。
【０２５２】
プロセッサ3001は、ダウンリンクサブフレームにおける端末のスケジューリングをスキップするように基地局を構成する、またはダウンリンクサブフレームにおける端末のスケジューリング優先度を最低レベルに設定する、ようにさらに構成される。
【０２５３】
プロセッサ3001は、端末によって生成された第1のガード期間が1ミリ秒以上であるかどうかを決定し、もしそうであれば、第1のガード期間はダウンリンクサブフレームと重なり合うと決定するように特に構成される。
【０２５４】
この実施形態では、第1のガード期間が1ミリ秒を超えるときに、第1のガード期間は、ダウンリンクサブフレームおよびダウンリンクサブフレームの直前の第1のダウンリンクサブフレームの最後の部分と重なり合う、またはダウンリンクサブフレームおよびダウンリンクサブフレームの直前のアップリンクサブフレームの最後の部分と重なり合う。第1のガード期間が1ミリ秒に等しいときに、第1のガード期間は、ダウンリンクサブフレームと重なり合う。前述の場合のどれであっても関係なく、第1のガード期間はダウンリンクサブフレームと重なり合い、端末は、第1のガード期間において正しくデータを送信または受信することができず、したがって、基地局は、ダウンリンクサブフレームにおいて端末をスケジュールすることに関してリソースを無駄にしなくて済む。
【０２５５】
この実施形態によって実現される基地局は、実施形態10によって提供される技術的解決方法を実行するために使用されるものとしてよく、実施形態10に類似する実装方式および技術的効果を有し、これらについてはここで再び説明しない。
【０２５６】
図24は、本発明の実施形態24による端末の概略構造図である。図24に示されているように、この実施形態によって実現される端末400は、プロセッサ4001と、メモリ4002と、受信機4004とを備え、メモリ4002および受信機4004は、バスを使用することによってプロセッサ4001に接続されるものとしてよく、メモリ4002には、命令を記憶し、端末400が稼働すると、メモリ4002は、プロセッサ4001と通信し、それにより、プロセッサ4001は命令を実行する。
【０２５７】
プロセッサ4001は、端末のデータ処理がダウンリンクサブフレームから隣接するアップリンクサブフレームに切り替わるときに、第1のガード期間を生成し、第1のガード期間は1ミリ秒未満であり、第1のガード期間はダウンリンクサブフレームの最後の部分と重なり合い、端末はダウンリンクサブフレームの最後のタイムスロットにおいて基地局によってスケジュールされない、ように構成される。
【０２５８】
プロセッサ4001は、第1のガード期間内ではダウンリンク信号の受信をスキップするように受信機4004を制御する。
【０２５９】
プロセッサ4001は、ラウンドトリップタイムおよび第1の切り替え時間に従って第1のガード期間を生成し、第1の切り替え時間は、周波数調整時間および電力調整時間を含み、周波数調整時間は、端末の発振器によるダウンリンク周波数からアップリンク周波数への切り替えのための調整時間であり、電力調整時間は、端末により電力を0からアップリンク送信電力まで調整するための調整時間である、ように特に構成される。
【０２６０】
プロセッサ4001によって、ラウンドトリップタイムおよび第1の切り替え時間に従って第1のガード期間を生成することは、特に、第1の切り替え時間が、ラウンドトリップタイムに含まれる場合に、プロセッサ4001によって、ラウンドトリップタイムまたは第1の切り替え時間を第1のガード期間として使用する、または第1の切り替え時間が、ラウンドトリップタイムと重なり合わない場合に、プロセッサ4001によって、ラウンドトリップタイムおよび第1の切り替え時間を追加し、第1のガード期間を取得することである。
【０２６１】
この実施形態によって実現される端末は、実施形態11によって提供される技術的解決方法を実行するために使用されるものとしてよく、実施形態11に類似する実装方式および技術的効果を有し、これらについてはここで再び説明しない。
【０２６２】
図25は、本発明の実施形態25による基地局の概略構造図である。図25に示されているように、この実施形態によって実現される基地局500は、プロセッサ5001およびメモリ5002を備え、メモリ5002は、バスを使用することによってプロセッサ5001に接続されるものとしてよく、メモリ5002には、命令を記憶し、基地局500が稼働すると、メモリ5002は、プロセッサ5001と通信し、それにより、プロセッサ5001は命令を実行する。プロセッサ5001は、次のオペレーションを特に実行する。
【０２６３】
プロセッサ5001は、端末のデータ処理がダウンリンクサブフレームから隣接するアップリンクサブフレームに切り替わるときに、端末によって生成された第1のガード期間がダウンリンクサブフレームの最後のタイムスロットと重なり合うと決定し、第1のガード期間は1ミリ秒未満である、ように構成される。
【０２６４】
メモリ5002は、第1のガード期間を記憶するように構成される。
【０２６５】
プロセッサ5001は、ダウンリンクサブフレームの最後のタイムスロットにおける端末のスケジューリングをスキップするように基地局を構成する、またはダウンリンクサブフレームの最後のタイムスロットにおける端末のスケジューリング優先度を最低レベルに設定する、ようにさらに構成される。
【０２６６】
プロセッサ5001は、端末によって生成された第1のガード期間が0.5ミリ秒以上、1ミリ秒未満であるかどうかを決定し、もしそうであれば、第1のガード期間はダウンリンクサブフレームの最後のタイムスロットと重なり合うと決定するように特に構成される。
【０２６７】
この実施形態によって実現される基地局は、実施形態14によって提供される技術的解決方法を実行するために使用されるものとしてよく、実施形態14に類似する実装方式および技術的効果を有し、これらについてはここで再び説明しない。
【０２６８】
図26は、本発明の実施形態26による端末の概略構造図である。図26に示されているように、この実施形態によって実現される端末600は、プロセッサ6001と、メモリ6002と、トランシーバ6003とを備え、メモリ6002およびトランシーバ6003は、バスを使用することによってプロセッサ6001に接続されるものとしてよく、メモリ6002には、命令を記憶し、端末600が稼働すると、メモリ6002は、プロセッサ6001と通信し、それにより、プロセッサ6001は命令を実行する。
【０２６９】
プロセッサ6001は、端末のデータ処理がアップリンクサブフレームから隣接するダウンリンクサブフレームに切り替わるときに、第2のガード期間を生成するように構成される。
【０２７０】
プロセッサ6001は、第2のガード期間内では信号の処理をスキップするようにトランシーバ6003を制御する、または第2のガード期間が配置されているサブフレームにおける信号の処理をスキップする、ように構成される。
【０２７１】
プロセッサ6001は、ラウンドトリップタイムおよび第2の切り替え時間に従って第2のガード期間を生成し、第2の切り替え時間は、周波数調整時間および電力調整時間を含み、周波数調整時間は、端末の発振器によるアップリンク周波数からダウンリンク周波数への切り替えのための調整時間であり、電力調整時間は、端末のダウンリンク電力を0から送信電力まで調整するための調整時間である、ように特に構成される。第2の切り替え時間が、ラウンドトリップタイムよりも長い場合に、プロセッサ6001は、第2の切り替え時間からラウンドトリップタイムを差し引き、第2のガード期間を取得する。
【０２７２】
第1のオプションの実装方式において、第2のガード期間を生成するときに、プロセッサ6001は、ダウンリンクサブフレームが、端末に送信される物理ハイブリッド自動再送要求インジケータチャネルPHICH情報を含むかどうかを決定し、ダウンリンクサブフレームが、端末に送信されるPHICH情報を含む場合に、第2のガード期間を生成し、生成された第2のガード期間はアップリンクサブフレームと重なり合う、またはダウンリンクサブフレームが、端末に送信されるPHICH情報を含まない場合に、第2のガード期間を生成し、生成された第2のガード期間はダウンリンクサブフレームと重なり合う、ように特に構成される。
【０２７３】
第2のオプションの実装方式において、第2のガード期間を生成するときに、プロセッサ6001は、アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定し、アップリンクサブフレームがこれらのアップリンク信号のうちのどれか1つを含む場合に、第2のガード期間を生成し、第2のガード期間はダウンリンクサブフレームと重なり合う、またはアップリンクサブフレームがアップリンク信号のうちのどの1つも含まない場合に、第2のガード期間を生成し、第2のガード期間はアップリンクサブフレームと重なり合う、ように特に構成される。
【０２７４】
第1の可能な実装方式において、第2のガード期間は1ミリ秒未満であり、第2のガード期間はダウンリンクサブフレームの最初の部分と重なり合い、ダウンリンクサブフレームの最初の部分は、第2のガード期間とダウンリンクサブフレームとの間の重なり合う部分であり、第2のガード期間がダウンリンクサブフレームの最初の部分と重なり合うときに、トランシーバ6003は、ダウンリンクサブフレームの最初の部分におけるダウンリンク信号の受信をスキップする、またはトランシーバ6003は、ダウンリンクサブフレームにおけるダウンリンク信号の受信をスキップする。ダウンリンク信号は、物理ダウンリンク制御チャネルPDCCH信号、拡張物理ダウンリンク制御チャネルEPDCCH、セル特有の基準信号、マルチメディアブロードキャストマルチキャストサービス単一周波数ネットワークMBSFN信号、サービスデータ信号、物理ハイブリッド自動再送要求インジケータチャネルPHICH信号、および物理制御フォーマットインジケータチャネルPCFICH信号のうちの1つまたは複数を含む。
【０２７５】
第2の可能な実装方式において、第2のガード期間は1ミリ秒未満であり、第2のガード期間はアップリンクサブフレームの最後の部分と重なり合い、アップリンクサブフレームの最後の部分は、第2のガード期間とアップリンクサブフレームとの間の重なり合う部分であり、第2のガード期間が、アップリンクサブフレームの最後の部分と重なり合うときに、トランシーバ6003は、アップリンクサブフレームの最後の部分におけるアップリンク信号の送信をスキップする、またはトランシーバ6003は、アップリンクサブフレームにおけるアップリンク信号の送信をスキップする。
【０２７６】
第3の可能な実装方法において、第2のガード期間が1ミリ秒に等しいときに、第2のガード期間はダウンリンクサブフレームと重なり合い、トランシーバ6003は、ダウンリンクサブフレームにおけるダウンリンク信号の受信をスキップする。
【０２７７】
第4の可能な実装方法において、第2のガード期間が1ミリ秒に等しいときに、第2のガード期間はアップリンクサブフレームと重なり合い、トランシーバ6003は、アップリンクサブフレームにおけるアップリンク信号の送信をスキップする。
【０２７８】
この実施形態では、端末は、第2のガード期間において基地局によってスケジュールされない、または端末は、第2のガード期間が配置されているサブフレームにおいて基地局によってスケジュールされない。
【０２７９】
第2のガード期間がダウンリンクサブフレームの最初の部分と重なり合うときに、端末が、ダウンリンクサブフレームにおいて拡張物理ダウンリンク制御チャネルEPDCCH信号を受信するように基地局によって構成されている場合、トランシーバスキップ6003によって、ダウンリンクサブフレームの最初の部分におけるダウンリンク信号の受信をスキップすることは、特に、ダウンリンクサブフレームの最初の部分におけるEPDCCH信号もしくはダウンリンク信号の受信をスキップすることである。
【０２８０】
第2のガード期間がダウンリンクサブフレームの最初の部分と重なり合うときに、端末が、ダウンリンクサブフレームにおいて拡張物理ダウンリンク制御チャネルEPDCCH信号を受信するように基地局によって構成されている場合、トランシーバ6003によって、ダウンリンクサブフレームの最初の部分におけるダウンリンク信号の受信をスキップすることは、特に、第2のガード期間がEPDCCH信号の受信時間と重なり合うかどうかを決定し、第2のガード期間がEPDCCH信号の受信時間と重なり合う場合に、ダウンリンクサブフレームにおけるEPDCCH信号もしくはダウンリンク信号の受信をスキップする、または第2のガード期間がEPDCCH信号の受信時間と重なり合わない場合に、ダウンリンクサブフレームの最初の部分におけるEPDCCH信号もしくはダウンリンク信号の受信をスキップすることである。
【０２８１】
第2のガード期間がダウンリンクサブフレームの最初の部分と重なり合うときに、端末が、ダウンリンクサブフレームにおいてマルチメディアブロードキャストマルチキャストサービス単一周波数ネットワークMBSFN信号を受信するように基地局によって構成されている場合、トランシーバ6003によって、ダウンリンクサブフレームの最初の部分におけるダウンリンク信号の受信をスキップすることは、特に、ダウンリンクサブフレームの最初の部分におけるMBSFN信号もしくはダウンリンク信号の受信をスキップすることである。
【０２８２】
第2のガード期間がダウンリンクサブフレームの最初の部分と重なり合うときに、端末が、ダウンリンクサブフレームにおいてマルチメディアブロードキャストマルチキャストサービス単一周波数ネットワークMBSFN信号を受信するように基地局によって構成されている場合、トランシーバ6003によって、ダウンリンクサブフレームの最初の部分におけるダウンリンク信号の受信をスキップすることは、特に、第2のガード期間がMBSFN信号の受信時間と重なり合うかどうかを決定し、第2のガード期間がMBSFN信号の受信時間と重なり合う場合に、ダウンリンクサブフレームにおけるMBSFN信号もしくはダウンリンク信号の受信をスキップする、または第2のガード期間がMBSFN信号の受信時間と重なり合わない場合に、ダウンリンクサブフレームの最初の部分におけるMBSFN信号もしくはダウンリンク信号の受信をスキップすることである。
【０２８３】
第2のガード期間がダウンリンクサブフレームの最初の部分と重なり合うときに、端末が、ダウンリンクサブフレームにおいて物理ダウンリンク共有チャネルPDSCH信号を受信するように基地局によって構成されている場合、トランシーバ6003によって、ダウンリンクサブフレームの最初の部分におけるダウンリンク信号の受信をスキップすることは、特に、PDSCH信号に対応する物理ダウンリンク制御チャネルPDCCH信号が、ダウンリンクサブフレームに含まれるかどうかを決定し、PDCCH信号がダウンリンクサブフレームに含まれる場合に、ダウンリンクサブフレームにおけるPDSCH信号もしくはダウンリンク信号の受信をスキップする、またはPDCCH信号がダウンリンクサブフレームに含まれない場合に、ダウンリンクサブフレームの最初の部分におけるPDSCH信号もしくはダウンリンク信号の受信をスキップすることである。
【０２８４】
端末が、ダウンリンクサブフレームの最初の部分におけるダウンリンク信号の受信をスキップする、またはダウンリンクサブフレームにおけるダウンリンク信号の受信をスキップするときに、ダウンリンクサブフレームが、端末に送信されるPHICH情報を含む場合、トランシーバ6003は、ダウンリンクサブフレームの後の第Nのダウンリンクサブフレームにおいて、端末に送信されたPHICH情報を受信し、Nは、1以上の正整数である。
【０２８５】
この実施形態によって実現される端末は、実施形態15によって提供される技術的解決方法を実行するために使用されるものとしてよく、実施形態15に類似する実装方式および技術的効果を有し、これらについてはここで再び説明しない。
【０２８６】
図27は、本発明の実施形態27による基地局の概略構造図である。図27に示されているように、この実施形態によって実現される基地局700は、プロセッサ7001およびメモリ7002を備え、メモリ7002は、バスを使用することによってプロセッサ7001に接続されるものとしてよく、メモリ7002には、命令を記憶し、基地局700が稼働すると、メモリ7002は、プロセッサ7001と通信し、それにより、プロセッサ7001は命令を実行する。プロセッサ7001は、次のオペレーションを特に実行する。
【０２８７】
プロセッサ7001は、端末のデータ処理がアップリンクサブフレームから隣接するダウンリンクサブフレームに切り替わるときに、端末によって生成された第2のガード期間を決定するように構成される。
【０２８８】
メモリ7002は、第2のガード期間を記憶するように構成される。
【０２８９】
プロセッサ7001は、第2のガード期間もしくは第2のガード期間が配置されるサブフレームにおける端末のスケジューリングをスキップするように基地局を構成する、または第2のガード期間もしくは第2のガード期間が配置されるサブフレームにおいて端末のスケジューリング優先度を最低レベルに設定するように構成される。
【０２９０】
プロセッサ7001によって、端末によって生成された第2のガード期間を決定することは、特に、ダウンリンクサブフレームが、端末に送信される物理ハイブリッド自動再送要求インジケータチャネルPHICH情報を含むかどうかを決定し、ダウンリンクサブフレームが、端末に送信されるPHICH情報を含む場合、第2のガード期間がアップリンクサブフレームと重なり合うと決定する、またはダウンリンクサブフレームが、端末に送信されるPHICH情報を含まない場合に、生成された第2のガード期間がダウンリンクサブフレームと重なり合うと決定することである。
【０２９１】
第1のオプションの実装方式において、プロセッサ7001によって、第2のガード期間もしくは第2のガード期間が配置されるサブフレームにおける端末のスケジューリングをスキップするように基地局を構成する、または第2のガード期間もしくは第2のガード期間が配置されるサブフレームにおいて端末のスケジューリング優先度を最低レベルに設定することは、特に、第2のガード期間がアップリンクサブフレームと重なり合う場合に、プロセッサ7001によって、アップリンクサブフレームの最後の部分における、もしくはアップリンクサブフレームにおける端末のスケジューリングをスキップするように基地局を構成する、またはプロセッサ7001によって、アップリンクサブフレームの最後の部分における、もしくはアップリンクサブフレームにおける端末のスケジューリング優先度を最低レベルに設定することであって、アップリンクサブフレームの最後の部分は、第2のガード期間とアップリンクサブフレームとの間の重なり合う部分である、構成または設定すること、または第2のガード期間がダウンリンクサブフレームと重なり合う場合に、プロセッサ7001によって、ダウンリンクサブフレームの最初の部分における、もしくはダウンリンクサブフレームにおける端末のスケジューリングをスキップするように基地局を構成する、またはプロセッサ7001によって、ダウンリンクサブフレームの最初の部分における、もしくはダウンリンクサブフレームにおける端末のスケジューリング優先度を最低レベルに設定することであって、ダウンリンクサブフレームの最初の部分は、第2のガード期間とダウンリンクサブフレームとの間の重なり合う部分である、構成または設定することである。
【０２９２】
第2のオプションの実装方式において、プロセッサ7001によって、端末によって生成された第2のガード期間を決定することは、特に、アップリンクサブフレームが次のアップリンク信号、すなわち、サウンディング基準信号SRS、チャネル品質インジケータCQI、および物理アップリンク制御チャネルPUCCH情報のうちのどれか1つを含むかどうかを決定し、アップリンクサブフレームがこれらのアップリンク信号のうちのどれか1つを含む場合に、第2のガード期間がダウンリンクサブフレームと重なり合うと決定する、またはアップリンクサブフレームがアップリンク信号のうちのどの1つも含まない場合に、第2のガード期間がアップリンクサブフレームと重なり合うと決定することである。
【０２９３】
プロセッサ7001によって、第2のガード期間もしくは第2のガード期間が配置されるサブフレームにおける端末のスケジューリングをスキップするように基地局を構成する、または第2のガード期間もしくは第2のガード期間が配置されるサブフレームにおいて端末のスケジューリング優先度を最低レベルに設定することは、特に、第2のガード期間がアップリンクサブフレームと重なり合う場合に、プロセッサ7001によって、アップリンクサブフレームの最後の部分における、もしくはアップリンクサブフレームにおける端末のスケジューリングをスキップするように基地局を構成する、またはプロセッサ7001によって、アップリンクサブフレームの最後の部分における、もしくはアップリンクサブフレームにおける端末のスケジューリング優先度を最低レベルに設定することであって、アップリンクサブフレームの最後の部分は、第2のガード期間とアップリンクサブフレームとの間の重なり合う部分である、構成または設定すること、または第2のガード期間がダウンリンクサブフレームと重なり合う場合に、プロセッサ7001によって、ダウンリンクサブフレームの最初の部分における、もしくはダウンリンクサブフレームにおける端末のスケジューリングをスキップするように基地局を構成する、またはプロセッサ7001によって、ダウンリンクサブフレームの最初の部分における、もしくはダウンリンクサブフレームにおける端末のスケジューリング優先度を最低レベルに設定することであって、ダウンリンクサブフレームの最初の部分は、第2のガード期間とダウンリンクサブフレームとの間の重なり合う部分である、構成または設定することである。
【０２９４】
基地局がダウンリンクサブフレームの最初の部分における、もしくはダウンリンクサブフレームにおける端末のスケジューリングをスキップする、またはプロセッサ7001がダウンリンクサブフレームの最初の部分における、もしくはダウンリンクサブフレームにおける端末のスケジューリング優先度を最低レベルに設定するときに、ダウンリンクサブフレームが、端末に送信されるPHICH情報を含む場合、基地局は、ダウンリンクサブフレームの後の第Nのダウンリンクサブフレームにおいて、端末にPHICH情報を送信し、Nは、1以上の正整数である。
【０２９５】
この実施形態によって実現される基地局は、実施形態19によって提供される技術的解決方法を実行するために使用されるものとしてよく、実施形態19に類似する実装方式および技術的効果を有し、これらについてはここで再び説明しない。
【０２９６】
本発明において提供されるいくつかの実施形態において、開示されている装置および方法が他の方式で実装され得ることは理解されるであろう。例えば、説明されている装置の実施形態は、単なる例にすぎない。例えば、ユニットを分けることは、単に論理機能を分けることであり、実際の実装では他の分け方であってもよい。例えば、複数のユニットまたはコンポーネントが、別のシステム内に組み合わされ得るか、もしくは一体化され得る、またはいくつかの特徴が無視され得るか、もしくは実施され得ない。それに加えて、表示されている、または説明されている相互結合もしくは直接的結合もしくは通信接続は、いくつかのインターフェースを通じて実装され得る。装置もしくはユニットの間の間接的結合もしくは通信接続は、電子的な、機械的な、または他の形態で実装され得る。
【０２９７】
分離している部分として説明されるユニットは、物理的に分離し得る、または分離し得ず、およびユニットとして表示される部分は、物理的ユニットであり得る、または物理的ユニットであり得ず、1つの位置に配置され得る、または複数のネットワークユニット上に分散され得る。ユニットの一部または全部は、実施形態の解決策の目的を達成するために実際に必要になるものに従って選択され得る。
【０２９８】
それに加えて、本発明の実施形態における機能ユニットは、1つの処理ユニット内に一体化され得る、またはユニットの各々が、物理的に単独で存在し得る、または2つもしくはそれ以上のユニットが、1つのユニット内に一体化される。一体化されたユニットは、ハードウェアの形態で実装され得る、またはソフトウェア機能ユニットに加えてハードウェアの形態で実装され得る。
【０２９９】
前述の一体化されたユニットがソフトウェア機能ユニットの形態で実装される場合、一体化されたユニットは、コンピュータ可読記憶媒体に記憶され得る。ソフトウェア機能ユニットは、記憶媒体に記憶され、本発明の実施形態において説明されている方法のステップの一部を実行するようにコンピュータデバイス(パーソナルコンピュータ、サーバ、もしくはネットワークデバイス)またはプロセッサに指示するための複数の命令を含む。前述の記憶媒体は、USBフラッシュドライブ、取り外し可能なハードディスク、リードオンリーメモリ(Read-Only Memory、ROM)、ランダムアクセスメモリ(Random Access Memory、RAM)、磁気ディスク、または光ディスクなどの、プログラムコードを記憶することができる媒体を含む。
【０３００】
当業者であれば、わかりやすい簡潔な説明とすることを目的として、前述の機能モジュールを分けることは、例示のための一例としてなされていることを明確に理解できる。実際のアプリケーションにおいて、前述の機能は、要求条件に従って異なる機能モジュールに割り振られ、実装され得る、すなわち、装置の内部構造は、上で説明されている機能の全部または一部を実装するように異なる機能モジュールに分けられる。前述の装置の詳細な作動プロセスについて、前述の方法実施形態における対応するプロセスが参照されるものとしてよく、詳細についてここで再び説明することはしない。
【０３０１】
最後に、前述の実施形態は、本発明の技術的解決策を説明することのみが意図されており、本発明を制限することは意図されていないことに留意されたい。本発明は、前記の実施形態を参照しつつ詳しく説明されているけれども、当業者であれば、本発明の実施形態の技術的解決策の範囲から逸脱することなく、前記の実施形態において説明されている技術的解決策に修正を加える、またはその一部もしくは全部の技術的特徴に対する同等の置き換えを行うことが依然として可能であることを理解するであろう。
【符号の説明】
【０３０２】
1  ダウンリンクサブフレーム
2  アップリンクサブフレーム
11  生成モジュール
12  決定モジュール
21  決定モジュール
22  スケジューリング構成モジュール
31  生成モジュール
32  決定モジュール
41  決定モジュール
42  スケジューリング構成モジュール
51  生成モジュール
52  処理モジュール
61  決定モジュール
62  スケジューリング構成モジュール
200  端末
300  基地局
400  端末
500  基地局
600  端末
700  基地局
2001  プロセッサ
2002  メモリ
2003  トランシーバ
3001  プロセッサ
3002  メモリ
4001  プロセッサ
4002  メモリ
4004  受信機
5001  プロセッサ
5002  メモリ
6001  プロセッサ
6002  メモリ
6003  トランシーバ
7001  プロセッサ
7002  メモリ
【図１】
2017502601.tif 000003
【図２】
2017502601.tif 000004
【図３】
2017502601.tif 000005
【図４】
2017502601.tif 000006
【図５】
2017502601.tif 000007
【図６】
2017502601.tif 000008
【図７】
2017502601.tif 000009
【図８】
2017502601.tif 000010
【図９】
2017502601.tif 000011
【図１０】
2017502601.tif 000012
【図１１】
2017502601.tif 000013
【図１２】
2017502601.tif 000014
【図１３】
2017502601.tif 000015
【図１４】
2017502601.tif 000016
【図１５】
2017502601.tif 000017
【図１６】
2017502601.tif 000018
【図１７】
2017502601.tif 000019
【図１８】
2017502601.tif 000020
【図１９】
2017502601.tif 000021
【図２０】
2017502601.tif 000022
【図２１】
2017502601.tif 000023
【図２２】
2017502601.tif 000024
【図２３】
2017502601.tif 000025
【図２４】
2017502601.tif 000026
【図２５】
2017502601.tif 000027
【図２６】
2017502601.tif 000028
【図２７】
2017502601.tif 000029
【国際調査報告】
2017502601.tif 000030
2017502601.tif 000031
2017502601.tif 000032
2017502601.tif 000033
2017502601.tif 000034
2017502601.tif 000035